(57)【要約】  フィルタカートリッジ構造、その特徴及びそれと共に使用するためのアセンブリが提供される。開示されるフィルタカートリッジの選択された特徴は、使用中に媒体が主フィルタカートリッジの開放された内部空間の中へ突出するような状態で使用可能なセーフティフィルタカートリッジ又は二次フィルタカートリッジと共に使用するのに特に適する。襞のない端部及び襞が形成された端部を有するフィルタカートリッジの一実施例が説明されるが、変形も説明される。好都合な主カートリッジも説明される、組み立て方法及び使用するためのシステムが説明される。【特許請求の範囲】
【請求項１】
フィルタカートリッジであって、
（ａ）開放された内部空間を取り囲み、第１の端部及び第２の端部を有する延設媒体を備え、
（ｉ）前記媒体は、前記第１の端部に、深さ３ｍｍを超える襞を有しておらず、
（ｉｉ）前記媒体は、前記第２の端部に、少なくとも１０ｍｍの襞深さを有する複数の襞を備えることを特徴とするフィルタカートリッジ。
【請求項２】
（ａ）前記延設媒体は中心軸を取り囲み、
（ｉ）前記第２の端部に隣接して前記媒体に襞が形成され、且つ、前記媒体は、前記第１の端部に向かう延出方向に、中心軸に垂直な平面に対して８９°を超えない鋭角を成して延出する複数の内側襞先端部を規定し、
（ｉｉ）前記媒体の前記第１の端部には襞が形成されないことを特徴とする請求項１記載のフィルタカートリッジ。
【請求項３】
（ａ）前記延設媒体の前記第１の端部から５０ｍｍ以内の部位に配置された半径方向に向いたハウジングシール部材を含み、
（ｉ）前記フィルタカートリッジは、前記媒体と前記ハウジング半径方向シール部材とが半径方向に重なり合う部位で、前記延設媒体の前記第２の端部に隣接する前記延設媒体の最大襞深さより少なくとも１０ｍｍ小さい、最大無歪み半径方向幅寸法を有することを特徴とする請求項１及び２のいずれか１項に記載のフィルタカートリッジ。
【請求項４】
（ａ）媒体支持体を含み、
（ｉ）前記媒体は、前記媒体の前記第１の端部に隣接して、前記第２の端部から離間する軸方向に、前記媒体支持体の最も近い隣接部分を越えて少なくとも０．５ｍｍの軸方向距離だけ延出する襞無自由先端部分を含むことを特徴とする請求項１から３のいずれか１項に記載のフィルタカートリッジ。
【請求項５】
フィルタカートリッジであって、
（ａ）中心軸を取り囲み且つ開放された内部空間を取り囲む延設媒体を備え、
（ｉ）前記媒体は、第１の端部及び第２の端部を有し、
（ｉｉ）前記第２の端部に隣接して、前記媒体に襞が形成され且つ前記媒体は、前記第１の端部に向かう延出方向に、中心軸に垂直な平面に対して８９°を超えない鋭角を成して延出する複数の内側襞先端部を規定し、
（ｉｉｉ）前記媒体の前記第１の端部には襞は形成されないことを特徴とするフィルタカートリッジ。
【請求項６】
（ａ）前記第１の端部から４０ｍｍ以内の部位に配置されたハウジング半径方向シール部材を含むことを特徴とする請求項１から５のいずれか１項に記載のフィルタカートリッジ。
【請求項７】
フィルタカートリッジであって、
（ａ）開放された内部空間を取り囲み且つ第１の端部及び第２の端部を有する延設媒体を備え、
（ｉ）前記媒体は、前記第２の端部から前記第１の端部に向かう方向に減少するような襞深さを各々が有する複数の襞を備え、
（ｂ）前記第１の端部から５０ｍｍ以内の部位に配置されたハウジング半径方向シール部材を備えることを特徴とするフィルタカートリッジ。
【請求項８】
（ａ）前記媒体は、カートリッジ中心軸を取り囲み且つ規定し、
（ｂ）前記媒体は、前記第１の端部に向かう延出方向に、中心軸に垂直な平面に対して８８°を超えない鋭角を成して延出する内側襞先端部を有する複数の内側襞を含むことを特徴とする請求項１から７のいずれか１項に記載のフィルタカートリッジ。
【請求項９】
（ａ）前記媒体は、カートリッジ中心軸を取り囲み且つ規定し、
（ｂ）前記媒体は、前記第１の端部に向かう延出方向に、前記中心軸に垂直な平面に対して７０°以上、８８°以下の範囲内の鋭角を成して延出する内側襞先端部を有する複数の内側襞を含むことを特徴とする請求項１から８のいずれか１項に記載のフィルタカートリッジ。
【請求項１０】
（ａ）前記媒体は、カートリッジ中心軸を取り囲み且つ規定し、
（ｂ）前記媒体は、複数の外側襞及び複数の内側襞を含み、
（ｉ）前記内側襞は、前記第２の端部から前記第１の端部に向かう延出方向に、前記中心軸に垂直な平面に対して第１の角度を成して延出する複数の内側襞先端部を含み、
（ｉｉ）前記外側襞は、前記第２の端部から前記第１の端部に向かう延出方向に、前記中心軸に垂直な平面に対して第２の角度を成して延出する複数の外側襞先端部を含み、
（ｉｉ）中心軸に垂直な平面に関して、前記第２の角度は前記第１の角度より大きいことを特徴とする請求項１から９のいずれか１項に記載のフィルタカートリッジ。
【請求項１１】
（ａ）前記媒体は、カートリッジ中心軸を取り囲み且つ規定し、
（ｂ）前記媒体は、前記第２の端部から前記第１の端部に向かう延出方向に、前記中心軸に垂直な平面に対して８８°以上、９０°以下の範囲内の角度を成して延出する外側襞先端部を有する複数の外側襞を含むことを特徴とする請求項１から１０のいずれか１項に記載のフィルタカートリッジ。
【請求項１２】
フィルタカートリッジであって、
（ａ）第１の端部及び第２の端部を有する延設媒体を備え、
（ｉ）前記媒体は、開放された内部空間を取り囲み且つ規定し、
（ｉｉ）前記第２の端部に隣接して前記延設媒体に襞が形成され、
（ｂ）前記延設媒体の前記第１の端部から５０ｍｍ以内の部位に配置された半径方向に向いたハウジングシール部材を備え、
（ｉ）前記フィルタカートリッジは、前記媒体及び前記ハウジング半径方向シール部材と半径方向に重なり合う部位で、前記延設媒体の前記第２の端部に隣接する前記延設媒体の最大襞深さより少なくとも１０ｍｍ小さい、最大無歪み半径方向幅寸法を有することを特徴とするフィルタカートリッジ。
【請求項１３】
フィルタカートリッジであって、
（ａ）開放された内部空間を取り囲み且つ第１の端部及び第２の端部を有する延設媒体を備え、
（ｉ）前記第２の端部に隣接して前記媒体に襞が形成され、且つ、前記媒体は、複数の外側に向いた襞及び複数の内側に向いた襞を備え、
（ｉｉ）前記複数の外側に向いた襞の各々は、外側周囲先端形状を有する襞先端部を有し、
（ｉｉｉ）前記複数の内側に向いた襞の各襞先端部の内側周囲襞形状は、前記複数の外側に向いた襞の各々の前記襞先端形状より狭く、
（Ａ）前記外側襞先端部は、前記第２の端部に隣接する部位で、少なくとも４ｍｍの半径の外側周囲襞形状を有することを特徴とするフィルタカートリッジ。
【請求項１４】
（ａ）前記媒体の前記第１の端部から４０ｍｍ以内の部位に半径方向に向いたハウジングシール部材を含むことを特徴とする請求項１から１３のいずれか１項に記載のフィルタカートリッジ。
【請求項１５】
（ａ）前記媒体の前記第１の端部から３０ｍｍ以内の部位に配置された半径方向に向いたハウジングシール部材を含むことを特徴とする請求項１から１４のいずれか１項に記載のフィルタカートリッジ。
【請求項１６】
（ａ）前記媒体の前記第１の端部から２０ｍｍ以内の部位に配置された半径方向に向いたハウジングシール部材を含むことを特徴とする請求項１から１５のいずれか１項に記載のフィルタカートリッジ。
【請求項１７】
（ａ）前記媒体の前記第１の端部から１５ｍｍ以内の部位に配置された半径方向に向いたハウジングシール部材を含むことを特徴とする請求項１から１６のいずれか１項に記載のフィルタカートリッジ。
【請求項１８】
（ａ）半径方向外側に向いたハウジングシール部材を含むことを特徴とする請求項１から１７のいずれか１項に記載のフィルタカートリッジ。
【請求項１９】
フィルタカートリッジであって、
（ａ）開放された内部空間を取り囲み且つ第１の端部及び第２の端部を有する延設媒体を備え、
（ｉ）前記第２の端部に隣接して前記延設媒体に襞が形成され、
（ｂ）媒体支持体を備え、
（ｉ）前記媒体は、前記媒体の前記第１の端部に隣接して、前記第２の端部から離間する軸方向に、前記媒体支持体の最も近接する部分を越えて少なくとも０．５ｍｍの軸方向距離だけ延出する襞無自由先端部分を含むことを特徴とするフィルタカートリッジ。
【請求項２０】
フィルタカートリッジであって、
（ａ）第１の端部及び第２の端部を有する延設襞付き媒体を備え、
（ｉ）前記延設媒体は、開放されたフィルタ内部空間を取り囲み、
（ｂ）前記媒体の前記第１の端部と前記媒体の前記第２の端部との間に配置された第１の中間外側襞スペーサを含む媒体支持体を備え、
（ｉ）前記第１の中間外側襞スペーサは、少なくとも４ｍｍの外側襞半径を有する外側襞係合形状を規定し、
（ｉｉ）前記第１の中間外側襞スペーサは、少なくとも３０°の外側襞角度を有する内側襞係合先端部を規定する半径方向突起を有することを特徴とするフィルタカートリッジ。
【請求項２１】
フィルタカートリッジであって、
（ａ）第１の端部及び第２の端部を有する延設媒体を備え、
（ｉ）前記延設媒体は、前記第２の端部に隣接して複数の襞を備え、
（ｉｉ）前記媒体は、中心軸を取り囲み且つ開放された内部空間を規定し、
（ｂ）前記媒体の前記第１の端部と前記第２の端部との間に配置された複数の中間外側襞スペーサを備え、
（ｉ）前記複数の中間外側襞スペーサのうち軸方向に離間された隣接する中間外側襞スペーサは、前記中心軸に向かって異なる量の半径方向突出長さを有することを特徴とするフィルタカートリッジ。
【請求項２２】
フィルタカートリッジであって、
（ａ）第１の端部及び第２の端部を有する延設媒体を備え、
（ｉ）前記延設媒体は、前記第２の端部に隣接して複数の襞を備え、
（ｉｉ）前記媒体は、開放された内部空間を取り囲み且つ規定し、
（ｂ）前記媒体の前記第２の端部から前記媒体の前記第１の端部に向かう延出方向に、前記媒体の外側襞先端部の延出長さの少なくとも５０％に沿って延出し且つ前記媒体の前記外側襞先端部に固着された長手方向リブを含む媒体支持体を備えることを特徴とするフィルタカートリッジ。
【請求項２３】
フィルタカートリッジであって、
（ａ）第１の端部と第２の端部との間に延設され且つ中心軸及び開放された中央の内部空間を取り囲み且つ規定する媒体と、
（ｂ）前記媒体の前記第２の端部に隣接する端部材とを備え、
（ｉ）前記端部材は、半径方向外側突起及び半径方向内側凹部が交互に配列された外側周囲部を規定し、
（ｉｉ）前記外側突起のうち隣接する外側突起は、少なくとも３０°の半径方向空隙により離間されていることを特徴とするフィルタカートリッジ。
【請求項２４】
フィルタカートリッジであって、
（ａ）第１の端部と第２の端部との間に延設され且つ中心軸及び開放された中央の内部空間を取り囲み且つ規定する媒体を備え、
（ｉ）前記第２の端部に隣接して前記媒体に襞が形成され、
（ｂ）前記媒体の前記第２の端部に隣接して端部材を備え、
（ｉ）前記端部材は、半径方向外側突起及び半径方向内側凹部が交互に配列された外周部を規定し、
（ｉｉ）前記端部材の前記半径方向内側凹部は、外側襞の間の空間と軸方向に重なり合って、内側襞先端部から離れた部位で最大幅で少なくとも１５ｍｍの空隙により開いていることを特徴とするフィルタカートリッジ。
【請求項２５】
フィルタカートリッジであって、
（ａ）第１の媒体端部と第２の媒体端部との間に延設され且つ中心軸及び開放された中央の内部空間を取り囲み且つ規定する媒体と、
（ｂ）前記第２の媒体端部に隣接し且つ前記第２の媒体端部に沿って延設された端部材とを備え、前記端部材は、前記第１の媒体端部から離間する方向に向いた外面と、前記第１の媒体端部に向かう方向に向いた内面とを含み、
（ｉ）前記端部材の前記内面は、前記第１の媒体端部から離間する方向に延設された中央凹部を有し、
（ｃ）前記中央凹部の少なくとも一部に配置されたクッション部材を備えることを特徴とするフィルタカートリッジ。
【請求項２６】
フィルタカートリッジであって、
（ａ）第１の端部及び第２の端部を有し且つ中心軸及び中央の内部空間を取り囲む延設媒体と、
（ｂ）前記第２の媒体端部に隣接して端部材を含む媒体支持体とを備え、
（ｉ）前記端部材は、開口部が貫通している中央突起を有し、
（ｃ）前記媒体の前記第１の端部から５０ｍｍ以内の部位で前記媒体支持体に配置され且つ前記媒体支持体を取り囲む半径方向外側に向いたハウジング半径方向シール部材を備えることを特徴とするフィルタカートリッジ。
【請求項２７】
フィルタカートリッジであって、
（ａ）第１の端部と第２の端部との間に延設され且つ中心軸及び開放された中央の内部空間を取り囲み且つ規定する媒体と、
（ｂ）前記媒体の前記第２の端部に隣接する端部材とを備え、
（ｉ）前記端部材は、中央凹部を備えた内面を有し、
（ｉｉ）前記中央凹部は、前記媒体の前記第１の端部から離間するように延設された突起により規定され且つ前記媒体により取り囲まれ且つ前記媒体から離間して配置された壁を有し、
（ｉｉｉ）前記突起は、前記媒体の前記第１の端部から離れた部位に、開口部が貫通している先端部を有することを特徴とするフィルタカートリッジ。
【請求項２８】
（ａ）前記中央突起の前記開口部を貫通するようにクッション部材が配置されることを特徴とする請求項２６及び２７のいずれか１項に記載のフィルタカートリッジ。
【請求項２９】
（ａ）前記クッション部材は閉鎖されることを特徴とする請求項２８記載のフィルタカートリッジ。
【請求項３０】
（ａ）前記クッション部材は、前記中央突起の外側の部位に、前記中央突起の先端部より最大横断面を有するハウジング係合クッション部分を含むことを特徴とする請求項２８及び２９のいずれか１項に記載のフィルタカートリッジ。
【請求項３１】
（ａ）前記第２の端部に隣接して、前記媒体に襞が形成されることを特徴とする請求項２３から３０のいずれか１項に記載のフィルタカートリッジ。
【請求項３２】
（ａ）前記媒体は、前記第２の端部に隣接して、前記第２の端部から前記第１の端部に向かう延出方向に、前記中心軸に垂直な平面に対して８８°以下の角度を成して延出する複数の内側襞先端部を含むことを特徴とする請求項３１記載のフィルタカートリッジ。
【請求項３３】
（ａ）前記媒体の前記第１の端部に襞は形成されないことを特徴とする請求項１から３２のいずれか１項に記載のフィルタカートリッジ。
【請求項３４】
（ａ）前記第２の端部で、前記媒体に少なくとも１０ｍｍの襞深さの襞が形成されることを特徴とする請求項１から３３のいずれか１項に記載のフィルタカートリッジ。
【請求項３５】
（ａ）前記第２の端部で、前記媒体に少なくとも１５ｍｍの襞深さの襞が形成されることを特徴とする請求項１から３４のいずれか１項に記載のフィルタカートリッジ。
【請求項３６】
（ａ）前記第２の端部で、前記媒体に１０ｍｍ以上、４０ｍｍ以下の範囲内の襞深さの襞が形成されることを特徴とする請求項１から３５のいずれか１項に記載のフィルタカートリッジ。
【請求項３７】
（ａ）前記媒体は、前記第２の端部に隣接して複数の外側襞を含み、前記複数の外側襞の各々は、前記第２の端部に向かう方向に、前記中心軸に垂直な平面に対して少なくとも８６°の鋭角を成して延出する外側襞先端部を有することを特徴とする請求項１から３６のいずれか１項に記載のフィルタカートリッジ。
【請求項３８】
（ａ）前記媒体は、前記第２の端部に隣接して複数の外側襞を含み、前記複数の外側襞の各々は、前記第２の端部に向かう延出方向に、前記中心軸に垂直な平面に対して少なくとも８７°の鋭角を成して延出する外側襞先端部を有することを特徴とする請求項１から３７のいずれか１項に記載のフィルタカートリッジ。
【請求項３９】
（ａ）前記媒体は、前記第２の端部に隣接して複数の外側襞を含み、前記複数の外側襞の各々は、前記第２の端部に向かう延出方向に、前記中心軸に垂直な平面に対して８７°以上、９０°以下の範囲内の鋭角を成して延出する外側襞先端部を有することを特徴とする請求項１から３８のいずれか１項に記載のフィルタカートリッジ。
【請求項４０】
（ａ）前記媒体は、前記第２の端部に隣接して複数の内側襞を備え、前記複数の内側襞の各々は、前記第１の端部に向かう延出方向に、前記中心軸に垂直な平面に対して８７°以下の角度を成して延出する内側襞先端部を有することを特徴とする請求項１から３９のいずれか１項に記載のフィルタカートリッジ。
【請求項４１】
（ａ）前記媒体は、外側襞先端部を有する複数の外側襞と、内側襞先端部を有する複数の内側襞とを備え、
（ｉ）前記内側襞先端部は、前記第２の端部から前記第１の端部に向かう延出方向に、前記中心軸に垂直な平面に対して第１の角度を成して延出し、
（ｉｉ）前記外側襞先端部は、前記第２の端部から前記第１の端部に向かう延出方向に、前記中心軸に垂直な平面に対して第２の角度を成して延出し、
（ｉｉｉ）前記第１の角度は、前記第２の角度より少なくとも２°小さいことを特徴とする請求項１から４０のいずれか１項に記載のフィルタカートリッジ。
【請求項４２】
（ａ）前記第１の角度は、前記第２の角度より少なくとも３°小さいことを特徴とする請求項４１記載のフィルタカートリッジ。
【請求項４３】
（ａ）前記第１の角度は、前記第２の角度より少なくとも４°小さいことを特徴とする請求項４１及び４２のいずれか１項に記載のフィルタカートリッジ。
【請求項４４】
（ａ）前記フィルタカートリッジは、前記媒体の前記第１の端部に隣接する端部で開放していることを特徴とする請求項１から４３のいずれか１項に記載のフィルタカートリッジ。
【請求項４５】
（ａ）半径方向に向いたハウジングシール構造を含むことを特徴とする請求項１から４４のいずれか１項に記載のフィルタカートリッジ。
【請求項４６】
（ａ）前記半径方向に向いたハウジングシール構造は、半径方向外側に向いたハウジングシール構造であることを特徴とする請求項４５記載のフィルタカートリッジ。
【請求項４７】
（ａ）Ｏリングを備える半径方向に向いたハウジングシール構造を含むことを特徴とする請求項１から４６のいずれか１項に記載のフィルタカートリッジ。
【請求項４８】
（ａ）前記媒体の前記第２の端部から前記第１の端部に向かって延設された媒体支持体を含むことを特徴とする請求項１から４７のいずれか１項に記載のフィルタカートリッジ。
【請求項４９】
（ａ）前記媒体は、外面及び内面を有し、
（ｂ）前記媒体支持体は、第１の端部及び第２の端部を有し、
（ｃ）前記媒体支持体は、前記媒体支持体の前記第１の端部と前記第２の端部との間の距離の少なくとも５０％で前記媒体に対する半径方向支持がない状態で、すなわち前記媒体の前記内面の隣接部分から半径方向内側へ突出するように、前記媒体の前記外面に沿って延設されることを特徴とする請求項４８記載のフィルタカートリッジ。
【請求項５０】
（ａ）前記媒体支持体は、前記媒体の第１の端部から２０ｍｍ以内に開放端部を含み、且つ前記媒体の第２の端部に隣接して端部材を含むことを特徴とする請求項４８及び４９のいずれか１項に記載のフィルタカートリッジ。
【請求項５１】
（ａ）前記媒体支持体の前記端部材は、弾性クッション部材で裏張りされた中央開口部を含むことを特徴とする請求項５０記載のフィルタカートリッジ。
【請求項５２】
（ａ）前記媒体支持体の前記端部材は、半径方向突起及び半径方向凹部が交互に配列された外周部を有する端部材であり、前記半径方向凹部は、前記半径方向突起の最も外側の部分から少なくとも１０ｍｍ半径方向内側へ延びていることを特徴とする請求項５０及び５１のいずれか１項に記載のフィルタカートリッジ。
【請求項５３】
（ａ）前記媒体支持体の前記端部材は、半径方向突起及び半径方向凹部が交互に配列された外周部を有する端部材であり、前記半径方向凹部は、前記半径方向突起の最も外側の部分から少なくとも１５ｍｍ半径方向内側へ延びていることを特徴とする請求項５０から５２のいずれか１項に記載のフィルタカートリッジ。
【請求項５４】
（ａ）前記媒体支持体の前記端部材は、複数の半径方向凹部を備えた外周部を有する端部材であり、前記複数の半径方向凹部の各々は、前記媒体支持体の前記閉鎖端部の最も外側の部分と中心軸との間の半径方向距離の少なくとも３０％だけ前記中心軸に向かって延びていることを特徴とする請求項５０から５３のいずれか１項に記載のフィルタカートリッジ。
【請求項５５】
（ａ）前記媒体支持体の前記端部材は、複数の半径方向凹部を備えた外周部を有する端部材であり、前記複数の半径方向凹部の各々は、前記媒体支持体の前記閉鎖端部の最も外側の部分と中心軸との間の半径方向距離の少なくとも３５％だけ前記中心軸に向かって延びていることを特徴とする請求項５０から５４のいずれか１項に記載のフィルタカートリッジ。
【請求項５６】
（ａ）前記媒体支持体の前記端部材は、複数の半径方向凹部を備えた外周部を有する端部材であり、前記複数の半径方向凹部の各々は、前記媒体支持体の前記閉鎖端部の最も外側の部分と中心軸との間の半径方向距離の少なくとも４０％だけ前記中心軸に向かって延びていることを特徴とする請求項５０から５５のいずれか１項に記載のフィルタカートリッジ。
【請求項５７】
（ａ）前記媒体支持体の前記端部材は、軸方向に突出する受け入れ凹部を備えた内面を含み、
（ｉ）前記軸方向に突出する受け入れ凹部は、前記媒体の第１の端部から離間する軸方向に突出することを特徴とする請求項５０から５６のいずれか１項に記載のフィルタカートリッジ。
【請求項５８】
（ａ）前記媒体支持体の前記端部材は、外側中央突起を取り囲む中央受け入れ溝を備えた外面を含み、
（ｉ）前記外側中央突起は、前記媒体の前記第１の端部から軸方向に離間する方向に突出することを特徴とする請求項５０から５７のいずれか１項に記載のフィルタカートリッジ。
【請求項５９】
（ａ）前記外側中央突起は、弾性クッション部材で裏張りされた貫通する開口部を含むことを特徴とする請求項５８記載のフィルタカートリッジ。
【請求項６０】
（ａ）前記中央受け入れ溝は、前記媒体支持体の前記閉鎖端部の直接取り囲む部分から前記媒体の前記第１の端部に向かって軸方向に少なくとも５ｍｍの深さであることを特徴とする請求項５８及び５９のいずれか１項に記載のフィルタカートリッジ。
【請求項６１】
（ａ）前記外側中央突起は、前記媒体の前記第１の端部から前記媒体の前記第２の端部を軸方向に越える部位に配置された先端部まで突出することを特徴とする請求項５８から６０のいずれか１項に記載のフィルタカートリッジ。
【請求項６２】
（ａ）前記外側中央突起は、前記閉鎖端部の直接取り囲む部分から前記開放端部から軸方向に離間する方向に少なくとも５ｍｍの先端部まで突出することを特徴とする請求項５８から６１のいずれか１項に記載のフィルタカートリッジ。
【請求項６３】
（ａ）前記外側中央突起は、前記端部材の直接取り囲む部分から前記開放端部から軸方向に離間する方向に少なくとも１０ｍｍの部位に配置された先端部まで突出することを特徴とする請求項５８から６２のいずれか１項に記載のフィルタカートリッジ。
【請求項６４】
（ａ）前記媒体支持体は、前記媒体の前記第２の端部から前記媒体の前記第１の端部に向かう方向に延設された複数の長手方向リブを含むことを特徴とする請求項５８から６３のいずれか１項に記載のフィルタカートリッジ。
【請求項６５】
（ａ）前記複数の長手方向リブの各々は、前記媒体の外側襞先端部に沿って延設され且つ前記外側襞先端部と係合することを特徴とする請求項６４記載のフィルタカートリッジ。
【請求項６６】
（ａ）前記媒体支持体は、前記媒体の外面を取り囲む少なくとも１つの中間襞スペーサを含み、前記中間襞スペーサは、隣接する媒体襞の間に延設された半径方向突起を有することを特徴とする請求項５８から６５のいずれか１項に記載のフィルタカートリッジ。
【請求項６７】
（ａ）前記媒体支持体は、前記媒体の外面を取り囲む複数の中間襞スペーサを含み、前記中間襞スペーサは、隣接する媒体襞の間に延設された半径方向突起を有することを特徴とする請求項５８から６３のいずれか１項に記載のフィルタカートリッジ。
【請求項６８】
（ａ）前記媒体の第１の端部から５０ｍｍ以内で前記媒体を取り囲むシール支持リングを含み、
（ｉ）前記シール支持リングはＯリング受け入れ溝を含み、
（ｉｉ）前記シール支持リングは、前記Ｏリング受け入れ溝に隣接する部位から前記媒体の前記第１の端部に向かう延設方向に沿って半径方向内側へ徐々に細くなる複数の離間して配置された半径方向膨張ガセットを含むことを特徴とする請求項１から６７のいずれか１項に記載のフィルタカートリッジ。
【請求項６９】
（ａ）前記媒体の第２の端部に隣接して端部材を含み、前記端部材は、前記媒体の第１の端部とは逆向きに向いた外面と、前記媒体の第１の端部に向いた内面とを含み、
（ｉ）前記端部材の前記内面は、前記媒体の端部から離間する方向に延設された中央凹部を有し、
（ｉｉ）前記中央凹部は、貫通する開口部を備えた先端部を有する中央突起により規定され、
（ｂ）前記中央凹部及び突起に配置され且つ前記中央突起の前記先端部の前記開口部を閉鎖する弾性クッション部材構造を含み、
（ｉ）前記クッション部材構造は、前記中央凹部の中にクッション受け入れ領域を規定し、
（ｉｉ）前記クッション部材構造は、前記開口部の前記中央凹部とは反対の側に配置された外側半径方向突起部材を含むことを特徴とする請求項１から６８のいずれか１項に記載のフィルタカートリッジ。
【請求項７０】
フィルタカートリッジであって、
（ａ）開放された内部空間を取り囲み且つ第１の端部及び第２の端部を有する延設媒体と、
（ｂ）前記媒体の前記第２の端部に隣接する端部材とを備え、前記端部材は、前記媒体の前記第１の端部とは逆向きに向いた外面と、前記媒体の前記第１の端部に向いた内面とを含み、
（ｉ）前記端部材の前記内面は、前記媒体の端部から離間する方向に延設された中央凹部を有し、
（ｉｉ）前記中央凹部は、貫通する開口部を備えた先端部を有する中央突起により規定され、
（ｃ）前記中央凹部及びそれを貫通する中央突起に配置され且つ前記中央突起の前記先端部の前記開口部を閉鎖するクッション部材構造を備え、
（ｉ）前記クッション部材構造は、前記中央凹部の中にクッション受け入れ領域を規定し、
（ｉｉ）前記クッション部材構造は、前記中央凹部に対して前記開口部の前記中央凹部とは反対の側に配置された外側半径方向突起部材を含むことを特徴とするフィルタカートリッジ。
【請求項７１】
（ａ）前記クッション部材構造の前記半径方向突起部材は、少なくとも１５ｍｍの最大半径方向断面寸法を有することを特徴とする請求項６９及び７０のいずれか１項に記載のフィルタカートリッジ。
【請求項７２】
（ａ）前記クッション部材構造の前記半径方向突起部材は、少なくとも１８ｍｍの最大半径方向断面寸法を有することを特徴とする請求項６９から７１のいずれか１項に記載のフィルタカートリッジ。
【請求項７３】
（ａ）前記クッション部材構造の前記半径方向突起部材は、１５〜３０ｍｍの範囲内の最大半径方向断面寸法を有することを特徴とする請求項６９から７２のいずれか１項に記載のフィルタカートリッジ。
【請求項７４】
（ａ）前記クッション部材構造の前記半径方向突起部材は、２５ｍｍ以下の最大半径方向断面寸法を有することを特徴とする請求項６９から７３のいずれか１項に記載のフィルタカートリッジ。
【請求項７５】
（ａ）前記クッション部材構造の前記半径方向突起部材は、前記中央突起の前記先端部より少なくとも０．５ｍｍ大きい最大半径方向断面寸法を有することを特徴とする請求項６９から７４のいずれか１項に記載のフィルタカートリッジ。
【請求項７６】
（ａ）前記クッション部材構造の前記半径方向突起部材は、前記中央突起の前記先端部より少なくとも１ｍｍ大きい最大半径方向断面寸法を有することを特徴とする請求項６９から７５のいずれか１項に記載のフィルタカートリッジ。
【請求項７７】
（ａ）前記クッション部材構造の前記半径方向突起部材は、円形の外周部を有することを特徴とする請求項６４から７６にいずれか１項に記載のフィルタカートリッジ。
【請求項７８】
（ａ）前記クッション部材構造は、１つの一体成形グロメット部材を備えることを特徴とする請求項６９から７４のいずれか１項に記載のフィルタカートリッジ。
【請求項７９】
（ａ）前記クッション部材構造は、８０ショアＡを超えない硬度を有する１つのグロメットを備えることを特徴とする請求項６９から７８のいずれか１項に記載のフィルタカートリッジ。
【請求項８０】
（ａ）前記クッション部材構造は、５０〜８０ショアＡの範囲内の硬度を有する１つのグロメットを備えることを特徴とする請求項６９〜７９のいずれか１項に記載のフィルタカートリッジ。
【請求項８１】
（ａ）前記媒体の前記第２の端部に隣接する前記端部材は、円形の外周部を有することを特徴とする請求項７０記載のフィルタカートリッジ。
【請求項８２】
（ａ）前記媒体に、前記第１の端部から前記第２の端部まで広がりが変化しない襞深さで襞が形成されることを特徴とする請求項８１記載のフィルタカートリッジ。
【請求項８３】
（ａ）前記媒体の前記第２の端部の前記端部材で、前記中央突起は、前記中央突起の周囲に配置された受け入れ溝により取り囲まれ、受け入れ溝は、前記中央突起の最も内側の端部に隣接する部位に、前記溝の内側端部で少なくとも４ｍｍであり且つ２５ｍｍ以下の断面寸法を規定するように前記中央突起から離間して配置された外壁を有することを特徴とする請求項７０から８２のいずれか１項に記載のフィルタカートリッジ。
【請求項８４】
（ａ）前記媒体に、前記第１の端部から前記第２の端部まで広がりが変化しない襞深さで襞が形成されることを特徴とする請求項７０から８３のいずれか１項に記載のフィルタカートリッジ。
【請求項８５】
ガスフィルタアセンブリであって、
（ａ）内部空間、ガス流れ入口及びガス流れ出口を規定するハウジングを備え、
（ｉ）前記ハウジングは、ハウジングベース部分及び取り外し可能なアクセスカバーを含み、
（ｂ）前記ハウジングの内部空間の中に動作可能且つ取り外し可能に配置された請求項１から８４の少なくとも１項に記載のセーフティフィルタカートリッジと、
（ｃ）開放されたフィルタ内部空間を取り囲む媒体を備えた主フィルタカートリッジとを更に備え、
（ｉ）前記主フィルタカートリッジは、前記セーフティカートリッジの媒体が前記主フィルタカートリッジの前記開放された内部空間の中へ突出するように前記ハウジングの前記内部空間の中に動作可能且つ取り外し可能に配置されることを特徴とするガスフィルタアセンブリ。
【請求項８６】
（ａ）前記ハウジングは、前記ハウジングベース部分に、前記アクセスカバーに向いた中央カートリッジ支持体を含み、
（ｂ）前記セーフティフィルタカートリッジは、前記中央カートリッジ支持体が前記セーフティフィルタカートリッジの開放されたフィルタ内部空間の中へ突出するように配置されることを特徴とする請求項８５記載のガスフィルタアセンブリ。
【請求項８７】
（ａ）前記中央カートリッジ支持体は、前記アクセスカバーに向いた中央カートリッジ支持体端部を含み、
（ｉ）前記中央カートリッジ支持体端部は中央突起を含み、
（ｂ）前記セーフティフィルタカートリッジは、前記中央カートリッジ支持体の前記中央突起が延出する受け入れ凹部を有する内面を含み、
（ｉ）弾性クッション部材の一部は、前記セーフティフィルタカートリッジの前記受け入れ凹部の中に設けられ且つ前記弾性クッション部材は、前記中央カートリッジ支持体の前記中央突起の周囲に配置されることを特徴とする請求項８６記載のガスフィルタアセンブリ。
【請求項８８】
（ａ）前記中央カートリッジ支持体は、前記アクセスカバーに向いた中央カートリッジ支持体端部を含み、
（ｉ）前記中央カートリッジ支持体端部は中央突起を含み、
（ｂ）前記セーフティフィルタカートリッジは、前記アクセスカバーに向き且つ貫通する開口部を備えた先端部を有する突起を含む端部を含み、
（ｉ）前記中央カートリッジ支持体の前記中央突起は、前記セーフティフィルタカートリッジの前記突起の前記先端部の前記開口部を完全に貫通して突出することを特徴とする請求項８６及び８７のいずれか１項に記載のガスフィルタアセンブリ。
【請求項８９】
（ａ）前記セーフティフィルタカートリッジの前記突起の前記先端部の前記開口部は、前記開口部を通って突出する弾性クッション部材により閉鎖されることを特徴とする請求項８８記載のガスフィルタアセンブリ。
【請求項９０】
（ａ）前記セーフティフィルタカートリッジに設けられ、前記中央カートリッジ支持体の前記中央突起の周囲に解放可能に密封係合する弾性クッション部材を含むことを特徴とする請求項８７から８９のいずれか１項に記載のガスフィルタアセンブリ。
【請求項９１】
（ａ）前記中央カートリッジ支持体の前記中央突起は、先端部及びネック部分を含み、
（ｉ）前記ネック部分は、前記中央カートリッジ支持体の前記先端部に隣接する部位の前記中央突起の寸法より狭い横断面寸法を有することを特徴とする請求項８８から９０のいずれか１項に記載のガスフィルタアセンブリ。
【請求項９２】
（ａ）前記中央カートリッジ支持体の前記中央突起の前記先端部と前記セーフティフィルタカートリッジとの間に、前記先端部及び前記ネック部分により締まりばめが規定されることを特徴とする請求項９１記載のガスフィルタアセンブリ。
【請求項９３】
（ａ）前記セーフティフィルタカートリッジの弾性クッション部材は、前記カートリッジ支持体の前記中央突起の先端部にある開口部を通って突出するグロメットを備え、
（ｉ）前記グロメットは前記先端部の前記開口部を閉鎖し、
（ｂ）前記グロメットは、前記開口部の前記中央凹部とは反対の側に配置された外側半径方向突起部材を含み、
（ｃ）前記主フィルタカートリッジは、前記グロメットの前記外側半径方向突起部材を取り囲み且つ前記外側半径方向突起部材と締まりばめ係合する受け入れ部分を備えた端部を含むことを特徴とする請求項８７から９０のいずれか１項に記載のガスフィルタアセンブリ。
【請求項９４】
（ａ）前記グロメットの前記外側半径方向突起部材は、中心軸の周囲で３６０°連続的に接触する状態で前記主フィルタカートリッジの前記受け入れ部分と接触することを特徴とする請求項９３記載のガスフィルタアセンブリ。
【請求項９５】
（ａ）前記ハウジングは、セーフティフィルタカートリッジ端部受け入れ凹部を取り囲むシールフランジを含み、
（ｂ）前記セーフティフィルタカートリッジは、前記媒体の前記第１の端部が前記セーフティフィルタカートリッジ端部受け入れ凹部の中へ突出するような状態で配置されることを特徴とする請求項８５から９４のいずれか１項に記載のガスフィルタアセンブリ。
【請求項９６】
（ａ）前記セーフティフィルタカートリッジ端部受け入れ凹部は、１５ｍｍ以下の最大半径方向幅を有し、
（ｂ）前記セーフティフィルタカートリッジは、第２の端部に隣接して、１５ｍｍを超える襞深さを有することを特徴とする請求項９５記載のガスフィルタアセンブリ。
【請求項９７】
（ａ）前記媒体の前記第１の端部では、前記セーフティフィルタカートリッジに襞が形成されないことを特徴とする請求項９５及び９６のいずれか１項に記載のガスフィルタアセンブリ。
【請求項９８】
（ａ）前記セーフティフィルタカートリッジの前記媒体の前記第１の端部は、キャップが設けられない少なくとも０．５ｍｍの延出長さの先端部を有する自由端部であり、且つ前記セーフティフィルタカートリッジの媒体支持構造は半径方向に配置されないことを特徴とする請求項９５から９７のいずれか１項に記載のガスフィルタアセンブリ。
【請求項９９】
（ａ）前記セーフティフィルタカートリッジ端部受け入れ凹部は、前記シールフランジと中央カートリッジ支持体のベース端部との間に配置され、
（ｉ）前記中央カートリッジ支持体は、前記セーフティフィルタカートリッジから離間し且つハウジングの前記アクセスカバーに向かって突出する部位に配置されることを特徴とする請求項９５から９８のいずれか１項に記載のガスフィルタアセンブリ。
【請求項１００】
（ａ）前記主フィルタカートリッジの前記媒体は、第１の端部及び第２の端部を有し、
（ｉ）前記主フィルタカートリッジの前記媒体は、前記第１の端部から前記第２の端部へ延出する間に横断面の寸法が縮小する内側周囲部を有することを特徴とする請求項８５から９９のいずれか１項に記載のガスフィルタアセンブリ。
【請求項１０１】
（ａ）前記主フィルタカートリッジは、前記第１の端部に隣接する第１の端部材及び前記第２の端部に向くように配置された第２の端部材を含み、
（ｉ）前記第１の端部材は開口しており、
（ｉｉ）前記第２の端部材は閉鎖され、前記媒体の前記第２の端部から前記媒体の前記第１の端部に向かって、前記媒体の前記第２の端部から前記媒体の前記第１の端部までの距離の少なくとも１５％の長さで突出する中央突起を含むことを特徴とする請求項１００記載のガスフィルタアセンブリ。
【請求項１０２】
（ａ）前記主フィルタカートリッジは、前記第１の端部に隣接する第１の端部材及び前記第２の端部に向かって離間して配置された第２の端部材を含み、
（ｉ）前記第１の端部材は開放されており、
（ｉｉ）前記第２の端部材は閉鎖され、前記媒体の前記第２の端部から前記媒体の前記第１の端部に向かって、前記媒体の前記第２の端部から前記媒体の前記第１の端部までの距離の少なくとも２０％の長さで突出する中央突起を含むことを特徴とする請求項８５から１０１のいずれか１項に記載のガスフィルタアセンブリ。
【請求項１０３】
（ａ）前記セーフティフィルタカートリッジは、前記主フィルタカートリッジの前記開放されたフィルタ内部空間の中へ、前記主フィルタカートリッジの前記第１の端部から前記主フィルタカートリッジの前記第２の端部までの距離の９０％以下の部位まで突出することを特徴とする請求項１００から１０２のいずれか１項に記載のガスフィルタアセンブリ。
【請求項１０４】
（ａ）前記セーフティフィルタカートリッジは、前記主フィルタカートリッジの前記開放されたフィルタ内部空間の中へ、前記主フィルタカートリッジの前記第１の端部から前記主フィルタカートリッジの前記第２の端部までの距離の８５％以下の部位まで突出することを特徴とする請求項１００から１０３のいずれか１項に記載のガスフィルタアセンブリ。
【請求項１０５】
（ａ）前記セーフティカートリッジの前記媒体の前記第２の端部の周囲の部位に、前記主フィルタカートリッジと前記セーフティカートリッジとの間の８ｍｍを超えない間隔が存在することを特徴とする請求項１００から１０４のいずれか１項に記載のガスフィルタアセンブリ。
【請求項１０６】
（ａ）前記ハウジングは、前記ハウジングベース部分に、前記アクセスカバーに向いた中央カートリッジ支持体を含み、
（ｂ）前記セーフティフィルタカートリッジは、前記中央カートリッジ支持体が前記セーフティフィルタカートリッジの開放されたフィルタ内部空間の中へ突出するような状態で配置され
（ｃ）前記セーフティフィルタカートリッジは、アクセスカバーに向いた端部を含み、前記端部は、前記カートリッジ支持体の前記中央突起が突出する凹部を有し、
（ｉ）前記セーフティフィルタカートリッジの前記受け入れ凹部は、前記アクセスカバーに向いた突起により規定され、
（ｄ）前記セーフティフィルタカートリッジの前記受け入れ凹部に、前記中央カートリッジ支持体の前記中央突起の周囲に沿って弾性クッション部材が設けられ、
（ｅ）前記主フィルタカートリッジは、受け入れ凹部を備えた内面を有する閉鎖端部材を含み、
（ｉ）前記カートリッジ支持体の前記中央突起及び前記セーフティフィルタカートリッジの前記受け入れ凹部を規定する前記セーフティフィルタカートリッジの前記突起は、前記主フィルタカートリッジの前記閉鎖端部材の前記内面にある前記受け入れ凹部の中へ突出することを特徴とする請求項８５から１０５のいずれか１項に記載のガスフィルタアセンブリ。
【請求項１０７】
（ａ）前記ハウジングは、前記ハウジングベース部分に、前記アクセスカバーに向いた中央カートリッジ支持体を含み、
（ｂ）前記セーフティフィルタカートリッジは、前記中央カートリッジ支持体が前記セーフティフィルタカートリッジの開放されたフィルタ内部空間の中へ突出するような状態で配置され、
（ｃ）前記セーフティフィルタカートリッジの前記受け入れ凹部に、前記中央カートリッジ支持体の前記中央突起の周囲に沿って弾性クッション部材が設けられ、
（ｄ）前記セーフティフィルタカートリッジは、前記アクセスカバーに向いた端部を含み、前記端部は、中央突起を取り囲む受け入れ溝を備えた外面を有し、
（ｅ）前記主フィルタカートリッジは、前記セーフティカートリッジの前記端部の前記外面にある前記受け入れ溝の中へ延出する突起を備えた内面を有する閉鎖端部材を含むことを特徴とする請求項８６から１０６のいずれか１項に記載のガスフィルタアセンブリ。
【請求項１０８】
ガスフィルタアセンブリであって、
（ａ）内部空間、ガス流れ入口及びガス流れ出口を規定するハウジングを備え、
（ｉ）前記ハウジングは、ハウジングベース部分及び取り外し可能なアクセスカバーを含み、
（ｉｉ）前記ハウジングは、前記ハウジングベース部分に、前記アクセスカバーに向いた中央カートリッジ支持体を含み、
（ｂ）前記中央カートリッジ支持体を覆うように配置されたセーフティフィルタカートリッジを備え、前記セーフティフィルタは、第１の端部及び第２の端部を有し、中心軸を取り囲み且つ開放された内部空間を規定する媒体を備え、
（ｉ）前記第１の端部に、前記媒体は、深さが３ｍｍ以下の襞を含まず、
（ｉｉ）前記第２の端部に、前記媒体は、各々が少なくとも１０ｍｍの襞深さを有する複数の襞を備え、
（ｃ）中心軸を取り囲み且つ開放された内部空間を規定する媒体を備えた主フィルタカートリッジを備え、
（ｉ）前記第１の端部と前記第２の端部との間に延出して前記媒体に襞が形成され、
（ｉｉ）前記媒体は、前記第１の端部から前記第２の端部に向かって内側へ延出して細くなるように形成され、
（ｉｉｉ）前記主フィルタカートリッジは、前記媒体の前記第１の端部に第１の開放端部材を含み、
（Ａ）前記第１の端部材に半径方向内側に向いたハウジングシールが配置され、
（ｉｖ）前記主フィルタカートリッジは、前記媒体の前記第２の端部に閉鎖端部材を含み、
（Ａ）前記閉鎖端部材は、前記媒体の前記第１の端部に向かって、前記媒体の前記第２の端部と前記媒体の前記第１の端部との間の距離の少なくとも１５％の部位まで延出する中央突起を含むことを特徴とするガスフィルタアセンブリ。
【請求項１０９】
（ａ）前記閉鎖端部材は、前記媒体の前記第１の端部に向かって、前記媒体の前記第２の端部と前記媒体の前記第１の端部との間の距離の少なくとも２０％の部位まで延出する中央突起を含むことを特徴とする請求項１０８記載のガスフィルタアセンブリ。
【請求項１１０】
（ａ）前記閉鎖端部材は、前記媒体の前記第１の端部に向かって、前記媒体の前記第２の端部と前記媒体の前記第１の端部との間の距離の少なくとも２５％の部位まで延出する中央突起を含むことを特徴とする請求項１０８及び１０９のいずれか１項に記載のガスフィルタアセンブリ。
【請求項１１１】
（ａ）前記セーフティフィルタカートリッジは、請求項１から８４のいずれか１項に記載のセーフティフィルタカートリッジであることを特徴とする請求項１０８から１１０のいずれか１項に記載のガスフィルタアセンブリ。
【請求項１１２】
（ａ）前記アセンブリも請求項８５から１０７のいずれか１項に記載のアセンブリであることを特徴とする請求項１０８から１１１のいずれか１項に記載のガスフィルタアセンブリ。
【請求項１１３】
ガスフィルタアセンブリであって、
（ａ）内部空間、ガス流れ入口、ガス流れ出口及びシールフランジを規定するハウジングを備え、
（ｉ）前記ハウジングは、ハウジングベース部分及び取り外し可能なアクセスカバーを含み、
（ｂ）前記ハウジングの前記内部空間に配置された主フィルタカートリッジ支持体を備え、
（ｉ）主カートリッジ支持体は、前記ガス流れ出口から離れた部位に端部を含み、
（ｃ）前記主カートリッジ支持体の前記ガス流れ出口から離れた部位にある前記端部に配置された弾性クッション部材を備え、
（ｉ）前記弾性クッション部材は、外側半径方向突起部材を含み、
（ｄ）開放されたフィルタ内部空間を取り囲む媒体を備えた主フィルタカートリッジを備え、
（ｉ）前記媒体は、第１の端部と第２の端部との間に延設され、
（ｉｉ）前記主フィルタカートリッジは、前記媒体の前記第１の端部に隣接して、ハウジングシール部材を有する開放端部を含み、
（Ａ）前記ハウジングシール部材は、半径方向に向いたシール部材を備え、
（ｉｉｉ）前記主フィルタカートリッジは、前記開放端部から離れた部位に閉鎖端部を含み、
（Ａ）前記フィルタカートリッジの前記閉鎖端部は、前記出口半径方向突起部材により取り囲まれ且つ前記出口半径方向突起部材と解放可能に締まりばめ係合するように配置された受け入れ部分を含むことを特徴とするガスフィルタアセンブリ。
【請求項１１４】
（ａ）前記主フィルタカートリッジ支持体は、前記ガスフィルタアセンブリの中に取り外し可能に配置されたセーフティフィルタカートリッジを備えることを特徴とする請求項１１３記載のガスフィルタアセンブリ。
【請求項１１５】
（ａ）前記セーフティフィルタカートリッジは、請求項１から８４のいずれか１項に記載のセーフティフィルタカートリッジであることを特徴とする請求項１１４記載のガスフィルタアセンブリ。
【請求項１１６】
（ａ）前記ハウジングは中央カートリッジ支持体を含み、
（ｂ）前記セーフティフィルタは、前記中央カートリッジ支持体を覆うように取り外し可能に配置されることを特徴とする請求項１１４及び１１５のいずれか１項に記載のガスフィルタアセンブリ。
【請求項１１７】
（ａ）前記アセンブリも、請求項８５から１１２のいずれか１項に記載のアセンブリであることを特徴とする請求項１１４から１１６のいずれか１項に記載のガスフィルタアセンブリ。
【請求項１１８】
（ａ）前記主フィルタカートリッジは、請求項１２５記載の主フィルタカートリッジであることを特徴とする請求項１１３から１１７のいずれか１項に記載のガスフィルタアセンブリ。
【請求項１１９】
（ａ）前記主フィルタカートリッジは、請求項１２６から１３６のいずれか１項に記載の主フィルタカートリッジであることを特徴とする請求項１１８記載のガスフィルタアセンブリ。
【請求項１２０】
（ａ）前記主フィルタカートリッジは、請求項１３６から１３８のいずれか１項に記載の主フィルタカートリッジであることを特徴とする請求項１１８及び１１９のいずれか１項に記載のガスフィルタアセンブリ。
【請求項１２１】
（ａ）前記主フィルタカートリッジは、請求項１３９から１４１のいずれか１項に記載の主フィルタカートリッジであることを特徴とする請求項１１８から１２０のいずれか１項に記載のガスフィルタアセンブリ。
【請求項１２２】
（ａ）前記主フィルタカートリッジは、請求項１４２の方法に従って設置されることを特徴とする請求項１１５から１２１のいずれか１項に記載のガスフィルタアセンブリ。
【請求項１２３】
ガスフィルタアセンブリのハウジングであって、前記ハウジングは、
（ａ）内部空間及びガス流れ出口を規定し、
（ｉ）前記ハウジングは、ハウジングベース部分及び取り外し可能なアクセスカバーを含み、
（ｂ）前記ハウジングは、前記ハウジングベース部分に、前記アクセスカバーに向いた中央カートリッジ支持体を含み、
（ｃ）前記中央カートリッジ支持体は、前記アクセスカバーに向いたカートリッジ支持端部を含み、前記カートリッジ指示端部は、先端部及びネック部分を備えた中央突起を有し、
（ｉ）前記ネック部分は、前記先端部に隣接する部位の前記中央カートリッジ支持体の前記中央突起の寸法より狭い横断面寸法を有することを特徴とするハウジング。
【請求項１２４】
（ａ）セーフティフィルタカートリッジを規定する前記中央カートリッジ支持体の端部を取り囲むシールフランジと、２５ｍｍを超えない最大半径方向幅を有する受け入れ凹部とを含むことを特徴とする請求項１２３記載のハウジング。
【請求項１２５】
エアクリーナハウジングの中に配置されたクッション部材を覆い且つ前記クッション部材と解放可能に支持係合するようにエアクリーナハウジングに取り外し可能に設置される主エアフィルタカートリッジであって、
（ａ）開放された内部空間及び中心軸を取り囲み且つ規定する媒体を備え、
（ｉ）前記媒体は、第１の端部と第２の端部との間に延設され、
（ｂ）前記媒体の前記第１の端部にある第１の端部材を備え、
（ｉ）前記第１の端部材は、前記第１の端部材を貫通し且つ前記開放されたフィルタ内部空間と連通する中央空気流れ開口部を有し、
（ｃ）前記第１の端部材に設けられ且つ前記中央空気流れ開口部を取り囲む半径方向に向いたハウジングシール構造を備え、
（ｄ）前記媒体の前記第１の端部から前記媒体の前記第２の端部に向かって離間された部位で前記フィルタカートリッジに沿って延設され且つ前記フィルタカートリッジを閉鎖する中央閉鎖部材を備え、
（ｉ）前記中央閉鎖部材は、内面及び外面を有し、
（ｉｉ）前記中央閉鎖部材の前記内面は、前記外面の周囲中央突起の内面により規定される中央凹部を規定し、
（Ａ）前記中央凹部は、設置中に、ハウジング内部に配置される弾性クッション部材と解放可能に支持係合するための選択された部位で、１２〜２６ｍｍの範囲内の最大横断面寸法を有する弾性クッション部材係合側壁部分を含み、
（ｉｉｉ）前記中央閉鎖部材の前記外面は、前記中央突起を取り囲む受け入れ溝を有し、
（Ａ）前記受け入れ溝は、リング先端部で接合された内側壁と外側壁との間に規定され、
（１）前記内側壁は、前記中央突起の一部を備え、
（２）前記リング先端部は、３０ｍｍを超えない外側幅を有し、
（３）前記溝は、前記外側壁に関して少なくとも１０ｍｍの深さであることを特徴とする主エアフィルタカートリッジ。
【請求項１２６】
（ａ）前記弾性クッション部材係合側壁部分は、前記中心軸に垂直な方向に切断した場合に円形の横断面を有する内面部分を規定することを特徴とする請求項１２５記載の主フィルタカートリッジ。
【請求項１２７】
（ａ）前記弾性クッション部材係合側壁部分は、設置中、弾性クッション部材と係合する部位で、中心軸に対して、０．５°以上、７°以下の範囲内のテーパ角度を有する内面部分を規定することを特徴とする請求項１２５及び１２６のいずれか１項に記載の主フィルタカートリッジ。
【請求項１２８】
（ａ）前記弾性クッション部材係合側壁部分は、設置中、弾性クッション部材と係合する部位で、少なくとも１°の範囲内のテーパ角度を有する内面部分を規定することを特徴とする請求項１２７のいずれか１項に記載の主フィルタカートリッジ。
【請求項１２９】
（ａ）前記受け入れ溝は、最も内側の部分で３０ｍｍを超えない幅を有することを特徴とする請求項１２７及び１２８のいずれか１項に記載の主フィルタカートリッジ。
【請求項１３０】
（ａ）前記受け入れ溝は、最も内側の部分で２５ｍｍを超えない幅を有することを特徴とする請求項１２８及び１２９のいずれか１項に記載の主フィルタカートリッジ。
【請求項１３１】
（ａ）前記受け入れ溝は、１２ｍｍを超えない幅を有することを特徴とする請求項１２９及び１３０のいずれか１項に記載の主フィルタカートリッジ。
【請求項１３２】
（ａ）前記受け入れ溝の前記外側壁は、前記中心軸に垂直な平面に対して少なくとも４０°の角度で外側にテーパしていることを特徴とする請求項１２５から１３１のいずれか１項に記載の主エアフィルタカートリッジ。
【請求項１３３】
（ａ）前記受け入れ溝の前記外側壁は、前記中心軸に垂直な平面に対して少なくとも５０°の角度で外側にテーパしていることを特徴とする請求項１３２記載の主エアフィルタカートリッジ。
【請求項１３４】
（ａ）前記受け入れ溝の前記外側壁は、前記中心軸に垂直な平面に対して少なくとも６０°の角度で外側にテーパしていることを特徴とする請求項１３２記載の主エアフィルタカートリッジ。
【請求項１３５】
（ａ）前記ハウジングシール構造は、半径方向内側に向いたハウジングシール部材を備えることを特徴とする請求項１２５から１３４のいずれか１項に記載の主フィルタカートリッジ。
【請求項１３６】
（ａ）前記ハウジングシール部材は、前記媒体により取り囲まれる部位に配置されることを特徴とする請求項１３１記載の主フィルタカートリッジ。
【請求項１３７】
（ａ）前記媒体は、前記第１の端部から前記第２の端部への延設において下方へテーパされていることを特徴とする請求項１２５から１３６のいずれか１項に記載の主エアフィルタカートリッジ。
【請求項１３８】
（ａ）前記媒体に襞が形成されることを特徴とする請求項１２５から１３７のいずれか１項に記載の主エアフィルタカートリッジ。
【請求項１３９】
（ａ）前記リング先端部は、前記媒体の前記第２の端部から前記媒体の前記第１の端部に向かって少なくとも５％の部位まで突出することを特徴とする請求項１２５から１３８のいずれか１項に記載の主フィルタカートリッジ。
【請求項１４０】
（ａ）前記リング先端部は、前記媒体の前記第２の端部から前記媒体の前記第１の端部に向かって少なくとも１０％の部位まで突出することを特徴とする請求項１２５から１３８のいずれか１項に記載の主フィルタカートリッジ。
【請求項１４１】
（ａ）前記リング先端部は、前記媒体の前記第２の端部から前記媒体の前記第１の端部に向かって少なくとも２０％の部位まで突出することを特徴とする請求項１２５から１４０のいずれか１項に記載の主フィルタカートリッジ。
【請求項１４２】
請求項１２５から１４１のいずれか１項に記載の主エアフィルタカートリッジをエアクリーナアセンブリのハウジングに設置する方法であって、
（ａ）（ｉ）ハウジングシール構造が前記エアクリーナアセンブリと解放可能に密封係合し、
（ｉｉ）弾性クッション部材が中央閉鎖部材の中央突起により規定される中央凹部の内面と解放可能に支持係合するまで、前記弾性クッション部材を有する支持体に前記主エアフィルタカートリッジを押し込む工程を備えることを特徴とする方法。
【請求項１４３】
（ａ）前記弾性クッション部材は、請求項１から８４のいずれか１項に記載のセーフティカートリッジに配置されることを特徴とする請求項１４２記載の方法。
【請求項１４４】
（ａ）前記エアクリーナアセンブリは、請求項８５から１２２のいずれか１項に記載のフィルタアセンブリであることを特徴とする請求項１４２及び１４３のいずれか１項に記載の方法。
【発明の詳細な説明】
【技術分野】
【０００１】
本発明は、フィルタアセンブリ、フィルタカートリッジ、特徴及び技術に関する。説明される特定の選択された特徴及び技術は、エアフィルタ構造及びアセンブリ又は他のガスフィルタ構造及びアセンブリの二次フィルタカートリッジ又はセーフティフィルタカートリッジとして特に好都合であるように又はそれと共に使用するために構成される。また、好都合な主フィルタカートリッジ及び好都合なフィルタアセンブリも説明される。選択されたフィルタカートリッジ、フィルタアセンブリ及び組み立て方法の好適な特徴が説明される。
【背景技術】
【０００２】
ガスフィルタは多様なアセンブリ及びシステムで使用されている。例えば、多様な車両及び他の機器の吸気を濾過することが望ましい。通常、吸気は内燃機関、多くの場合にディーゼル機関の燃焼空気である。濾過は、一般に、ハウジング及びその内部に配置されたフィルタカートリッジ構造を通常含むガス（エア）クリーナアセンブリ（すなわちフィルタアセンブリ）によって実行される。フィルタカートリッジ構造は、通常主フィルタカートリッジを含み、空気は主フィルタカートリッジを通過し、主フィルタカートリッジは、空気と共に搬送されてきた微粒子材料が主フィルタカートリッジのフィルタ媒体に付着することによって動作される。多様なエアクリーナアセンブリにおいて、主フィルタカートリッジ及びアセンブリのその他の構成要素は、通常の動作中の主フィルタカートリッジの媒体を通過する空気流れの方向に関して、濾過中に外から中に向かう流れを発生するように構成される。その場合、主フィルタカートリッジの媒体は、通常媒体の清浄空気側である開放されたフィルタ内部空間を取り囲むように構成される。
【０００３】
多くの場合、フィルタアセンブリの中にセーフティフィルタカートリッジ又は二次フィルタカートリッジが含まれる。濾過中に外から中に向かう流れを発生するように構成されたアセンブリと共にセーフティフィルタカートリッジ又は二次フィルタカートリッジが使用される場合、セーフティフィルタは、フィルタの媒体が開放されたフィルタ内部空間を取り囲み且つ主フィルタカートリッジの開放されたフィルタ（清浄ガス）内部空間の中へ突出するように通常構成される。従って、ガス（空気）は、主フィルタカートリッジの媒体を通過した後のガス（空気）がエアクリーナの出口に向かって誘導される間にセーフティフィルタカートリッジの媒体を通過する。
【０００４】
典型的なアセンブリでは、主フィルタカートリッジ及びセーフティフィルタカートリッジは、共に点検が必要な構成要素として構成される。すなわち、それらのフィルタカートリッジは、エアクリーナアセンブリから取り外し可能であり且つ交換可能であるように構成される。そのため、各フィルタカートリッジは、解放可能なハウジングシール、すなわち、２つのフィルタカートリッジが適正且つ動作可能に位置決めされた場合、ハウジング又はエアクリーナアセンブリの一部に取り外し可能に当接するシールを通常備える。そのようなシールは、係合するカートリッジ又はハウジング構成要素に損傷を与えずに設置及び取り外しが可能であることから、「解放可能」シールと呼ばれる場合もある。
【０００５】
上記のような一般的構造を使用できる多様なアセンブリが開発されている。その例は、本明細書に参考として取り入れられ且つ本発明の所有者であるミネソタ州ブルーミントンのＤｏｎａｌｄｓｏｎ  Ｃｏ．，  Ｉｎｃ．により所有されている国際公開第ＷＯ２００９／１４９８６Ａ１号及び第ＷＯ２０１２／１１６３１４Ａ１号である。
【０００６】
セーフティフィルタカートリッジ又は二次フィルタカートリッジの構成に関連する問題点は、通常、セーフティフィルタは主フィルタカートリッジの中に封入され、しかもエアクリーナアセンブリ又はハウジングの特徴に取り外し可能に密封されるような部位に配置されなければならないという条件がガスフィルタアセンブリに要求されるために、セーフティフィルタの大きさ及び形状が制限されることと、安全性を損なわずに主フィルタを点検できるようにすることが好ましく、望ましいことである。改善が求められている。
【０００７】
更に、セーフティフィルタカートリッジ支持体又は他のカートリッジ支持体が設けられる場合に支持体と適切に相互作用させ、適切なハウジングと相互作用させ、且つ安全に設置でき、組み立てに便利なようにすることなどの多様な問題点に関して、主フィルタカートリッジの特徴の改善も一般に求められている。本明細書において特徴を示される構造は、選択された用途で、この問題を軽減する。
【０００８】
加えて、本明細書において、使用、組み立て及び操作に都合のよいハウジングを含めた選択された特徴及びフィルタアセンブリが説明される。方法も説明される。
【発明の概要】
【０００９】
本発明によれば、エアクリーナアセンブリのようなフィルタアセンブリのいくつかの有利な特徴が提供される。選択された有利な特徴は、そのようなアセンブリの多様な構成要素に関する。説明され且つ開示される選択された特徴は、主フィルタカートリッジ、ハウジング及び二次フィルタカートリッジ又はセーフティフィルタカートリッジのうち１つ以上に関する。本発明に係る何らかの利益を得るために、説明される構成要素のすべてに関する有利な特徴のすべてを実現することは特定して要求されていない。
【００１０】
本発明の１つの態様によれば、通常は媒体が主フィルタカートリッジの開放された内部空間に突出するような向きで配置されることにより二次フィルタカートリッジ又はセーフティフィルタカートリッジとして使用されるフィルタカートリッジが提供される。セーフティフィルタカートリッジ又は二次フィルタカートリッジは、通常は開放されたフィルタ内部空間を取り囲み且つ第１の端部及び第２の端部を有する延設媒体を備える。好適な構成において、第１の端部で、媒体は襞を含まないか、襞が形成される場合でも、深さが約３ｍｍを超える襞、更に好ましくは深さが２ｍｍを超える襞を含まない。しかし、多くの好適な用途において、第２の端部では、少なくとも５ｍｍ、典型的には少なくとも１０ｍｍ、多くの場合に少なくとも１５ｍｍの襞深さを有する襞が媒体に形成される。
【００１１】
この全体的な媒体及び襞構成は、以下に説明するように、付加的な多様な特徴を有するフィルタカートリッジに設けられ、相当に大きな利点を示すことができる。更に、主フィルタカートリッジの特徴及び／又はフィルタアセンブリの特徴と一般に有利に組み合わせることができる。
【００１２】
本発明の別の態様によれば、フィルタカートリッジ、特に二次セーフティフィルタカートリッジを所定の部位に都合よく固着するために媒体支持体で使用可能ないくつかの特徴及び技術が説明される。これは、先に示した好適な襞構造と組み合わせて、あるいは別の構成で必要に応じて使用可能である。図示される一実施形態では、カートリッジのフレームの一端部は、貫通する開口部を含み、この開口部は裏張りされ、場合によっては、クッション及び／又はシール（グロメット）部材により閉鎖される。ハウジングは、クッション及び／又はシール部材と係合するまで突出する構造を含むという利点を有してもよい。また、主カートリッジは、クッション及び／又はシール部材と係合する特徴を含むという利点を有してもよい。
【００１３】
更に、好適なフィルタカートリッジの選択された好都合な構造特徴、例えば媒体支持体の特徴が説明される。これは、先に説明した種々の特徴と関連させて、あるいは単独で都合よく使用されてもよい。
【００１４】
本明細書において説明される特徴に従ってフィルタカートリッジを組み立てる方法も提供される。方法は、所望のフィルタカートリッジを効率よく実現するために都合よく使用されてもよい。
【００１５】
本発明によれば、好適なフィルタカートリッジと共に使用するように特定して且つ都合よく構成された特徴を含むフィルタアセンブリが示され且つ説明される。また、本明細書において特徴を示される構成要素と共に使用するのに特に適合する主フィルタカートリッジ又は一次フィルタカートリッジの構成が説明される。更に、主フィルタカートリッジを設置する方法も説明される。
【００１６】
本発明に係る何らかの利益を得るために、特定して特徴を示され、特に本章で特徴を示されたすべての特徴をフィルタカートリッジ又はフィルタ構成要素が含むことは特定して要求されていない。更に、特に指示のない限り、セーフティフィルタカートリッジ又は二次フィルタカートリッジに関連して本明細書において説明される特徴が、代替フィルタカートリッジではなく、セーフティフィルタカートリッジでのみ実現されるということは特定して要求されていない。また、空気の濾過に関連して技術を説明するが、他の種類のガスフィルタ又は他の媒体の濾過に技術が適用されることも可能である。しかし、技術は、エアフィルタへの適用、特に二次フィルタカートリッジ又はセーフティフィルタカートリッジ及びハウジングの中央支持体位置のいずれか一方又は双方を含むエアフィルタへの適用に合わせて特に開発され、特にその用途に有利である。
【図面の簡単な説明】
【００１７】
図１〜図１５の一般的特徴は、本明細書に参考として取り入れられている２０１３年３月１５日出願の米国特許出願第１３／８４１，４４０号に含まれていたものである。
【図１】図１は、図２の線１−１にほぼ沿った本発明に係るフィルタカートリッジを示す概略横断面図である。
【図１Ａ】図１Ａは、図１の指示された第１の部分を示す拡大部分概略図である。
【図１Ｂ】図１Ｂは、図１の指示された第２の部分を示す拡大部分概略図である。
【図１Ｃ】図１Ｃは、図１Ｄのフィルタカートリッジのいくつかの任意の変形を示す図１と同様の概略横断面図である。
【図１Ｄ】図１Ｄは、図１Ｃの指示された部分を示す拡大部分概略図である。
【図１Ｅ】図１Ｅは、図１Ｃの指示された部分を示す拡大部分概略図である。
【図２】図２は、図１の図／向きの上端部に向かって見た場合の図１のフィルタカートリッジを示す概略拡大端面図である。
【図２Ａ】図２Ａは、図１Ｃに示されるようなカートリッジを示す図２に類似する図である。
【図３】図３は、図１の図／向きの底端部に向かって見た場合の図１のフィルタカートリッジを示す第２の概略拡大端面図である。
【図４】図４は、図１のフィルタカートリッジを示す概略展開図である。
【図５】図５は、図１のカートリッジのフレーム部材構成要素を示す概略斜視図である。
【図６】図６は、図５の図／向きの上端部に向かって見た場合の図５のフレーム部材を示す概略端面図である。
【図７】図７は、図６の線７‐７にほぼ沿った図５のフレーム部材を示す概略横断面図である。
【図８】図８は、図１のフィルタカートリッジのフィルタ媒体構成要素を示す概略斜視図である。
【図９】図９は、図８の図／向きの上端部に向かって見た場合の図８のフィルタ媒体構成要素を示す概略端面図である。
【図９Ａ】図９Ａは、選択された寸法を示す図９にほぼ類似する図である。
【図１０】図１０は、図８の媒体構成要素を示す概略側面図である。
【図１１】図１１は、本発明に係る図１〜図１０によるカートリッジを含んでもよいエアクリーナアセンブリで使用するためのハウジングの一実施形態を示す概略横断面図である。
【図１１Ａ】図１１Ａは、図１１の選択された部分を示す概略拡大部分図である。
【図１１Ｂ】図１１Ｂは、図１１の第２の選択された部分を示す拡大概略部分図である。
【図１２】図１２は、図１〜図１０にほぼ従ったセーフティカートリッジが設置されている本発明に係るフィルタアセンブリのハウジングを示す概略横断面図である。
【図１２Ａ】図１２Ａは、図１２の選択された部分を示す拡大部分概略図である。
【図１２Ｂ】図１２Ｂは、図１２の選択された部分を示す拡大部分概略図である。
【図１２Ｃ】図１２Ｃは、選択された寸法を示す図１２にほぼ類似する概略図である。
【図１３】図１３は、図１〜図１０に従って主フィルタカートリッジ及びセーフティフィルタカートリッジが設置されている本発明に係るエアクリーナアセンブリを示す概略横断面図である。
【図１３Ａ】図１３Ａは、図１３の指示された部分を示す拡大概略部分図である。
【図１３Ｂ】図１３Ｂは、図１３の第２の指示された部分を示す拡大部分概略図である。
【図１４】図１４は、本発明の原理に従って使用可能な図１１に示されるハウジングに代わるハウジングを示す概略横断面図である。
【図１５】図１５は、本発明に係る構造において使用可能な図１３に示されるカートリッジに代わる主フィルタカートリッジを示す概略横断面図である。  以下に示す図１６〜図５７は、本明細書に参考として取り入れられている先に挙げた種々の優先権書類には含まれていなかった。
【図１６】図１６は、本発明の選択された特徴に従った選択された構成要素を含むエアクリーナアセンブリを示す概略展開斜視図である。
【図１７】図１７は、図１６のエアクリーナアセンブリを示す概略側面図である。
【図１８】図１８は、図１７のエアクリーナアセンブリを示す概略端面平面図である。
【図１９】図１９は、図１７のエアクリーナアセンブリを示す概略底面平面図である。
【図２０】図２０は、図１７のエアクリーナアセンブリを示す概略出口端面図である。
【図２１】図２１は、図１６〜図２０の主フィルタカートリッジ構成要素を示す概略斜視図である。
【図２２】図２２は、図２１のフィルタカートリッジを示す概略開放端部平面図である。
【図２３】図２３は、いくつかの部分が破断された横断面図で示される図２１のフィルタカートリッジの概略側面図である。
【図２４】図２４は、図２１のフィルタカートリッジを示す概略横断面図である。
【図２５】図２５は、図２１のフィルタカートリッジを示す概略展開斜視図である。
【図２６】図２６は、図２１のフィルタカートリッジの内側ライナ構成要素を示す概略横断面図である。
【図２７】図２７は、図２６のライナ構成要素を示す開放端部平面図である。
【図２８】図２８は、図２６のライナ構成要素を示す概略閉鎖端部端面図である。
【図２９】図２９は、図２６のライナ構成要素を示す概略斜視図である。
【図３０】図３０は、閉鎖端部に隣接して切断した場合の図２９のライナ構成要素を示す拡大部分概略横断面図である。
【図３１】図３１は、図１６〜図２０のエアクリーナアセンブリのハウジング本体構成要素を示す概略展開斜視図である。
【図３２】図３２は、図３１のハウジング本体の中央支持部材を示す概略斜視図である。
【図３３】図３３は、図３２の支持構成要素を示す概略横断面図である。
【図３４】図３４は、図３３の指示された部分を示す概略拡大部分図である。
【図３５】図３５は、図３２の支持構成要素を示す概略閉鎖端部斜視図である。
【図３６】図３６は、図３３の支持構成要素を示す概略開放端部斜視図である。
【図３７】図３７は、図１６〜図２０のエアクリーナアセンブリの二次フィルタ構成要素又はセーフティフィルタ構成要素を示す展開斜視図である。
【図３８】図３８は、一部が破断された横断面図で示される図３７のフィルタカートリッジ構成要素の側面図である。
【図３９】図３９は、図３７及び図３８の二次フィルタカートリッジ構成要素又はセーフティフィルタカートリッジ構成要素を示す閉鎖端部平面図である。
【図４０】図４０は、図３８の指示された部分を示す拡大部分概略横断面図である。
【図４１】図４１は、図３７及び図３８のカートリッジのグロメット又は弾性クッション構成要素を示す拡大斜視図である。
【図４２】図４２は、図４１の構成要素を示す概略横断面図である。
【図４３】図４３は、図４２の構成要素を示す概略開放端部平面図である。
【図４４】図４４は、図３７の二次フィルタカートリッジ構成要素又はセーフティフィルタカートリッジ構成要素を示す概略側面図である。
【図４５】図４５は、いくつかの部分が破断されている図４４のカートリッジを示す概略閉鎖端部部分横断面図である。
【図４５Ａ】図４５Ａは、図４５の指示された部分を示す拡大部分概略横断面図である。
【図４６】図４６は、図１６〜図２０に従ったエアクリーナアセンブリの選択された部分を示す拡大部分概略横断面図である。
【図４７】図４７は、図１６〜図２０に従ったエアクリーナアセンブリの一部を示す拡大部分概略横断面図である。
【図４８】図４８は、本発明に係る別のエアクリーナアセンブリを示す概略側面図である。
【図４９】図４９は、図４８のエアクリーナアセンブリを示す概略展開斜視図である。
【図５０】図５０は、図４８のエアクリーナアセンブリを示す概略横断面図である。
【図５１】図５１は、図５０の指示された部分を示す拡大部分概略横断面図である。
【図５２】図５２は、図５０の指示された部分を示す拡大部分概略横断面図である。
【図５３】図５３は、本発明に係る別のエアクリーナアセンブリを示す概略側面図である。
【図５４】図５４は、図５３のエアクリーナアセンブリを示す概略展開斜視図である。
【図５５】図５５は、図５３及び図５４のエアクリーナアセンブリを示す概略横断面図である。
【図５６】図５６は、図５５の一部を示す拡大部分概略横断面図である。
【図５７】図５７は、図５５の一部を示す拡大部分概略横断面図である。
【発明を実施するための形態】
【００１８】
Ｉ．改善された二次フィルタカートリッジ又はセーフティフィルタカートリッジ全般、図１〜図１０
Ａ．フィルタアセンブリにおけるセーフティカートリッジ又は二次カートリッジに関する更なる詳細全般、いくつかの選択された重大な問題点
先に示したように、本発明の大半の部分は、二次フィルタカートリッジ構造又はアセンブリ、あるいはセーフティフィルタカートリッジ構造又はアセンブリで都合よく使用できるように特に適応された特徴及び技術に関するが、本発明の技術は他の用途にも適用可能である。技術は、例えば、本明細書に参考として取り入れられている国際公開第ＷＯ２００９／０１４９８６Ａ１号又は第ＷＯ２０１２／１１６３１４Ａ１号に全般的に説明されている特徴を有するエアクリーナアセンブリのようなエアクリーナアセンブリでの使用に関連して理解することができる。
【００１９】
一般に、そのようなフィルタアセンブリは、エアクリーナハウジング及び一次フィルタカートリッジ又は主フィルタカートリッジを備える。主フィルタカートリッジは、開放されたフィルタ内部空間を取り囲む媒体を通常備える。アセンブリは、通常、主フィルタカートリッジの媒体を通過するガス（空気）の流れの方向に関して濾過中に「外から中へ」の流れを発生するように構成される。この点に関して、「外から中へ」の流れという用語は、濾過中、主フィルタカートリッジを通過する流れが、一般にカートリッジの外側の領域から入って主カートリッジの媒体を通過し、媒体により取り囲まれた主カートリッジの開放されたフィルタ内部空間に入ることを意味する。従って、主フィルタカートリッジの開放された内部空間は、清浄空気領域である。
【００２０】
主フィルタカートリッジは、使用中に汚染物質が蓄積するように配置されるので、通常は保守可能構成要素として構成される。従って、ハウジングは、通常ハウジング本体又はハウジングベース部分とアクセスカバーとを有する構成であり、アクセスカバーは内部の保守のために取り外しが可能な保守可能カバーである。主フィルタカートリッジは、通常ハウジングの内部に取り外し可能に設置されるように構成される。これを実現するために、主フィルタカートリッジは解放可能ハウジングシールを有する。この点に関して、「解放可能」は、主カートリッジが設置されるときにハウジング（又はアセンブリ）の選択された部分と係合することによりシールが形成され、カートリッジがハウジングから取り外される場合にはシールが容易に取り除かれ、解放されることを意味する。そのような「解放可能」シールは、主フィルタカートリッジ又はハウジングのいずれにも損傷を与えずに分離又は除去が可能である。
【００２１】
主フィルタカートリッジの構成に関連する多くの特徴は、容量などに制限があっても、負荷に対してフィルタ媒体の表面積を所望の量だけ確実に利用できるようにすること、シールが適正に確立され且つ維持されるようにハウジングシールを構成すること、カートリッジの設置ミスが起こらないようにすること及び／又は不注意によって不適切な別のカートリッジがシステムに設置されないようにすることに関する。これらの問題に対処するために、国際公開第ＷＯ２００９／０１４９８６Ａ１号及び／又は第ＷＯ２０１２／１１６３１４Ａ１号で説明される一般的構成を含めて、多様な構成が開発されている。
【００２２】
例えばエアクリーナアセンブリのハウジングは、主フィルタカートリッジの開放された内部空間と連通する出口空気（ガス）導管又は管を通常備える。従って、主フィルタカートリッジのハウジングシールは、通常、出口流れ管に対して密封されるか、あるいは出口流れ導管又は管が連通する容量を取り囲むハウジングの部分に対して密封される。この場合、主カートリッジのシールが解放可能に係合するエアクリーナアセンブリの部分は、ハウジング構造のその他の部分から分離可能な出口であるか又はハウジング構造の他の部分と一体の何らかの構造であるかに関わらず、ハウジングの一部と呼ばれる。
【００２３】
多くのシステムにおいて、エアクリーナアセンブリは保守可能なセーフティフィルタカートリッジ又は二次フィルタカートリッジを備えることが望ましい。セーフティカートリッジ又は二次カートリッジは、通常、主フィルタカートリッジとフィルタアセンブリ（ハウジング）からの濾過済み空気（ガス）の排出流れ出口との間の空気（ガス）の流路に配置される。主フィルタカートリッジが濾過中に「外から中へ向かう流れ」を発生する構成である場合、これは、セーフティカートリッジ又は二次カートリッジの少なくとも一部が主フィルタカートリッジの内部空間の中に通常向いていることを意味する。
【００２４】
この場合、「二次」又は「セーフティ」という用語は、主フィルタカートリッジの下流側に媒体を伴って配置されるフィルタカートリッジに関連して使用される場合、区別を示す意味合いではなく、互換性を持って使用されることである。
【００２５】
セーフティフィルタカートリッジは、主フィルタカートリッジから独立したオプションの保守可能構成要素であるのが好ましい。すなわち、主フィルタカートリッジは、オプションのセーフティカートリッジを取り外すことなく（更に好ましくは適正な取り付け部位からずらす必要なく）ハウジングに設置すること及びハウジングから取り外すことが可能であり、主フィルタカートリッジの保守時に、オプションのセーフティフィルタカートリッジを保守しなくてもよいことを意味する。
【００２６】
主カートリッジとセーフティカートリッジがそれぞれ独立していることは、いくつかの理由により効果的である。１つの利点は、主カートリッジの保守時に、セーフティカートリッジを所定の部位に保持できるので、例えばハウジングの内部空間が清浄されている間のガス（エア）クリーナシステムの清浄ガス（空気）プレナムへの塵芥の侵入を回避できる。他の利点は、設置及び組み立てが便利であること、並びに構成要素の製造に便利であることに関する。更に、セーフティカートリッジと比較して、主フィルタカートリッジの保守又は点検のための取り外しが必要になる回数は多いので、カートリッジの分離構成は材料の利用及び廃棄の効率の向上につながる。
【００２７】
セーフティフィルタカートリッジ又は二次フィルタカートリッジの構成及び組み立てに関連していくつかの問題点がある。例えば、多くのエアクリーナアセンブリにおいて、ハウジングとセーフティフィルタカートリッジとの間の密封に利用できるオプションの部位はほとんどない。場合によって利用可能な１つの領域は、ハウジングからのガス出口流れを取り囲むフランジ又は管状面の内部空間（又は外側空間）である。これは、例えば出口流れ管の面であるか、あるいは出口流れ管から離間して、出口流れ管を取り囲む部位でハウジングの中へ突出するフランジの面であると考えられるだろう。
【００２８】
カートリッジがそのようなフランジ又は管で密封される場合、シールは「半径方向に」向いていると言われることがある。これは、密封力がほぼ中心軸の周囲に向かっていることを意味し、密封の力は、ほぼ中心軸に向かう方向又は中心軸から離れる方向に向かう。一般に、参照される中心軸は、関連するカートリッジからの空気流れ出口を通る軸、通常媒体によっても取り囲まれている軸である。使用中にシールを取り囲むハウジング構成要素とシールが係合する場合、シールは「半径方向外側に向いた」及びそれに類似する用語で表されてもよく、シールが使用中にハウジング構成要素を取り囲み且つそれと係合するように構成される場合、シールは「半径方向内側に向いた」又はそれに類似する用語で一般的に特徴づけられてもよい。
【００２９】
半径方向に向いたシールに関連する問題点は、シールがハウジング内部で半径方向に場所をとることである。これにより、カートリッジ及び／又はハウジングから排出されるガス流れが利用できる横断面の面積が縮小され、望ましくない制限が加わる可能性がある。
【００３０】
この問題を可能な限り軽減するために、セーフティカートリッジが使用されるハウジングを十分に大きく形成できるのはもちろんであるが、主フィルタカートリッジの表面積及び媒体の容量を可能な限り適度に大きくするのが好ましいこと、エアクリーナを可能な限り適度に小型化、軽量化するのが好ましいこと、コスト及び材料の問題、並びに構成要素の取り扱い及び発送に関わる問題点などにより、制限が課されている。
【００３１】
空気流れに対してセーフティカートリッジにより規定される横断面が縮小されることによって課される制限の問題は、この章で示されるように、シール面から中心軸に向かう二次フィルタカートリッジ又はセーフティフィルタカートリッジの半径方向の寸法（幅）、すなわちハウジングと密封可能に係合するように位置する半径方向シールの部分に関連する。一般に、セーフティフィルタカートリッジの一端部を通ってハウジングの出口に至る出口流れの横断面の大きさを可能な限り適度な大きさに維持するように、セーフティカートリッジ構造のこの半径方向幅、すなわち延出部分の量を可能な限り適度に小さく維持することが望ましい。
【００３２】
セーフティカートリッジに関わるこの問題に対処するために、多様な技術が実現されている。国際公開第ＷＯ２０１２／１１６３１４号に示される一例は、媒体が占める半径方向寸法の量を制限するようにセーフティカートリッジを襞無媒体から構成することを含む。このような技術は、多種多様なセーフティフィルタ要素構成又は二次フィルタ要素構成で適用されている。
【００３３】
しかし、襞無媒体から引き起こされる問題もある。特に襞無媒体はセーフティフィルタにおいて濾過に利用できる媒体の表面積の量を制限する。一般的に言えば、フィルタカートリッジで利用可能な媒体の表面積は、利用可能な容積と同じ大きさであるのが好ましい。これにより、媒体は好都合な面速度を有するようになる。媒体の面速度は、一般に媒体を通過するガスの流量を媒体の上流側表面積で除算した値である。媒体の表面積が小さくなれば、面速度は速くなる。いくつかの理由により、速い面速度は遅い面速度より通常望ましくない。例えば、通常面速度が速いと、エアクリーナアセンブリを通過する空気流れに大きな制限が加わるようになり、これは機器の動作及びフィルタの寿命に関して望ましくない。また、面速度が速くなると、粒子が媒体を貫通して、清浄空気（ガス）プレナムにまで到達する可能性が高くなる。
【００３４】
所定の外周サイズを有する襞無媒体が同一の外周サイズを規定する（すなわち襞の存在を無視した外周サイズ）襞付き媒体より速い面速度を有することは理解できる。しかし、襞を付けるとカートリッジの半径方向幅寸法を広げることになり、その結果、カートリッジ及びアセンブリから外側へ流れるガス流れに対する制限が大きくなるので、媒体に襞を導入することは、一般に特定の二次フィルタには望ましくない方法であった。次の章では、これらの問題をバランスよく且つ都合よく解決するために適用できる選択されたフィルタカートリッジの特徴を説明する。
【００３５】
更に、特に使用中に主カートリッジの開放された内部空間の中へ突出するセーフティカートリッジの場合、主カートリッジから出てガス流れ出口に向かって誘導されるガス流れは、二次カートリッジの形状特徴により影響を受ける可能性がある。次の章では、更に望ましい流れ特性を実現できる好都合な形状特徴を説明する。これは、制限の増加を抑制するのを助け且つ更に望ましいフィルタアセンブリ動作を提供できる。
【００３６】
主フィルタカートリッジがカートリッジの出口端部から遠い側の端部に向かって下方へ次第に細くなる形状になっている場合、二次フィルタシステム又はセーフティフィルタシステムが利用できる表面積が制限されるという問題はいっそう深刻になる。これは、主フィルタカートリッジの内側へのテーパによって、空気流れ出口から遠い側の主フィルタカートリッジの端部に隣接して、セーフティフィルタが突出できる横断面の面積が縮小されるからである。本明細書において説明される技術は、多様なシステムにおいて、このような問題点に対処するために都合よく適用可能である。
【００３７】
Ｂ．フィルタ媒体構成の一実施形態、図１〜図１０
図１の図中符号１は、本発明に係る選択された任意の改善に従ったフィルタカートリッジの一実施形態の全体を示す。図示される実施形態のフィルタカートリッジ１は、例えば動作中に主フィルタカートリッジを「外から中に向かう」流れが通過するように構成されたアセンブリで使用されるセーフティフィルタカートリッジ又は二次フィルタカートリッジで使用すると好都合である特徴を備える構成であり、この場合、二次フィルタカートリッジは、ハウジング構成要素の管又は（フランジ）の面に対して半径方向に密封されるように構成され、セーフティフィルタカートリッジの媒体は、主カートリッジの開放されたフィルタ内部空間の中へ突出する。しかし、本明細書において説明される選択された好都合な特徴が多様な別の用途／構成に適用されてもよいことは理解されるだろう。
【００３８】
図１を参照すると、図示されるフィルタカートリッジ１は、第１の媒体端部３と第２の媒体端部４との間に延設された媒体２の延設部分２ｅを備える。一般的な用語で言えば、媒体２は中心軸Ｘを取り囲み、媒体２の清浄ガス（空気）側に相当する開放された内部空間２ｉを規定する。
【００３９】
第１の媒体端部３は、フィルタカートリッジ１のフィルタ及びガスの出口端部に配置される。すなわち媒体の端部３は、使用中に濾過済みガス流れに対して、フィルタカートリッジ１の開放出口流れ端部７に対応する。ガス流れ出口に対する制限が増すことを妥当な程度まで回避するように、フィルタカートリッジ１を相対的に小さな半径方向（幅）寸法に維持することが最も望まれるのは、端部７に隣接する領域である。
【００４０】
好都合な開口部７を提供するために、媒体２の端部３には襞が形成されないか又は最小限の襞が形成されるのが好ましい。この点に関して、「最小限の襞が形成される」は、端部３に多少の襞が存在する場合でも、襞の深さが３ｍｍを超えないことを意味する。このように規定される襞は、２ｍｍを超えない襞深さの襞であるのが好ましく、１ｍｍを超えないのが更に好ましい。この点に関して、「襞深さ」は、中心軸Ｘに向かう方向に最も外側の周囲部分から半径方向内側への襞の寸法を表す。端部３では、媒体２にまったく襞が形成されないこと、すなわち襞深さが存在しないことが最も好ましい。
【００４１】
しかし、先に説明したように、媒体２の面速度を妥当な限り低く保つことが望ましい。従って、端部３の襞深さは最小限又は０であることが望ましいという事実にもかかわらず、媒体２は襞付き構成を有することが望ましい。これに対応するため、第２の端部４に隣接して規定される襞が、媒体２に形成される。襞は、端部４から端部３に向かう襞延設方向に襞深さが減少するような襞として規定されるのが好ましい。そのような襞が図１に、例えば図中符号１０で示されており、端部４の襞深さは少なくとも５ｍｍ、好ましくは少なくとも１０ｍｍ、しばしば少なくとも１５ｍｍ、多くの場合に２０ｍｍ以上である。実際、典型的な用途では、端部４（すなわち媒体の第２の端部）の襞深さは、１５〜４０ｍｍ程度であるのが典型的であるが、別の深さも可能である。これは、同じ外周サイズを有する襞無媒体が使用される場合の媒体の面積と比較して、少なくとも１０％、典型的には少なくとも２０％、多くの場合に２５％以上大きい媒体面積を提供するために使用できる。
【００４２】
一般的に言えば、第２の端部４に隣接して媒体２に襞が形成され、媒体は、少なくとも５ｍｍ、好ましくは先に規定した通りの襞深さを有する複数の襞を備える。「複数の襞」が先に示した襞の規定で形成されると言う場合、それは、端部４に隣接するあらゆる襞がその規定に従った襞を有していなければならないという意味ではなく、単にそのような規定に従った１組又は複数の襞が存在するという意味である。しかし、図示される典型的な実施形態では、好ましい媒体面積の増加を実現するために、端部４に隣接するすべての襞は、先の段落で示した特徴に従った襞深さを有する。
【００４３】
この規定を提供するために示される媒体構成の一実施形態は、図８を参照することにより理解できる。図８を参照すると、軸Ｘを取り囲み、本実施形態では襞のない（又は最小限の襞が形成された）第１の端部３と反対側の第２の端部４との間に延設された媒体２が示される。第２の端部４は、複数の内側に向いた（内側）襞１０と、複数の外側に向いた（外側）襞１１とを備え、内側襞１０と外側襞１１は交互に配列される。本発明に係る原理の典型的な用途において、媒体２は少なくとも５つの内側襞１０と、少なくとも５つの外側襞１１とを備え、典型的には各襞の数はそれぞれ約１５を超えない。典型的な数は約６つ以上、１２以下の範囲内であるが、別の数も可能である。
【００４４】
本明細書において説明される技術は、襞が別の数である場合にも適用可能であり、襞の数は、何らかの利点を得る上で決定的ではない。しかし、望ましいガス流れ特性を実現し且つ望ましくないガス流れへの制限を回避するためには、半径方向外側に向いた、すなわち外周部に沿った相対的に襞幅の広い相対的に少ない数（１２以下）の襞が有利であると言える。
【００４５】
図９及び図９Ａの媒体端部４に向かって見た図を参照すると、典型的には、外側襞１１は、襞１１ごとに少なくとも３ｍｍ、典型的には少なくとも４ｍｍ、例えば典型的には４ｍｍ以上、１１ｍｍ以下の半径を端部４で規定し、鋭くとがった襞先端部ではなく、ほぼ幅広で丸形の襞先端部を有する。これは、構成を形成することに関して好都合であるが、別の構成も可能である。しかし、内側襞１０は、通常外側襞より尖り、小さな曲率半径で形成される。内側襞の先端部の典型的な半径は、３ｍｍ以下、多くの場合に２ｍｍ以下だろう。
【００４６】
図示されるように、外側襞１１は、典型的には相対的に幅広であるのが好ましい。これは、端部４に隣接する図９の襞１１の両側１１ａ、１１ｂが互いに少なくとも１０°、典型的には少なくとも１５°、例えば１５°以上、３０°以下の範囲内の角度でほぼ広がっていること、及び／又は最も外側の襞先端部１１ｔから約１５ｍｍ以下の選択された距離の中で、襞側面１１ａ、１１ｂが互いに少なくとも８ｍｍ、通常は少なくとも１０ｍｍ、多くの場合に１０〜２０ｍｍの離間距離に達することを意味する。
【００４７】
外側襞１１の外側先端部１１ｔは相対的に幅広で丸形であるので、以下に説明するように、支持構造と係合するための外側表面積は広くなる。少なくともこの理由により、襞先端部１１ｔが鋭くとがった形状になることを避けるのが望ましい。内側襞１０ｔが相対的に鋭い形状であることは、組み立て及び製造に便利であると共に、望ましい媒体特性及び流れ特性を提供する。
【００４８】
尚、図９を参照すると、端部４に隣接して、外側襞先端部１１ｔはかなり広い角度で離間しており、その間隔は（中心で）、中心軸Ｘの周囲で少なくとも３０°、典型的には３０°以上、５０°以下（通常は３５°以上、５０°以下）である。この間隔（外側襞先端部１１ｔから外側襞先端部１１ｔまで）の大きさは、典型的には少なくとも２０ｍｍ、通常は少なくとも３０ｍｍ、例えば３５ｍｍ以上、５５ｍｍ以下である。また、端部４に隣接する内側襞先端部は、かなり広く、典型的には３０°、多くの場合に少なくとも３５°、通常は３５°以上、５０°以下の幅で離間している。これにより、外側部分１１ｃと、内側部分１０ｃとに長く幅の広い流路が形成され、この流路に沿ってガスは出口端部３に向かって流れることができる。これは、ガス流れに対する制限の問題への対処に関して望ましい構造を提供し、表面積の拡張及び面速度の低下という利点が得られるにもかかわらず過剰な数の襞（１２を超える数及び典型的には１０以下）を設けないことが望ましい理由である。
【００４９】
図９Ａには、いくつかの寸法例が、ＺＸ＝半径１．５ｍｍ、ＺＹ＝半径８ｍｍ、ＺＷ＝直径１２４．７ｍｍ、ＺＣ＝２ｍｍ、ＹＡ＝１１９ｍｍ及びＹＢ＝１２４．７ｍｍとして提示される。
【００５０】
図１０において、寸法例は、ＡＥ＝３７９ｍｍ、ＡＦ＝１２４．７ｍｍである。
【００５１】
Ｃ．媒体支持体及びフィルタカートリッジの特徴、図１〜図７
典型的には、外側襞１１の最も外側の先端部１１ｔ及び複数の襞１０の最も内側の先端部１０ｔは、端部４から端部３に向かう方向にほぼまっすぐに延出する。典型的には、外側襞先端部１１ｔは、中心軸Ｘと平行に延出するか、あるいは中心軸Ｘに垂直な平面に関して８８°以上、典型的には８９°以上の鋭角を成して延出するかのいずれかである。典型的には、複数の襞１１の襞先端部１１ｔは、中心軸Ｘに垂直な平面に対して約８８°以上、９０°以下の角度で延出する。
【００５２】
複数の内側襞先端部１０ｔは、典型的には、中心軸Ｘからほぼ半径方向外側へ延出し、中心軸Ｘに垂直な平面に対して８８°以下、典型的には８７°以下、多くの場合に７５°以上、８６°以下の範囲内の鋭角を成して延出する。この延出は、端部４に隣接する部位から端部３に向かって半径方向外側に向かう延出である。
【００５３】
典型的には、複数の外側襞先端部１１ｔ（端部４から端部３に向かう方向にカートリッジ中心軸Ｘに垂直な平面に対して）の延出角度（鋭角）は、カートリッジ中心軸Ｘに垂直な同一の平面に対して且つ同様に端部４に隣接する部位から端部３に向かう方向の複数の内側襞先端部１０ｔの同様の延出角度である鋭角より、少なくとも１°大きく、典型的には少なくとも２°大きく、多くの場合に少なくとも４°大きい。典型的には、端部２２は、媒体の端部４と係合する媒体支持体２０の端部である。端部２１は、カートリッジの端部７及び媒体端部３の方向に、端部２２から遠い側の端部である。典型的には、端部２１は、媒体端部４より媒体端部３に近い位置に配置され、典型的には端部３から５０ｍｍ以内、通常は端部３から４０ｍｍ以内、しばしば端部３から２０ｍｍ以内、多くの場合に端部３から１０ｍｍ以内にある。場合によっては、端部２１は媒体端部３に配置されてもよいが、図示される実施形態において、以下に説明されるように、端部２１は、媒体端部４に向かって媒体端部３からわずかに奥に引っ込んだ位置にある。
【００５４】
図１０には、図８の構成における媒体２の側面図が示される。図１０には、寸法例がＡＥ＝３７９ｍｍ、ＡＦ＝１２４．７ｍｍとして示される。この原理を異なる大きさ及び異なる構造で多様に実現できることは言うまでもない。
【００５５】
図１に示される特定のカートリッジ１では、媒体２は、全体として媒体支持体と呼ばれるフレーム構造２０により支持される。媒体支持体２０は、ほぼ媒体支持体の第１の端部２１と第２の端部２２との間に延設される。媒体支持体によって端部７の付近でカートリッジ１の半径方向厚さ又は寸法が増す程度は、相対的に最小限に抑えられるのが好ましい。図示されるように、端部７（及び支持体の端部２１）の付近に、カートリッジ１はハウジングシール部材２５を有する。図示される実施形態において、ハウジングシール部材２５は、設置中に（周囲の）ハウジング構成要素と共に半径方向（外側）に向いたシールを形成するように構成されたＯリング２６を備える。
【００５６】
典型的には、媒体の端部３及びカートリッジの端部７から５０ｍｍ以内の選択された部位における図１Ａに寸法Ｘにより示されるカートリッジ１の最大半径方向幅の寸法は、シール部材２５の最大半径方向長さに隣接する半径方向寸法である。典型的には、この部位は、媒体の端部３及びカートリッジの端部７から４０ｍｍ以内、通常は媒体の端部３及びカートリッジの端部７から３０ｍｍ以内、最も好ましくはカートリッジの端部７から１５ｍｍ以内にある。
【００５７】
尚、図１Ａを参照すると、図示される実施形態の場合、端部３において媒体２の一部は、支持体２０の端部２１を越えて軸方向に延出する。このオプションの延出長さは、通常は１０ｍｍを超えず、典型的には５ｍｍを超えず、場合によっては３ｍｍ以下であり、２ｍｍ未満、例えば１ｍｍ以下であってもよいが、通常は少なくとも０．５ｍｍであり、効果をもたらすことができるオプションの延出部分である。詳細には、この延出部分は、通常の使用中にカートリッジ１を取り付けることができる支持体の端部に隣接して二次シールを構成するのを助け且つハウジングの隣接端部に対してもシールを構成するのを助けることができる可撓性媒体末端領域を形成する。従って、図１Ａを参照すると、媒体２は、通常端部３において支持体２０のいずれかの部分と直接半径方向に係合せず且つ端部キャップ材料又は同様の材料が埋め込まれておらず、「自由先端部３ｔ」である先端部３ｔを有する。
【００５８】
典型的には、半径方向に見て、端部３及びシール２６の部位で先端部３ｔに隣接するが、典型的には２０ｍｍを超えない距離だけ先端部３ｔから離間する位置にあるカートリッジ１の最も幅の広い部分は、２０ｍｍ以下、典型的には１５ｍｍ以下、多くの場合に１２ｍｍ以下の総幅寸法を有する。これは、同様に図１ＡにＸとして示される寸法であり、構造と密封係合することによるシール２５の歪みを含まない寸法を表す。この寸法は、ハウジングシールに隣接する歪みなしカートリッジ半径方向幅と呼ばれるのが好ましいだろう。図１Ａのこの寸法Ｘは、通常、端部１４に隣接する襞深さより少なくとも５ｍｍ小さく、典型的には少なくとも１０ｍｍ小さく、場合によっては少なくとも１５ｍｍ小さい。
【００５９】
内側襞１０は相対的に尖っていることを特徴とする。これは、端部４に隣接する襞先端部１０ｔが典型的には幅広の丸形ではなく、非常に鋭く尖った形状に規定されるためである。内側襞１０自体は相対的に幅が広くてもよく、例えば、側部１０ａ、１０ｂは、端部４に隣接する部位で内側襞先端部１０ｔから少なくとも３０°、典型的には少なくとも４０°、例えば４０°〜７０°の範囲で広がっていてもよい。
【００６０】
図１Ａを参照すると、支持体２０は、端部２１に隣接して、シール支持体リング、端部リング（シール端部リング）又はシール支持部材２７を含み、シール支持部材２７は、Ｏリング２６などのシールを受け入れるための溝２７ｇを規定する。通常はカートリッジの端部７に隣接して、シール２６と組み合わされて最も幅広の深さ寸法Ｘ（図１Ａ）を示すのは、溝２７ｇを規定する端部材２７の部分である。
【００６１】
図１を再び参照すると、支持体２０は、領域２７で密封支持を実現するだけでなく、媒体２を半径方向に支持する。従って、支持体２０は、支持体端部２１、２２の間に長手方向に延設する媒体支持領域２９を含む。
【００６２】
図示される実施形態の媒体支持体２０の詳細に関して、図５に注目する。以下の説明から理解されるように、構造の変形を実施できることは言うまでもない。
【００６３】
図５には、媒体２及びシール部材２５とは別に支持体２０の実施形態が示される。尚、図５に関して、以下に説明されるカートリッジ１の典型的な組み立て方法では、支持体２０はカートリッジ１と別に製造されるのではない。すなわち、典型的には、カートリッジ１の通常の製造方法の場合、支持体２０は媒体２に対して射出成形される。そのような支持体２０は、場合によっては、本明細書において「モールドインプレース成形」又はそれに類似する用語で特徴付けられる。媒体２とは別に支持体２０の特徴を示す図５により、特定の選択された好適な支持体２０の特徴を理解できる。また、支持体が媒体２にモールドインプレース成形されず、媒体２とは別に形成された後に、カートリッジを形成するために媒体２に設置される構造においても、本明細書において説明される技術及び利点のいくつかを得ることができる。
【００６４】
図５を参照すると、支持体２０は、端部３０ａ、３０ｂの間に延設された複数の長手方向リブ３０を備えた長手方向支持部分２９を含むことがわかる。リブ３０は、図１の中心軸Ｘの周囲に半径方向に互いに離間して配置される。典型的には、リブ３０は、媒体の端部４に隣接する部位から媒体の第１の端部３に向かってその距離の少なくとも５０％、通常は少なくとも７５％、典型的には少なくとも８０％、多くの場合に少なくとも９０％の部位まで延設される。
【００６５】
図５を参照すると、リブ３０の端部３０ａは、ほぼ支持体２０の端部又は端部領域２１に隣接する位置にある。反対側の端部３０ｂは端部２２にほぼ隣接する位置にある。図示される実施形態において、リブ３０は、外側襞先端部１１ｔと係合し且つ外側襞先端部１１ｔに沿って延出するように構成されるのが好ましいので、端部３０ａ、３０ｂの間にまっすぐに延設される。その場合、リブ３０の数は、典型的には外側襞１１の数に対応するが、別の数も可能である。また、典型的には、襞１１が中心軸Ｘの周囲に半径方向に等間隔で配置されるので、リブ３０も同様に等間隔で配置される。別の構造も可能である。リブ３０と襞１１及び襞先端部１１ｔとの係合（及びリブ３０が端部３０ａ、３０ｂの間でほぼまっすぐに延出し、軸Ｘの周囲に半径方向に等間隔で配置されること）は、説明される種類の好適な構成に媒体２及び襞１１を固着するのを助けるので、そのような係合が通常好適である。（襞先端部１１ｔに沿って配置されないリブ３０は存在しないのが好ましい。）
支持体２０を使用する図１のカートリッジ１は、図１には示されないが、図５には図中符号３５で示される襞形状又はスペーサ構造を備える。一般に、襞スペーサ構造３５は、襞間隔／形状を適正に確保するのを助けるために、軸Ｘに向かって、外側襞１１（図８）のうち種々の外側襞の間の空間の中へ半径方向に突出する相対的に剛性の突起を備える構造である。これは、媒体２の襞のつぶれなどを防止するのに有用である。図示される特定の実施形態の場合、襞スペーサ構造３５は、外側スペーサ構造として設けられ、突起は、媒体２の外周部に沿った部位で外側襞１１の間に延出している。
【００６６】
スペーサ構造３５の特徴を説明する場合に使用される用語「外側」は、スペーサ構造がほぼ媒体２の外側の周囲に構成され、襞間隔の位置が外側に延出する襞１１の間にあることを意味する。従って、用語「外側」は、襞スペーサ３５が媒体２の内側ではなく、ほぼ媒体２の外側の周囲にあることを表す。
【００６７】
図５を参照し、一般的な襞スペーサ構造３５を参照すると、アセンブリは少なくとも１つの中間襞スペーサ３６を含む。この点に関して、用語「中間」は、襞スペーサ３６が支持体２０の各端部２２及び２１から軸方向（すなわち軸Ｘの方向）に離間した位置にあり且つ媒体２の各端部３、４（図８）から離間した位置にあることを表す。図示されるこの特定の襞スペーサ構造３５は、３つの互いに離間して配置された中間襞スペーサ３６、３７、３８を含む。更に一般的に言えば、襞スペーサ構造３５は、典型的には少なくとも１つの中間襞スペーサを含み、通常は複数の中間襞スペーサ（３６、３７及び３８）を含む。典型的な数は少なくとも２つであり、通常は５つ以下である。数は、通常、カートリッジ１の長さ及び所期の用途に関して媒体２の好適な支持体の特性に関連する。
【００６８】
図５を参照すると、中間襞スペーサ３６は、媒体２の外面２０を取り囲み且つ複数の互いに離間して配置された半径方向突起３６ｒを有するように構成され、半径方向突起３６ｒは、中心軸Ｘに向かう方向に先端部３６ｔまで半径方向に延出し、図１の組み立て後のカートリッジ１においてほぼ外側襞１１の間に延出する。同様に、中間襞スペーサ３７は、ほぼ半径方向内側へ先端部３７ｔまで、すなわち中心軸Ｘに向かい且つ外側襞１１の間に位置する複数のスペーサ３７ｒを備える。最後に、襞スペーサ３８は、ほぼ半径方向内側へ先端部３８ｔまで中心軸Ｘに向かって延出し且つ外側襞１１のうち隣接する襞の間に位置するように構成される複数の半径方向延出部分３８ｒを備える。
【００６９】
尚、図示される実施形態のカートリッジ１において、先端部３８ｒの内側へ軸Ｘに向かって延出する部分の長さ（すなわち半径方向寸法）は先端部３７ｔより短く、３７ｔは先端部３６ｔより短い。その理由は、図８〜図１０に関連して先に説明したように、図示される実施形態のカートリッジ１の場合、媒体２の襞深さが端部２２から端部２１に向かうにつれて減少するからである。
【００７０】
更に図５を参照すると、通常リブ３０及び襞スペーサ３６、３７、３８は、便宜を考慮して、互いに一体に成形される。特定の都合のよい組み立て方法を以下に更に詳細に説明する。
【００７１】
襞スペーサ３６、３７、３８（すなわち全体としてはスペーサ構造３５）がどの特定の構成を使用するかは、一般に関係する用途及び関係する方法に応じて何を選択するかという問題である。通常スペーサ（３６、３７、３８）により規定されるパターンは、周囲構成の規定に関して、媒体２に対して意図されるパターンに対応する。各スペーサ（３６、３７、３８）が中心軸Ｘに垂直な平面にあるか否かは、１つには使用される特定の製造方法によってどちらを選択するかという問題である。スペーサ３６、３７、３８の上面及び下面（この点に関連する上及び下は図５の配置に関する）が平坦であるか否かも、選択される製造方法によってどちらを選択するかという問題である。図５に示される特定の構成は便利且つ効果的であるが、別の構成も可能である。
【００７２】
襞スペーサ３６、３７、３８の相互の間隔及び端部２１、２２のうち隣接する端部からの間隔は、所定のシステムにおいて所望の支持体を実現するための選択の問題である。通常スペーサ３６、３７、３８は、隣接するスペーサ３６、３７、３８から相対的に等間隔であり且つ両端部２１、２２からも相対的に等間隔である。従って、例えばスペーサが３つである場合、各スペーサは、端部２１、２２の間の距離の約２０〜３０％の距離だけ隣接するスペーサから離間して配置されることが可能だろう。
【００７３】
更に図５を参照すると、図１の媒体２の端部４に隣接して位置する支持体２０の端部である端部２２に、支持体２０（カートリッジ１の）は端部材４０を含む。端部材４０は、媒体端部材又は媒体支持体端部材、あるいはそれに類似する用語で呼ばれる場合もある。端部材４０は、ほぼ媒体２の端部４、すなわちカートリッジの出口端部７から遠い側の端部に沿って延出するような位置に配置される。
【００７４】
一般に端部材４０は、媒体端部４に隣接して襞１０、１１の端部を内側から閉鎖する。支持体２０がモールドインプレース成形される場合、端部材４０は、通常媒体２の端部４が端部材４を形成する材料の中の埋め込まれるように形成される。端部材４０が襞１０、１１の端部を「内側から閉鎖する」と言う場合、それは、閉鎖が少なくとも媒体２の内側で、すなわち媒体の下流側で行われることを意味する。
【００７５】
端部材４０は、「開放」端部材又は「閉鎖」端部材のいずれであってもよい。この点に関して、用語「閉鎖」は、端部材４０が図１の媒体２の開放された内部空間２ｉ（カートリッジ１の内部空間１ｉ）と連通する開放された中央貫通開口部を含まないだろうということ、すなわち、開口部が存在しないか又は何らかの開口部があっても、何らかの方法で栓により閉鎖されるだろうということを意味する。図示される特定のカートリッジ１の場合、図１の媒体２の開放された内部空間２ｉ（すなわちカートリッジ１の開放された内部空間１ｉ）と連通する中央貫通開口部４０ａが存在するという意味で、好適な端部材４０は、「開放」されている。使用のためにカートリッジ１が設置される場合、ハウジングの一部は、開口部４０ａを通って任意に突出することにより、カートリッジ１を安定できる。また、使用のためにカートリッジ１が設置される場合、カートリッジ１の動作に関する漏れ経路を回避するために、オプションの開口部４０ａは密封閉鎖されることが多い。
【００７６】
図５を参照すると、図示される実施形態の端部材４０の外周部４０ｐは、複数の半径方向内側に延びる部分、空隙又は凹部４０ｉと、それらと交互に配列された複数の外側へ突出するフィンガ、フランジ又は部分４０ｏとを備える。凹部４０ｉは、通常媒体２の外側、すなわち上流側に沿った溝の端部と軸方向に重なり合うような位置に配置される。別の周囲規定も可能であるが、端部４に隣接する外側襞１１の間及び突起４０ｐの間で、図８の媒体２の外面２ｏに沿った方向に長手方向（軸方向）ガス流れ（例えば空気流れ）が可能になるので、この交互に配列される外側突起４０ｏと内側へ延びる凹部又は部分４０ｉの規定が望ましい。これにより、制限の少ない都合のよいガス流れを実現する。しかし、端部材４０の別の形状も可能である。
【００７７】
通常、突起４０ｏ及び凹部４０ｉの数は襞１１の数と一致する。
【００７８】
典型的には、各凹部４０ｉは、中心軸Ｘに向かって、少なくとも１０ｍｍ（突起４０ｐに対して）、通常は少なくとも１５ｍｍ、多くの場合に２０〜４０ｍｍの範囲内の距離だけ半径方向内側へ突出する。また、典型的には、凹部４０ｒは、中心軸Ｘに向かって、突起４０ｐの最も外側の部分と中心軸Ｘとの間の距離の少なくとも２５％、通常は少なくとも３０％、多くの場合に４０％以上、６０％以下の範囲内の距離だけ突出する。典型的には、突起４０ｐは、少なくとも３０ｍｍ、通常は少なくとも３５ｍｍだけ互いに離間して配置され（最も外側の先端部で）、中心軸Ｘの周囲の角度で言えば、少なくとも３０°、典型的には少なくとも４０°離間して配置される。
【００７９】
先の段落で特徴を説明した凹部４０ｉの深さは重要ではなく、利点を提供するものではない。詳細には、その深さは、動作中に端部材４０を通って下方の外側襞１１の間に至る長手方向（軸方向）流路に沿った適切な開放領域を確保し、これは、制限の問題に対処するのに好都合な流路である。
【００８０】
図５を参照すると、端部材４０は、一般に図１に示される媒体２の端部４で、非設置時には開放されている内側端部に沿って延在する中央領域４５を含む。図１を参照すると、中央領域４５は内面４５ｉ及び外面４５ｏにより規定され、内面４５ｉは、カートリッジ１の内部空間１ｉ（及び媒体の端部３、カートリッジの端部７及び支持体の端部２１）に面する面であり、外面４５ｏはその反対側の面である。
【００８１】
図１Ｂには、端部材４０を観察するのに便利なように、図１のカートリッジ１の一部の拡大部分図が示される。一般に、先に参照した開口部４０ａは中央領域４５を貫通し、内面４５ｉと外面４５ｏとの間と連通する。
【００８２】
内面４５ｉの中に、端部材４０（すなわちカートリッジ１の中央部分４５）は、受け入れ凹部４６ｒを含む。受け入れ凹部４６ｒは、通常図１のカートリッジ１の端部７から離れる方向（中心軸Ｘの延出方向）に突出する突起４６にある凹部である。しかし、これは、突起４６が必ず中心軸Ｘと平行に突出しなければならないということを意味しない。典型的には、中央凹部４６ｒは、中心軸Ｘの周囲で対称に延出する壁により規定されるが、他の構成も可能である。受け入れ凹部４６ｒは、面４６ｐを有する壁又は突起４６により規定され、以下に説明するように、カートリッジ１を使用できる特定の好適な種類のハウジングの凹部の中へ突出する構造を受け入れるように任意に構成される。
【００８３】
尚、凹部４６ｒと連通するオプションの開口部４０ａが設けられ、中心軸Ｘはその開口部４０ａを通る。オプションの開口部４０ａが使用される場合、これが典型的な位置である。特定の用途において、凹部４６ｒの中へ任意に突出するハウジングの部分も、以下に説明するように、開口部４０ａを好適に完全に貫通して突出するように構成される。
【００８４】
尚、凹部４０ａを規定する面４５ｉの壁４６ｐを参照すると、図１１Ｂに示される実施形態の場合、面４６ｐはほぼ円錐台形又は切頭形であるので、媒体の端部３及び支持体の端部２１から離れるようにほぼ軸Ｘの方向に延出する間に、内周部の横断面寸法（典型的には直径）は減少する。典型的な構成は、そのような傾斜又は円錐台形を有し、側壁４６ｐは、媒体の端部３及び支持体の端部２１から離れるにつれて、中心軸Ｘに垂直な平面に対して、約８５°以上、９９．５°以下の角度を成してほぼ半径方向内側へ延出する。他の構成も可能である。
【００８５】
尚、図１Ｂを参照すると、図示される特定の実施形態の場合、開口部４０ａはライナ又はグロメット４８を備える（すなわち裏張りされている）。図示される特定のライナ又はグロメット４８は、一部で開口部４０ａに対応する中央貫通開口部４８ａを任意に含む。グロメット４８が使用される場合、グロメット４８は、通常弾性のシール状材料から形成される。
【００８６】
典型的には、凹部４６ｒは、図１Ｂの最も内側の端部４６ｉと最も外側の端部４６ｏとの間で少なくとも１５ｍｍ、通常は少なくとも２０ｍｍ、多くの場合に２０ｍｍ以上、４０ｍｍ以下の距離だけ軸方向に延出される。ライナ又はグロメット４８は、典型的には、凹部４６の軸方向長さ（Ｘ軸の方向の長さ）の少なくとも１０％、典型的にはその長さの２０％以上、４０％以下の長さだけ軸方向に延設される。
【００８７】
図１を参照すると、図示される特定のカートリッジ１の場合、端部材４０の外面４５ｏは、外側受け入れ溝５０を任意に含む。外側受け入れ溝５０は、媒体の端部３から離れる方向に開放された溝であり、端部８に隣接する領域からほぼ端部７に向かって延設される。溝５０は、典型的には、端部材４０にすぐ隣接する部分、通常は周囲部分から軸方向に少なくとも５ｍｍの深さであるのが好ましく、通常は少なくとも８ｍｍの深さ、多くの場合に８ｍｍ以上、２０ｍｍ以下の深さである。典型的には、溝５０は、その半径方向内側の面５０ｉと半径方向外側の面５０ｏとの間で、少なくとも５ｍｍの幅、通常は少なくとも６ｍｍの幅、多くの場合に６ｍｍ以上、３０ｍｍ以下の幅を有する。通常、その幅は２０ｍｍを超えない。通常半径方向内側の面５０ｉは、内面に沿って凹部４８を規定する壁５２により規定される。典型的には、壁５２は、端部７から離れる方向に、媒体の端部４を越える部位まで、通常は少なくとも５ｍｍ先まで、多くの場合に少なくとも１０ｍｍ先まで軸方向に延設される。図示される実施形態において、壁５２は、先に述べた開口部４０ａも規定する先端部５２ｔを規定する。
【００８８】
任意に設けられる受け入れ溝５０は、通常、エアクリーナアセンブリの主フィルタカートリッジの各部分と係合するように構成されるのが好ましい。
【００８９】
次に図５の端部材４０の外面４０ｘにあるオプションの突起構造５５に注目する。オプションの突起構造５５は、通常、最大幅が相対的に狭く（典型的には１０ｍｍを越えない）、面４５ｏの周囲部分から離れる方向に、少なくとも０．５ｍｍ、通常は少なくとも１ｍｍ、典型的には１０ｍｍ以下の距離だけ突出する。図示される特定のオプションの突起構造５５は連続するリング５５ｒであるが、分割リングなどの他の構造も可能である。突起構造５５は、カートリッジ１の選択された用途での使用中、主フィルタカートリッジと係合するためのオプションの接触領域を備える。
【００９０】
次に図７の支持体２０の側面図、特に端部２１に注目する。端部２１の周囲に、溝２７ｇの縁部２７ｒに向かって外側へ傾斜した、互いに離間して配置されたガセット５７が示される。ガセット５７はＯリングを溝２７ｇに位置決めするのを助ける。特にＯリングをガセット５７に押し込み、次に端部２２に向かって圧力を加えると、Ｏリングは広がり、最終的には、縁部２５ｒを越えてＯリングを溝２７ｇに嵌合させることができる。
【００９１】
図１において、寸法例がＡＡ＝３９２．６ｍｍとして示される。他の寸法も使用可能であるのは言うまでもない。
【００９２】
図２には、ほぼ端部材４０に向かって見た場合のカートリッジ１の端面図が示される。寸法例がＡＢ＝直径１３５．３ｍｍとして示される。
【００９３】
図３には、端部３に向かって見た場合の端面図が示される。この概略図で、凹部４６を見て取ることができる。
【００９４】
図４には、カートリッジ１の展開図が示される。種々の構成要素は先に説明し且つ示した通りであり、媒体２、支持体２０、グロメット４８及びＯリング２６を含む。
【００９５】
図７には、フレーム部材２０の横断面図が示される。寸法例がＡＣ＝３８９．２ｍｍ及びＡＤ＝１３３．１ｍｍとして示される。
【００９６】
図１及び図１Ａから、図示される実施形態の構造において、端部３で、媒体は支持体２０の端部２１を越えて軸方向に突出することを理解できる。このような突出がある場合、延出の量は、通常は１０ｍｍ以下、典型的には５ｍｍ以下、多くの場合に少なくとも０．５ｍｍ、場合によっては少なくとも１ｍｍである。支持体２０の構造支持部を越えて、すなわち支持体２０の端部２１を越えて延出する媒体端部３の部分は、「シール端部」又は「末端部」と呼ばれる場合もあり、図１Ａに図中符号３ｔにより示される。このシール端部又は末端部３ｔは、いくつかの利点を提供できる。可撓性であるので、最初に媒体の端部３に隣接する（軸方向及び半径方向の双方）ハウジングの構造にシール端部を押し込むことができる。従って、シール端部又は末端部３ｔは、一次カートリッジシール２６に加えて、密封のための二次支持体として有効に構成できる。更に、シール端部又は末端部３ｔは、カートリッジ１が設置／除去される場合に拭き取り効果を提供できる。
【００９７】
図１Ｃ、図１Ｄ、図１Ｅ及び図２Ａを考慮することにより、カートリッジ１で可能な変形を理解できる。図１Ｅには、オプションの突起５５（図１Ｂ）がなく、グロメット４８を変形したグロメット４８ｖが設けられていることを除き、カートリッジ１に類似するカートリッジが示される。図１Ｃでは、図１Ｃには４８ｖで示されるグロメットの図中符号を除き、図１で使用されているのとほぼ同様の図中符号が使用されている。図１Ｃには、寸法例がＺＱ＝１２．２ｍｍ、ＺＳ＝１３８．７ｍｍ、ＺＲ＝３９２．６ｍｍとして示される。
【００９８】
図１Ｄには、図１Ｃの指示された部分の拡大部分図が示される。これは、先に図１Ａに関連して説明したシール２６に隣接する領域である。図１Ｄには、寸法例がＹＨ＝５．５ｍｍ、ＹＩ＝７．５ｍｍ、ＹＪ＝９．１ｍｍとして示される。図１Ｅには、図１Ｃの指示された部分の拡大部分図が示される。図１Ｅを検討することにより、図示されるカートリッジ１も図１Ｂのオプションの突起５５ｒを持たないことがわかる。また、以下に説明する方法に従って製造した結果、代替構成のガセット４８ｖは、支持体２０を形成する構造に埋め込まれた外側リング４８ｒを有することもわかる。オプションのリング４８ｒは図１のガセット４８には示されていないが、その実施形態と共に使用できる。その他の点では、図１Ｅの特徴は、図１Ｂに関連して説明した特徴とほぼ同様である。図１Ｅには、寸法例がＺＶ＝２４．６ｍｍ、ＺＴ＝４７ｍｍ及びＺＵ＝１８．４ｍｍとして示される。
【００９９】
図２Ａには、オプションの突起５５ｒを含まない図１Ｃのカートリッジの図２に類似する端面図が示される。その他の特徴は、先に図１に関連して説明され且つ図１Ｃ及び図１Ｄに示される特徴とほぼ同様である。図２Ａには、寸法例がＺＬ＝半径１０ｍｍ、ＺＭ＝４５°、ＺＮ＝半径１ｍｍ、ＺＯ＝６１．５ｍ及びＺＰ＝１２３ｍｍとして示される。
【０１００】
ＩＩ．図１〜図１０のフィルタカートリッジの製造例
本発明に係る特徴を有するカートリッジを製造するために、多様な技術を使用できる。図１〜図１０に関連して説明したように構成された図８〜図１０の構成に従って媒体を支持するものとして説明されたカートリッジ支持体２０を使用する好適なカートリッジ１は、典型的には、図８に関連して示し且つ説明した形状に媒体を予備成形し、次に媒体に支持体２０をモールドインプレース（射出）成形することにより製造される。これは、ポリマー材料を適切に導入しつつ媒体２を所望の構成に支持するモールド構成によって実行可能である。
【０１０１】
一般的には、支持体２０がモールドインプレース成形される本明細書で説明される技術によって、モールドインプレース成形支持体２０を形成するための射出材料は、媒体２の外側に供給されるのが好ましい。すなわち、端部４にすぐ隣接する部位を除き、媒体２の長さに沿ったそれぞれの部位で、樹脂材料は、媒体２の内部空間２ｉの中へ射出されるのではなく、外面２ｏに沿ってのみ射出されるのが好ましい。樹脂は、媒体の内部まで多少浸透するが、襞１１の長さの大部分に沿って、場合によっては、端部４にすぐ隣接する領域を除き、適切な接着性／密封を実現しつつ妥当な限り制限された状態で、媒体２から半径方向内側へ突出するほど媒体２を完全には半径方向に浸透しないのが好ましい。
【０１０２】
典型的には、成形中に１回の射出工程で支持体２０の全体を製造できるように、１ショット成形方式が使用されるのが好ましい。図５に示される、先に説明した支持体の特徴を備えた支持体構成は、これを可能にするために構成される。
【０１０３】
先に説明したように、支持体２０は、その一端部に配置されたグロット４８（又は４８ｖ）を備えてもよい。典型的には、例えば先に説明したような射出成形作業を使用して支持体２０がモールドインプレース成形される場合、成形が実行されるときにグロメット４８（又は４８ｖ）が所定の部位に固着されるように、グロメット４８（又は４８ｖ）は成形型の中にあらかじめ位置決めされているのが好ましい。
【０１０４】
支持体２０に使用される材料は、典型的には、使用中に媒体２に対して所望の支持を提供するのに十分な強度を有する材料である。一例として、ポリプロピレン又はポリエチレンなどの熱可塑性プラスチックが考えられるだろう。他の材料も可能である。
【０１０５】
グロメット４８（又は４８ｖ）には、典型的には熱可塑性エラストマー（ｔｐｅ）が使用される。典型的なグロメットは、シールを形成可能な弾性材料から成り、例えば、少なくとも３０ショアＡ、典型的には少なくとも４０ショアＡ、例えば５０〜８０ショアＡの硬度を有するように樹脂から形成されてもよい。他の材料も可能であることは言うまでもない。
【０１０６】
媒体の材料として何を選択するかは、流れ特性、濾過特性及び所望の濾過特性に関連する選択の問題である。セーフティカートリッジで通常使用される種類のフィルタ媒体を使用できる。
【０１０７】
媒体は、長手方向継ぎ目を含む。継ぎ目は、音波溶接、熱溶接又は接着剤によって形成されてもよいが、必要に応じて、フレーム構造を形成する樹脂により密封されるように構成されてもよい。
ＩＩＩ．セーフティフィルタとしてカートリッジ１を使用するフィルタアセンブリの実施形態
図１１〜図１３Ｂには、有利な特徴を有し且つ先に説明したカートリッジ１に従って二次カートリッジ又はセーフティカートリッジを使用するフィルタアセンブリ（例えばエアクリーナ）が示される。特徴の多くは、先に引用し、参考として本明細書に取り入れられている国際公開第ＷＯ２００９／０１４９８６号及び第ＷＯ２０１２／１１６３１４号のいずれか一方又は双方に記載される特徴の変形である。しかし、前述のように、有利な変形が提供される。
【０１０８】
まず、図１３に注目する。図１３には、エアクリーナアセンブリとして構成されたガスフィルタアセンブリ１００が横断面図で示される。フィルタアセンブリ１００は、本発明に従って主フィルタカートリッジ１０２又は一次フィルタカートリッジ１０２及び二次カートリッジ又はセーフティカートリッジ１が動作可能に配置されたハウジング１０１を備える。
【０１０９】
一般に、濾過される空気は、ガス（空気）流れ入口構造１０５を介してハウジング１０１に流入する。空気は、「外から中へ」向かう流れによって一次カートリッジ又は主カートリッジ１０２を通過するように誘導され、次に「外から中へ」向かう流れによって二次フィルタ１を通過する。濾過後のガス（空気）は、出口流れ構造１０６を介してハウジング１００から流出する。
【０１１０】
次に図１１に注目すると、一次フィルタカートリッジ１０２及び二次カートリッジ又はセーフティカートリッジ１が設置されていないハウジング１０１が示される。図１１を参照すると、ハウジング１０１は、ハウジング本体又はハウジングベース部分１０９と、アクセスカバー１１０とを備える。図示される実施形態において、ハウジング本体又はハウジングベース部分１０９は、開放端部１０９ａ及び反対側の端部１０９ｂを規定する。開放端部１０９ａはアクセス用端部であり、この端部にアクセスカバー１１０が取り外し可能に配置される。図示されるように、アクセスカバー１１０は、ラッチ構造１１１により所定の部位に固着される。
【０１１１】
図示される実施形態のアセンブリの場合、入口１０５及び出口１０６は本体部分１０９に配置されるが、他の構造も可能である。アクセスカバー１１０にはオプションの減圧排気出口１１４が配置され、この出口１１４は減圧排気弁構造１１５により閉鎖される。使用中、減圧排気出口１１４及び減圧排気弁１１５を介して多少の塵芥及び水がハウジング１０１から排出される可能性がある。そのような減圧排気構造は「プレクリーナー」と呼ばれる場合があり、多様なエアクリーナシステムで使用されている。エアクリーナアセンブリがそのようなオプションのプレクリーナーを使用する場合、エアクリーナアセンブリは「２段」式エアクリーナと呼ばれることもあり、その第１段はプレクリーナーであり、第２段はフィルタカートリッジ構造により表される。
【０１１２】
更に図１１を参照すると、ガス流れ（すなわち空気流れ）は、入口又は入口管構造１０５を介して流入すると、オプションのサイクロン傾斜面構造１１７の上まで誘導され、サイクロン傾斜面構造１１７によって、中心軸Ｘの周囲で螺旋流れ又はサイクロン流れを形成する。これは、空気流れに含まれる水及び／又は微粒子材料の一部が図１３の一次フィルタカートリッジ１０２に衝突する前に、その一部を減圧排気構造１１４の中へ誘導するのを助ける。そのような空気のサイクロン運動を容易にするために、入口構造１０５は、空気流れ入口方向が側壁１０９ｓに対して接線方向に向いた軸Ａにより表される方向となるように構成されるのが好ましい。
【０１１３】
プレクリーニングを容易にするために、ハウジング１０１は、端部１０９ｂからアクセスカバー１１０に向かって突出するシールド部分１１８と、アクセスカバー１１０から端部１０９ｂ及び出口１０６に向かって突出するオプションの第２のシールド部分１１９とを含む。このオプション（しかし好適な）のシールド部分１１８、１１９は、入口１０５から排出出口又は減圧排気出口１１４に至るまでの水及び微粒子材料の一部の流れを隔離するのを助けるという利点を得るために、図１３の主フィルタカートリッジ１０２の両端部の周囲に（それぞれ）配置される。
【０１１４】
更に図１１を参照すると、アクセスカバー１１０は、ほぼ端部１０９ｂ及び出口１０６に向かって突出するオプションの中央突起１２０を有する端壁又は端部１１０ｅを含む。図示される実施形態において、突起１２０は、中心軸Ｘが貫通するような位置に配置され、これが典型的な位置である。
【０１１５】
中央突起１２０は多様な特定の構成及び形状を有してもよい。中央突起１２０は、中実又は中空のリングとして構成されてもよいが、フィン又は他の構造により規定される横断面形状を有してもよい。
【０１１６】
突起１２０の選択された特徴に関して、図１１Ａに注目する。特にアクセスカバー又は中央突起１２０の端部１２０ｅに注目すると、端部１２０ｅは端壁１１０ｅから遠い側の端部である。当該端部１２０ｅのオプションであるが好適な特徴は次の通りである。図示される実施形態では、まずアクセスカバー１１０は、端部１１０ｅから離れて端部１０９ｂに向かうようにほぼ軸Ｘの方向に突出するリングである突起１２３を含む。突起１２３は、以下に説明されるようにカートリッジの特徴と係合するような大きさ及び構成で形成される。
【０１１７】
リング１２３は、突起１２０のオプションの中央凹部又は受け入れ部分１２４を取り囲む。以下に説明されるように、凹部１２４は、その中へ突出するハウジング１０１の選択された部分及びカートリッジ構造を受け入れるように構成されるのが好ましい。典型的には、凹部１２４は、突起１２３の先端部１２３ｔから端部１１０ｅに向かって少なくとも１０ｍｍ、通常は少なくとも１５ｍｍ、多くの場合に２０ｍｍ以上、４０ｍｍ以下の範囲内の長さだけ突出する。
【０１１８】
尚、更に図１１Ａを参照すると、リング１２３は、突起１２０の周囲部分１２５から先端部１２３まで典型的には少なくとも５ｍｍの長さ、通常は少なくとも１０ｍｍの長さ、多くの場合に１０〜２５ｍｍの範囲内の長さを有する。
【０１１９】
図１１に戻ると、ハウジング１０１は中央カートリッジ支持体１３０を含む。中央カートリッジ支持体１３０は、隣接する壁１０９ｂからアクセスカバー１１０に向かって延設される。中央カートリッジ支持体１３０は、一般に底端部１３１、穴あき側壁１３２及びカートリッジ支持端部１３３を含む。底端部１３１は端部１０９ｂに隣接する位置にあり、出口１０６とガス流れ連通するガス流れ開口部１３１ａが底端部１３１を貫通している。カートリッジ支持端部１３３は壁１０９ｂから離れた位置にあり、アクセスカバー１１０に向いている。
【０１２０】
中央カートリッジ支持体１３０は、ハウジング部分１０９のその他の部分と一体に形成されてもよい。しかし、図示される実施形態の場合、中央カートリッジ支持体１３０は、別に形成され、ハウジング部分１０９の周囲部分１３５と係合する図１１Ｂスナップフィット構造１３１ｘにより所定の部位にスナップフィットされる部材である。周囲部分１３５は、中央カートリッジ支持体１３０の一部を取り囲むフランジ１３５ｆを含む。
【０１２１】
尚、中央カートリッジ支持体１３０は、場合によっては、設置後にハウジング部分１０９から取り外し可能であるように構成されてもよい。しかし、通常カートリッジ支持体１３０は、ハウジング部分１０９と一体に形成されることにより（例えば部分１０９の他の部分と一体に成形されることにより）、あるいは係合後は容易に外れないスナップフィット結合で設置されることにより、ハウジング部分１０９から取り外し不可能であるのが好ましい。支持体１３０は、保守可能カートリッジ１、１０２から独立して、媒体を含まないのが好ましい。
【０１２２】
一般には、中央カートリッジ支持体１３０は、使用中、アセンブリ１００の中に配置されるフィルタカートリッジから独立し且つ分離可能である。すなわち、通常中央カートリッジ支持体１３０はハウジング１０１の一部であり、カートリッジ１、１０２の保守中、ハウジング１０１と共に残る。
【０１２３】
図１１Ｂを参照すると、フランジ１３５ｆは、アクセスカバー１１０に向かって先端部１３５ｔまで突出する。フランジ１３５ｆは図示されるシステム１００の密封フランジを規定する。特にフランジ１３５の外面１３５ｏは、主フィルタカートリッジ１０２のシール面を形成し、フランジ１３５の内面１３５ｉは、セーフティカートリッジ１のシール面４を形成する。他の構造も可能であるが、この構造はカートリッジ１０２、１を設置する上で特に好都合である。
【０１２４】
支持体１３０は、軸Ｘを取り囲み且つ出口１０６と空気流れ連通する位置に配置された内部空間１３０ｉを備える。従って、ガスは、主フィルタ１０２及びセーフティフィルタ１により濾過された後に内部空間１３０ｉに入り、出口管１０６を通ってハウジング１０９の外側へ流れる。出口１０６（及び支持体１３０の端部１３１ａ）は、ハウジング１０１を通過する空気流れに対して望ましくない制限が更に加えられるのを回避するように、可能な限り適度な大きさの横断面面積を有するのが好ましい。以下に説明されるように、本発明の選択された特徴はこれを容易にする。
【０１２５】
出口１０６に、オプションの図１１Ｂの圧力タップ１０６ｔが設けられ、これは、通常の従来の態様で制限指示器又は圧力モニタの接続を容易にする。
【０１２６】
図１１Ａには、中央カートリッジ支持体１３０の支持端部１３３が詳細に示される。支持端部１３３は、支持体１３０の底端部１３１及び側壁１０９ｂから離れた側の端部であり、オプションの外側リング又は段差部１３８と、中央突起１３９とを備える。図示される実施形態では、中央突起１３９は中心軸Ｘに配置される。これが典型的であるが、他の構造も可能である。
【０１２７】
中央突起１３９を取り囲む段差部１３８と中央突起１３９との間の部位に、中央カートリッジ支持体１３０のカートリッジ支持端部１３３は、受け入れ溝、凹部又は受け入れ空間１４０を含む。受け入れ空間１４０は、軸Ｘの方向に端部１３３の周囲部分から、通常段差部１３８から出口１０６に向かって典型的には少なくとも５ｍｍの深さ、通常は少なくとも８ｍｍの深さ、例えば８ｍｍ以上、２５ｍｍ以下の深さを有する。凹部１４０は、側壁１４０ｗと突起１３９との間の差し渡しで、典型的には少なくとも５ｍｍの幅、例えば８〜２０ｍｍ、通常は２５ｍｍを超えない幅を有する。典型的には、凹部１４０の外壁１４０ｗは、支持体１３０の周囲の外側部分から半径方向内側へ少なくとも１０ｍｍ離間した位置にある。
【０１２８】
尚、更に図１１Ａを参照すると、突起１２０、特に突起の端部１２３は、通常アクセスカバー１１０がハウジングベース１０９に設置されるときに少なくとも凹部１４０の中へ延出し始めるような十分な長さを任意に有する。
【０１２９】
更に図１１Ａを参照して、中央突起１３９に注目する。
【０１３０】
アクセスカバー１１０に向かって延出している中央突起１３９は、遠い側の端部又は先端部１４５まで延出する軸又はベース１４４を含む。ベース１４４と先端部１４５との間に、突起１３９はオプションであるが好適なネック部分１４６を含む。オプションのネック部分１４６は、突起１３９の狭くなっている部分である。従って、突起１３９は、一般には、先端部１４５とベース１４４との間に位置する別の部分、すなわちネック部分１４６より大きな横断面寸法（典型的には直径）を有する先端部１４５を有するのが好ましい。このオプションの構成は、以下に説明されるような利点を提供できる。
【０１３１】
図１１Ｂを参照して、中央カートリッジ支持体１３０とフランジ１３５ｆとの間の凹部１５０ｒに注目する。凹部１５０ｒは、以下に説明されるように設置中にセーフティフィルタカートリッジ１の一端部が延出する凹部である。特に図１の媒体端部３を形成する端部７が突出する凹部である。尚、凹部１５０ｒの半径方向寸法は相対的に小さく、典型的には、最も幅の広い部分の寸法は３０ｍｍ以下、好ましくは２５ｍｍ以下、通常は２０ｍｍ以下、場合によっては１５ｍｍ以下である。その理由は、必要以上に大きな制限を加えることなくフィルタアセンブリ１００を通る流れを容易にするように、カートリッジ１の中央カートリッジ支持体１３０の部分１３１の領域の半径方向寸法をなるべく小さく抑えることが好ましいからである。この点については以下に説明する。
【０１３２】
凹部１５０ｒは、セーフティカートリッジ端部受け入れ凹部１５０ｒ又はそれに類似する用語で呼ばれる場合がある。典型的な実施形態では、凹部１５０ｒは、フランジ１３５ｆと端部分１３１に隣接する中央カートリッジ支持体１３０の領域との間に形成される。
【０１３３】
次に、図１２に注目すると、セーフティカートリッジ１は完全に設置されているが、一次フィルタカートリッジ１０２は配置されていないハウジング１０１が示される。セーフティカートリッジ１は、中央カートリッジ支持体１３０に沿って押し込まれることにより設置されることがわかる。カートリッジ１、中央カートリッジ支持体１３０及びハウジング１０１の間の相互作用の選択された部分は、共に図１２の一部の拡大部分図である図１２Ａ及び図１２Ｂに関連して説明される。
【０１３４】
まず図１２Ａを参照すると、セーフティカートリッジ１の端部７（及び媒体端部３）と凹部１５０ｒとの相互作用を理解することができる。最初に端部３の付近に襞が形成されないので（すなわち、ごく限定された襞しか形成されないか又はまったく襞が形成されない）、カートリッジ１は、シール２６がフランジ１３５ｆの内壁１３５ｉと係合する状態で相対的に狭い凹部１３０に嵌合し、それにより、半径方向（実施形態では半径方向外側）に向いた解放可能なハウジングシールを形成することがわかる。更に、媒体２の自由端部又は自由先端部３ｔ、すなわち端キャップに埋め込まれず、媒体支持体２９により取り囲まれていない媒体２の部分が凹部１５０ｒの一端部又はその付近に押し込まれ、使用中及び／又は保守中にこの領域に入り込んだ微粒子材料を凹部１５０から取り出し、引き出そうとする（拭き取る）ことがわかる。
【０１３５】
また、図１２Ａを参照すると、シール２６の部分でカートリッジ１の半径方向寸法が非常に小さくなる構造であるので、以下に説明されるように、主フィルタカートリッジ１０２のハウジング１０９の内部で最大限の半径方向幅を可能にし（同時に）、出口１０６及び中央カートリッジ１３０の出口端部１３１ａの大きさによって制限が加わるという望ましくない事態を回避するために、狭い凹部１５０ｒを有効に利用できることもわかる。
【０１３６】
実際、カートリッジ１の端部７を挿入するための凹部１５０ｒの最大半径方向寸法は、図１の端部４に隣接するカートリッジ１の媒体２の最大襞深さより少なくとも５ｍｍ小さく、通常は少なくとも１０ｍｍ小さく、場合によっては少なくとも１５ｍｍ小さい。
【０１３７】
次に図１２Ｂを参照すると、支持端部１３３におけるカートリッジ１と中央カートリッジ支持体１３０との相互作用を示す拡大部分図が示される。特にカートリッジ１は、中央凹部４６ｒの中へ突出する中央カートリッジ支持体１３０の中央突起１３９を凹部４６ｒが受け入れるように配置されていることがわかる。図示される特定の実施形態の場合、中央突起１３９は、先端部１４５が開口部４０ａを貫通するように、凹部４６ｒ（及び開口部４０ａ）及びオプションのグロメット４８ｖを完全に貫通して突出する。図示されるように、オプションのグロメット４８ｖは、この特定の実施形態では少なくともネック領域又はネック部分１４６と係合することにより、中央突起１３９の周囲と係合する。図示される実施形態において、オプションのグロメット４８は、成形型の中に位置決めされ且つ部分４６が成形されることにより端部突起４６の中に固着され、物理的結合は図１Ｅのグロメットリング４８ｒにより提供される。
【０１３８】
また、図１２Ｂを参照すると、端部材２０の突起４５ｐは中央カートリッジ支持体１３０の受け入れ部分１４０の中へ突出していることがわかる。更に、アクセスカバー１１０の突起１２３は、二次カートリッジ又はセーフティカートリッジ１の凹部５０の中へ突出していることがわかる。
【０１３９】
尚、図１２Ａ及び図１２Ｂに示される実施形態において、カートリッジ１はオプションの図１Ｂの突起５５ｒを含まない。そのような突起を必要に応じて都合よく使用できるのは言うまでもない。そのようなオプションの突起５５の利点は以下に説明される。
【０１４０】
図１２Ｃには、図１２とほぼ同様の図が示される。図１２には、いくつかの寸法例がＹＣ＝３５４．６ｍｍ、ＹＤ＝１１５．８ｍｍ、ＹＥ＝６５．６ｍｍ、ＹＧ＝５３９．７ｍｍ、ＹＦ＝４２３．３ｍｍとして示される。
【０１４１】
次に図１３、図１３Ａ及び図１３Ｂに注目する。これらの図には、一次フィルタカートリッジ１０２及び二次フィルタカートリッジ１が共に所定の部位にあるフィルタアセンブリ１００が示される。まず図１３を参照すると、一次フィルタカートリッジ１０２は両端部１０２ａ、１０２ｂを有することがわかり、媒体１５０は、カートリッジの端部１０２ａ、１０２ｂにそれぞれ対応する第１の媒体端部１５１及び第２の媒体端部１５２の間に延設されている。媒体１５０は通常は襞付きであるが、他の構造も可能である。図示される実施形態において、媒体１５０は、外側襞先端部により規定されたほぼ円錐形又は円錐台形の外周部１５０ｐを有し、外周部１５０ｐの横断面の大きさは、端部１５１から端部１５２の延出方向で小さくなる。典型的には、外周部は延出する間に、少なくとも０．５°、通常は５°以下、多くの場合に１°〜５°の範囲内の円錐角度、すなわち内側へのテーパ角度を有する。
【０１４２】
図１３Ｂを参照すると、カートリッジ１０２は、媒体１５０の端部１５１に配置された端キャップ又は端部材１５４を含む。図示される特定の端部材１５４はモールドインプレース成形されるが、他の構造も可能である。通常端部材１５４は、図示されるように構成される時点で、以下に説明されるようにシール材料としても機能できる発泡ポリウレタンなどの材料から成形されるだろう。典型的には、材料は、０．３２ｇ／ｃｃ以下、通常は０．２４ｇ／ｃｃ以下、例えば０．１６ｇ／ｃｃ〜０．２４ｇ／ｃｃの「成形時」密度で成形され、２０以下、通常は１８以下、多くの場合に１０以上、１８以下の範囲内の硬度ショアＡを有する。
【０１４３】
更に図１３Ｂを参照すると、主カートリッジの端部１０２ａにある端キャップ１５４は、図示されるように、貫通する中央開口部１５５を有し、この開口部１５５は、主カートリッジ１０２の「流れ開口部」、本実施形態ではガス流れ出口開口部として機能する。実施形態において、開口部１５５は、図示される実施形態では端キャップ１５４の他の部分と一体の部分であるハウジングシール領域１５６により規定され且つその領域１５６により取り囲まれる。図示される実施形態では、シール領域１５６は、中心軸Ｘの周囲にフランジ１３５ｆの外面１３５ｏと解放可能に係合する内側に向いた半径方向シールを形成するように配置され且つ構成される。
【０１４４】
尚、図１３を参照すると、媒体１５０の一端部１５１は、フランジ１１８により取り囲まれながら、媒体端部１５１から媒体端部１５２に向かって少なくとも１０％、通常は少なくとも２０％、典型的には５０％を超えない量だけ突出する媒体の端部分の一部である。これは、ハウジング１０１でプレクリーナー機能を所望の通りに作用させるのを助ける。フランジ１１８は、適切な濾過動作のために、端部分１５１を取り囲む領域に至るまでの空気流れを可能にするのに十分な大きさを有するのが好ましい。媒体１５０のテーパ形状がこれを容易にする。
【０１４５】
尚、更に図１３を参照すると、フランジ１１９は、端部１５０ｂに隣接して媒体１５０の端部分１５２を取り囲む。典型的には、フランジ１１９は、端部１５２から端部１５１に向かって少なくとも５％、典型的には２０％以下の延出長さにわたり媒体１５０を取り囲む。支持体１１９は、カートリッジ１０２を中心に位置決めする機能を提供し、カートリッジ１をある程度保護するようにできる。カートリッジ１０２を更に保護するのは、端部１５２に隣接して媒体１５０を取り囲む端縁部又はラップ部分１４８である。
【０１４６】
尚、更に図１３を参照すると、媒体１５０は、一般に、端部１５１から端部１５０ｂまで延設される間に下に向かって次第に細くなる形状になる内側襞先端部により規定された内周部１５０ｉを含む。典型的には、軸Ｘに対する内周部１５０ｉの延出角度は、先に周囲部１５０ｐに関して説明した角度と同一である。更に、図示される実施形態の場合、カートリッジ１０２は、媒体１５０が周囲に配置される多孔質内側ライナ構造１６０を含む。これが典型的な構造であるが、オプションである。
【０１４７】
図１３Ｂを参照して、端部材１５４の凹部１６２に注目する。凹部１６２は、端部材１５４の製造中に媒体１５０の成形型スタンドオフから人為的に形成された部分であってもよい。また凹部１６２は、ハウジング端部１０９ｂの中のオプションの突起部材（図示せず）に対する受け入れ凹部として使用できる。凹部１６２により２つの機能が提供できるが、いくつかのシステムでは、２つの異なる凹部が設けることができる。
【０１４８】
更に図１３Ｂを参照すると、ハウジング部分１０９の端壁１０９ｂと係合する突起構造１６３（端部材１５４にある）が示される。突起１６３は、例えば、端壁１０９ｂと緩衝係合するという利点を有する連続リング、分割リング又は複数のバンパであってもよい。
【０１４９】
再び図１３を参照して、媒体１５０の端部１５２に注目する。カートリッジ１０２は、その端部１５２に第２の端キャップ又は端部材１７０を含む。端部材１７０は、一般に、媒体１５０の端部１５２と軸方向に重なり合う外側リング部分１７１と、媒体１５０の端部１５２から端部１５０ａに向かってカートリッジ１０２の開放されたフィルタ内部空間１０２ｉの中に内側へ突出する中央部分１７２とを備える。通常端部材又は端キャップ１７０は閉鎖されており、すなわち端部材１７０は貫通する中央開口部を持たないが、用途によっては、他の構造も可能である。典型的には、部分１７１は、例えば端部材１５４に使用される材料に類似する材料から、又は場合によっては端部材１５４の材料より硬度の高い材料からモールドインプレース成形される。中央部分１７２は、例えば剛性プラスチックからあらかじめ形成され、その後部分１７１の成形中に所定の部位に固着される。他の構造も可能である。シール部分１７１は、突起１６３に類似するが、アクセスカバー１１０と係合するように配置された突起１６３ｘを任意に含むことができる。
【０１５０】
突起１７２の選択された特徴に関して、図１３Ａに注目する。突起１７２は、一般に、外側壁１７３及び端部分１７４を含む。端部分１７４は、端部材１７０とは反対の側の端部材１５４に向いた内面１７４ｉと反対側の外面１７４ｏとにより規定される。
【０１５１】
端部１７４は、外面１７４ｏに、中央突起１７８を取り囲む受け入れ溝１７７を形成する。受け入れ溝１７７は、典型的には、端部１７４の最も近い周囲部分１７７ｘから最も深い部位で典型的には少なくとも６ｍｍの深さ、通常は少なくとも８ｍｍの深さを有する。突起１７８は、一般に、突起１７８にごく近接して突起１７８を取り囲む溝１７７の部分から少なくとも１０ｍｍ、典型的に少なくとも１５ｍｍ、多くの場合に１５ｍｍ以上、３５ｍｍ範囲内の量だけ突出する。
【０１５２】
典型的には、中央部分１７２の突起１７８は、第１の端部材から離れる方向に向いており、媒体の第２の端部から媒体の第１の端部までの距離の少なくとも１５％の距離だけ媒体の第２の端部から離間した部位で、媒体の第１の端部から遠い側の端部を終端とする中央突起である。
【０１５３】
溝１７７の幅は、内側壁１７７ｉと外側壁１７７ｏとの間で典型的には少なくとも４ｍｍであり、通常２５ｍｍを超えない。
【０１５４】
突起１７８は、内面１７４ｉに沿って受け入れ凹部１７８ｒを規定し、中央突起１３９（中央カートリッジ支持体１３０の）及び二次カートリッジ１の中央突起４６は、この受け入れ凹部１７８ｒの中へ突出する。
【０１５５】
また、端部１７４は、内面１７４ｉに沿ってセーフティカートリッジ１の受け入れ溝５０及び中央カートリッジ支持体１３０の受け入れ溝１４０の中へ突出する突出リング１８０を規定する。
【０１５６】
尚、更に図１３Ａを参照すると、アクセスカバーの突起１２３は、一次カートリッジ１０２の受け入れ溝１７７の中へ突出している。
【０１５７】
次の章では、上記に特徴を示した種々の特徴のいくつかの利点を説明する。その前に、図１３及び図１３Ａで提示されるいくつかの寸法例を挙げる。本明細書の他の寸法例と同様に、それらはシステムで機能できる寸法の例であり、他の寸法も可能である。
【０１５８】
寸法例は次の通りである。ＺＡ＝６０５．２ｍｍ、ＺＢ＝１７９．５ｍｍ、ＺＣ＝３５４．６ｍｍ、ＺＤ＝２７．２ｍｍ、ＺＥ＝４７ｍｍ、ＺＦ＝２３．６ｍｍ、ＺＧ＝２０．８ｍｍ、ＺＨ＝２ｍｍ、ＺＩ＝３３．２ｍｍ、ＺＪ＝３７．７ｍｍ及びＺＫ＝４４．４２ｍｍ。
【０１５９】
Ｂ．先に特徴を示した好適な特徴に関連する利点
１．テーパ形状の主フィルタカートリッジと共に使用するための好都合なセーフティフィルタカートリッジの特徴
図１３を参照すると、先に示した通り、本明細書において特徴を示した特徴の典型的且つ好適な用途では、主フィルタカートリッジ１０２は、媒体の端部１５１から媒体の端部１５２まで延設される間に外周部１５０ｐ及び内周部１５０ｉの双方で次第に細くなるように規定されている。これは、媒体の内周部１５０ｉにより取り囲まれる内側横断面寸法が同一の延出方向に沿って下方に向かって小さくなることを意味する。
【０１６０】
これは、内部空間１０２ｉの中でセーフティカートリッジ１が利用できる空間を縮小させる可能性がある。そのため、典型的な用途では、セーフティカートリッジ１は、周囲を取り囲む媒体１５０の端部１５０ａと端部１５０ｂとの間の距離の少なくとも９０％を超えず、典型的にはその距離の８５％以下、通常はその距離の６５〜８５％の範囲内の量で、端部１５０ａから端部１の延出方向に突出するように構成される。これにより、内周部１０２ｉのテーパ形状は端部１５０ｂで非常に狭くなる。実際、主カートリッジ１０２の媒体１５０は、場合によっては、カートリッジ１の端部８から８ｍｍ以下の半径方向寸法だけ離れる。
【０１６１】
しかし、これは、セーフティカートリッジ１の長さがセーフティ媒体２に関して多少制限されることを意味する。望ましくない制限を回避するために、利用可能な表面積を拡大し且つ面速度を低下させるように、セーフティカートリッジ１は端部４に隣接して襞付き媒体を備える。下方に向かって細くなる形状の主カートリッジと共に使用されるセーフティカートリッジの場合、特に主カートリッジがそれより相当に長いセーフティカートリッジを都合よく収納するには小さすぎる幅になるまで下方に向かって細くなっている場合、これは効果的な改善である。
【０１６２】
また、セーフティカートリッジ１の端部４に隣接する相対的に幅の広い外側襞１１がどれほど効果的な流れを発生できるかということも理解できる。これは、外側襞１１が襞の間に空間を規定し、空気は、主フィルタカートリッジ１０２を通過した後にセーフティカートリッジ１の中へ誘導され、出口１０６に向かう間に、この空間に沿って流れることができる。これも、セーフティカートリッジ１が存在することによって起こる制限の増加を制御するのに好都合である。
【０１６３】
図１３を参照すると、相対的に短いセーフティカートリッジ１に収納するために、主カートリッジ１０２は、少なくとも７０ｍｍ、典型的には少なくとも８０ｍｍ、多くの場合に１００〜１４０ｍｍの範囲内、及び端部１５２、１５１の間の延出距離の少なくとも１５％、典型的には少なくとも２０％、場合によっては２４％〜４０％の量だけ突出する（媒体の端部１５２から端部１５２に向かう方向への最大延出量）中央突起１７２を含む。
【０１６４】
２．媒体端部３に隣接する媒体の構成から得られる利点
先に説明したように、媒体２及びセーフティカートリッジ１の端部３に隣接して襞が形成されない（又は最小限の深さの襞が形成される）ことによっても利点が得られる。これにより得られる利点は、端部３に隣接して、媒体２及びカートリッジ１の半径方向寸法が相対的に小さいことである。従って、カートリッジ全体１がシール２６に隣接して相対的に小さい半径方向寸法を有するので、図１２Ａの狭い凹部１５０ｒに嵌合できる。これは、空気流れ出口における周囲のカートリッジ１の半径方向への突出によって、出口１０６に向かう空気流れに対する制限が望ましくない程度まで増加することはないということを意味し、これも利点である。
【０１６５】
３．セーフティカートリッジ１と中央カートリッジ支持体１３０との間の相互作用による利点
中央カートリッジ支持体１３０は、アセンブリ１００内部における適正な向きを確保するようにセーフティカートリッジ１を支持する。セーフティカートリッジ１と中央カートリッジ支持体１３０との特に好都合な係合は、中央突起１３９の領域で起こる。
【０１６６】
最初にグロメット４８（４８ｖ）が弾性である場合、グロメット４８（４８ｖ）により、中央突起１３９とセーフティカートリッジ１との間で任意に緩衝係合が実現される。これは、この部位における硬質プラスチックと硬質プラスチックとの係合を回避するのを助ける。緩衝効果は、前述のように、適切な緩衝材料又は可撓性材料、すなわち弾性材料からグロメット４８（４８ｖ）を構成することにより提供される。
【０１６７】
また、図示される特定の実施形態において、中央突起１３９はセーフティカートリッジ１の開口部４０ａを完全に貫通する。その場合、開口部４０ａを閉鎖するシールを設けることが望ましい。またオプションのグロメット４８（４８ｖ）は、突起１３９と解放可能に密封係合する弾性材料から成り、このシールを提供する。
【０１６８】
図示される実施形態において、中央突起１３９は、オプションの頭部又は先端部１４５、すなわち幅広の部分と狭いネック部分１４６とを含む。これも、オプションのグロメット４８（４８ｖ）との組み合わせる利点である。特にセーフティカートリッジ１が中央カートリッジ支持体１２０に沿って押し込まれるとき、最終的には頭部又は先端部１４５はグロメット４８（４８ｖ）と係合する。その結果、頭部又は先端部１４５が押し込まれることにより、グロメット４８（４８ｖ）の開口部が拡張される。最終的には、頭部又は先端部１４５は、グロメット４８（４８ｖ）から外側へ突出し、グロメット４８（４８ｖ）がネック部分１４６を取り囲んだとき、先端部１４５がグロメット４８（４８ｖ）の開口部より幅が広いことによって、図１２Ｂに示されるような締まりばめが形成される。この締まりばめは、主カートリッジ１０２が設置、取り外しされる場合及びカートリッジ１０２が取り外される点検時に、カートリッジ１を中央カートリッジ支持体１３０の所定の部位に保持するのを助ける。締まりの量は、保守担当者がセーフティカートリッジ１を引っ張る力によって外せないほど大きくないのが好ましいが、望ましくない動きに抗してセーフティカートリッジを所定の位置に確保するのを助けるのに適切な量であるのが好ましく、従って、有益な効果を提供する。
【０１６９】
４．セーフティカートリッジ１、中央カートリッジ支持体１３０、主カートリッジ１０２及びアクセスカバー１１０の間の突起／受け入れ部分の相互作用による利点
図示されるシステム１０１において、先に説明したように、中央カートリッジ支持体１３０及びセーフティカートリッジ１は、主カートリッジ１０２の延設長さ、更には中心軸Ｘに沿って延設されるハウジング（すなわち軸方向）と比較して相対的に短い。セーフティカートリッジ１の端部材２０と、中央カートリッジ支持体１３０及びカートリッジ支持体端部１３２と、主カートリッジ１０２の端部材１７０、特に端部１７４の特定の部分１７２と、アクセスカバー１１０との間の、特に突起１２３及び凹部１２４とに関連した前述の相互作用は、いくつかの利点を提供する。例えば、主カートリッジ１０２及びセーフティカートリッジ１は、それぞれの位置で適切に安定される。また、それらのカートリッジは、適正に動作するための所望の向きに固着され、設置及び取り外しは容易である。更に、相互作用は、主カートリッジ１０２及びセーフティカートリッジ１が当該システム１０１に対して適正なカートリッジであることを確認するのを助け、不適切なカートリッジでは設置が不可能であり、すなわち適切かつ適正な密封がなければ設置できない。
【０１７０】
５．オプションの突起構造５５ｒによる利点、図１Ｂ
図１Ｂのオプションの突起５５ｒも利点を提供できる。詳細には、突起５５ｒは、主カートリッジ１０２の設置前にセーフティカートリッジ１が完全に設置されていない場合に主カートリッジ１０２の一部が圧接できるバンパを形成できる。これは、セーフティカートリッジ１を中央カートリッジ支持体１３０に沿って適正な密封位置に押し込むのを助ける。場合によっては、この種の係合を容易にするように、突起１５５ｒを相対的に弾性の材料から形成することが望ましいかもしれない。これは、必要に応じて領域１５５ｒに弾性材料を供給する成形作業によって実行可能である。
【０１７１】
６．先端部３ｔで媒体が自由端部を有することによる利点
先に説明したように、媒体２は、自由な先端部３ｔ、すなわち端キャップに埋め込まれず且つカートリッジ支持体２９のどの部分によっても取り囲まれない先端部３ｔを備えるのが好ましい。これは、この領域で凹部１５０ｒに挿入するために幅寸法が狭くなるだけではなく、先端部３ｔを自由端部にすることにより、凹部１５０ｒの中で二次密封効果が得られ、更にカートリッジ１の保守中に媒体が取り除かれる際に幾分かのクリーニング効果も得られるという意味で好都合である。
ＩＶ．いくつかの選択された変形、図１４及び図１５
図１４には、図１１の図に類似するハウジングの概略横断面図が示される。図１４の図は、使用可能な変形の一例を示すためのものである。同様の特徴は同様の作用を有するだろう。
【０１７２】
図１４を参照すると、図示されるハウジング３００は、アクセスカバー３０３を有する主ハウジング部分３０１を含む。主ハウジング部分３０１は、図１１の部分１０９にほぼ類似していてもよい。アクセスカバー３０２は、図１１のアクセスカバー１１０とほぼ類似していてもよい。この特定のアクセスカバー３０２は、突起３０５の領域で、中央受け入れ凹部３０６が図１１Ａの受け入れ部分１２４より深いという点で幾分変形されている。また、中央受け入れ凹部３０６は第２の突起３０７により取り囲まれる。しかし、アクセスカバーは、図１１のアクセスカバー１０９とほぼ同様に使用可能である。
【０１７３】
図１５には、主カートリッジ１０２に代わるカートリッジ３５０の横断面図が示される。同様の特徴は同様の作用を有する。尚、突起３５２は、閉鎖端部３５１に、両側の端キャップ３５４、３５５の間に間断なく延設されたライナ３５３の部分を含むように示されている。突起３５２は、図１３及び図１３Ａの突起１７２と同様に作用できる。尚、突起３５２は、凹部１７８ｒに類似する凹部３６０と、凹部３６３により取り囲まれる突起３６２を備える外面３６１とを有する端部を含む。これらの特徴は、図１３Ａの実施形態に関して説明され且つ示された特徴と同様に作用してもよい。更に、外面３５２ｏに、互いに離間して配置された中心位置合わせフィン３７０が見られる。それらのフィンは、中心軸Ｘ及び突起３６２に向いている。中心位置合わせフィン３７０は、図１４のリング３０７の周囲に嵌合する。フィン３７０は突起３６２の一部を取り囲むのが好ましい。このようなフィン３７０は３〜８個設けられるのが好ましい。
【０１７４】
図１５には、寸法例が次のように示される。Ｑ１＝５２０ｍｍ、Ｑ２＝３９２．５ｍｍ、Ｑ３＝１４．５ｍｍ、Ｑ４＝２３９．３ｍｍ、Ｑ５＝９８．５ｍｍ、Ｑ６＝４ｍｍ、Ｑ７＝３ｍｍ、Ｑ８＝２６９．６ｍｍ、Ｑ９＝１６０ｍｍ及びＱ１０＝１３５ｍｍ。他の寸法によって構造を実現できることは言うまでもない。
Ｖ．付加的な実施形態、構造、構成要素、特徴、技術及び方法、図１６〜図５７
図１６〜図５７には、本発明の技術の適用用途で使用可能なアセンブリ、構成要素、特徴、技術及び方法のいくつかの付加的な実施形態が示され且つ説明される。この章で特徴を示される特徴及び構成要素は、都合よく実施でき且つ各々が先に説明された種々の方法、システム、構成要素及び技術を使用して実現可能であるいくつかの変形を示す。本発明に従って少なくともいくつかの利点を得るために、アセンブリ、構成要素、特徴、技術又は方法が、ここで特徴を示される詳細のすべてを含むこと、あるいは提供可能なすべての利点を実現するように実施されることは特定して要求されていない。
【０１７５】
Ａ．フィルタアセンブリの第１の付加的な実施形態、図１６〜図４７
１．アセンブリ全般、図１６〜図２０
図１６の図中符号４０１は、本発明の付加的な実施形態に係る構成要素を含むエアクリーナアセンブリの全体を示す。エアクリーナアセンブリ４０１は、一般に、ハウジング４０２、主フィルタカートリッジ４０３及びセーフティフィルタカートリッジ４０４を備える。ハウジング４０２は、ハウジング本体部分又は本体４０２ａと、例えば主フィルタカートリッジ４０３及びセーフティカートリッジ４０４を点検するためにハウジング４０２の内部空間４０２ｉにアクセスを可能にする取り外し可能なアクセスカバー４０２ｂとを備える。
【０１７６】
更に図１６を参照すると、ハウジング４０２は、ハウジング本体４０２ａに配置された中央支持体４０７を含む。支持体４０７の作用、機能及び構造例は以下に更に詳細に説明される。通常ハウジング４０２は、先にそのような支持体について説明したのと同様に、内側に受け入れられるフィルタカートリッジ４０３、４０４に関して支持機能を提供する。
【０１７７】
更に図１６を参照すると、ハウジング４０２は、流れ入口（又は入口流れ）構造４１０及び流れ出口（又は出口流れ）構造４１１を含む。図中符号４１４は、オプションのキャップを示し、このキャップは、出口４１１で構造に配置可能である。
【０１７８】
典型的な用途において、アセンブリ４０１は、例えば車両又は他の機器の内部燃焼に使用されるようなエアクリーナアセンブリだろう。濾過される空気は、流れ入口構造４１０を通ってハウジング４０２に流入し、主フィルタカートリッジ４０３の媒体を通過し、続いてセーフティカートリッジ４０４（使用される場合）の媒体を通過するだろう。濾過済みガスは、出口構造４１１を通ってハウジングから外側方向へ流れ、システムの下流側機器へ適宜誘導されるだろう。
【０１７９】
図１７には、アセンブリ４０１の側面図が示される。先に特徴を示した特徴は、本体部分４０２ａ及びアクセスカバー４０２ｂを有するハウジング４０２、入口構造４１０、出口構造４１１及びオプションのキャップ４１４とを含む。
【０１８０】
図１８には、アクセスカバー４０２ｂに向かって見た場合のアセンブリ４０１が平面図で示される。図示されるように、アクセスカバー４０２ｂをハウジング本体４０２ａに固着するために、アクセスカバー４０２ｂには取り付けラッチ４１７が設けられる。また、動作中に水及び／又は塵芥を内部空間４０１から排出させるために、減圧排気管４１９の上に減圧排気弁４１８が配置される。
【０１８１】
図１９には、エアクリーナアセンブリ４０１の底面平面図が示される。使用中にアセンブリ４０１を機器に固着するための取り付けパッド構造４２０が見られる。取り付けパッド構造４２０は、ハウジング本体４０２ａのその他の部分と一体に成形されてもよいが、別に製造され、設置されてもよい。
【０１８２】
図２０には、出口４１１に向かって見た場合の平面図が示される。
【０１８３】
２．主フィルタカートリッジ全般、図２１〜図３０
図２１〜図３０には、図１６の主フィルタカートリッジ４０３の全般的特徴及びその選択された構成要素の特徴が示される。図２１を参照すると、主フィルタカートリッジ４０３の斜視図が示される。主フィルタカートリッジ４０３は、内部容量を取り囲むように配置された媒体パック４３１を備える。媒体パック４３１は、第１の端部材４３２とその反対側の第２の端部材４３３との間に延設される（且つ媒体端部４３１ａ、４３１ｂの間に延設された媒体４３１ｍを備える）。図示される実施形態の場合、端部材４３２は、外部領域と媒体パック４３１により取り囲まれた領域との間で材料を流通させるための開放された中央開口部が貫通する開放端部材である。図示される実施形態の場合、端部材４３３は閉鎖されており、以下に更に説明される選択された特徴を有するように都合よく構成される。
【０１８４】
媒体パック４３１は多様な材料から成る。媒体パック４３１は、内側ライナ又は外側ライナのいずれか、あるいはその双方を含んでもよい。一般的には、媒体パック４３１は、以下に説明されるような内側ライナを少なくとも含む。
【０１８５】
媒体パック４３１の媒体４３１ｍには、用途の意図に従って又は用途の必要に応じて、一般に多様な材料が使用されてもよい。典型的には、媒体４３１ｍは襞付き媒体であるが、他の構造も可能である。
【０１８６】
図示される特定の媒体パック４３１は、ほぼ円形の横断面を有するが、本発明に係るいくつかの構造では、楕円形などの他の形状も適用できる。更に、図示される特定の媒体パック４３１の形状又は横断面は、開放端部材４３２に隣接する部位から閉鎖端部材４３３に隣接する部位まで延設される間に下に向かって小さくなる。これが典型的な好適且つ有利な形状であるが、本明細書において説明される原理のうちいくつかを適用する場合、他の形状も可能である。
【０１８７】
更に図２１を参照すると、図示される特定のカートリッジ４０３は、閉鎖端部４３３に隣接して、媒体パック４３１及びその媒体４３１ｍを取り囲むオプションの塵芥排出出口シールド又は縁部構造４３５を含む。この縁部構造４３５は、図１６のハウジング減圧排気管４１９と重なり合う部位で媒体４３１ｍを取り囲むオプションの不浸透性シールドを形成する。
【０１８８】
図２２には、端部材４３２に向かって見た場合の平面図が示される。端部材４３３に隣接する部位に至るまでのカートリッジ４０３の内部空間４０３ｉを見ることができる。
【０１８９】
次に図２３を参照すると、カートリッジ４０３の一部を横断面で示す側面図が示される。端部材４３２の選択された特徴を横断面で見ることができる。例えば、媒体パック４３１により取り囲まれたカートリッジ４０３の内部空間４０３ｉと流れ連通する中央流れ開口部４３８が見られる。以下に更に詳細に説明される内側ライナ４３９の部分も見える。また、端部材４３２にあるハウジングシール構造４４０も見ることができる。図示される特定のハウジングシール構造４４０は、半径方向に向いたハウジングシール部材４４１を備える。この場合、半径方向に向いたハウジングシール部材４４１は、半径方向内側に向いたハウジングシール構造４４１ｉとして構成され、すなわちハウジングシール部材４４１は軸Ｘに向いている。図からわかるように、半径方向内側に向いた構造として、ハウジングシール部材４４１は、カートリッジが部分４０２に沿って押し込まれた場合にカートリッジと部分４０２との間に解放可能なハウジングシールを形成するように構成される。
【０１９０】
更に図２３を参照すると、端部材４３２の選択された外側特徴を見ることができる。特にオプションのクッション又はバンパ構造４４３及びオプションの溝４４４に注目する。バンパ構造４４３は、カートリッジ４０３が設置される場合にカートリッジ４０３を緩衝し且つ所定の部位で安定させるのを助けるために、ハウジング及び壁部分又はハウジング部分に軸方向に圧接されるように構成される。溝４４４は、端部材４３２の成形中の成形型スタンドオフリングからの残留物であってもよい。溝４４４は、カートリッジ４０３が設置されるときに溝４４４の中へ突出するハウジングの部分を受け入れるための受け入れリングとして向きを規定され且つ使用されてもよい。使用時、溝４４４は、中心軸Ｘの周囲に沿って典型的には連続しているが、他の構造も可能である。典型的には、端部材４３２は、先に特徴を示した種類の硬度ショアＡを有する発泡ポリウレタンなどの材料からモールドインプレース成形される。他の材料も可能であることは言うまでもない。
【０１９１】
ライナ４３９の半径方向外側且つ溝４４４の半径方向内側に配置された溝４４５は、オプションの溝である。溝４４５は、特定の種類の成形作業から人為的に形成された部分であってもよいが、場合によっては、必要に応じて除去されてもよい。
【０１９２】
図２４には、フィルタカートリッジ４０３の横断面図が提示される。図２４では、両端部４３２ｘ、４３３ｘ（端部材４３２、４３３がそれぞれ配置される部位である）の間に延設されたライナ４３９を更に詳細に見ることができる。ライナ４３９は両端部４３９ａ、４３９ｂを有し、それらの端部の間に側壁構造４３９ｓが延設されることがわかる。図示される実施形態の場合、側壁構造４３９ｓは、媒体パック４３１の内部空間４３１ｉに沿って媒体パック４３１の媒体４３１ｍを更に支持する多孔質構造を構成するために、長手方向（軸方向）支持部４３９ｔと周囲リブ４３９ｒとから成る格子構造である。
【０１９３】
図示される特定の実施形態の構造の場合、側壁４３９ｓは、端部材４３２から端部材４３３に至る間に次第に細くなる媒体パック４３１（及び媒体４３１ｍ）を支持するように構成されるので、側壁４３９ｓも次第に細くなる形状である。典型的には、外側襞先端部又は媒体面に沿ったテーパの角度は少なくとも０．３°、通常は少なくとも０．５°、典型的には５°以下、多くの場合に０．３°以上、３°以下の範囲内であるが、他の角度も可能である。テーパの角度と言う場合、それは中心軸Ｘに対する角度を表す。
【０１９４】
更に図２４を参照すると、端部材４３２に隣接して端部材４３２に埋め込まれた支持体端部４３９ａが示される。支持体端部４３９ａはほぼ開放された端部であり、ハウジングシール構造４４１の周囲に配置され且つハウジングシール構造４４１に対して支持する。
【０１９５】
更に図２４を参照すると、端部４３９ｂは、ライナ４３９に配置された閉鎖された中央端部構造４３９ｅを取り囲み、媒体の内部空間４３１ｉの中央領域を閉鎖する。閉鎖端部構造４３９ｅの選択された特徴は、他の図に関連して説明される。本明細書に関連して使用される場合の一般的な用語として、閉鎖された「中央端部構造」は、ライナの開放端部４３８から離れた部位（すなわちカートリッジの端部材４３２から離れた部位）でカートリッジ４０３の内部空間４３１ｉを覆うように延設され且つ内部空間４３１ｉを閉鎖する構造である。
【０１９６】
図２５には、カートリッジ４０３の概略展開図が示される。説明される構成要素は、同様の図中符号により特徴付けられる。尚、図２５の展開図は概略的であり、通常各部分を図示されるように分離することはできないだろう。例えば、典型的には、図の両端部に示される端部材４３２、４３３の部分は、媒体４３１ｍにモールドインプレース成形されるので、媒体４３１ｍから分離することは不可能だろう。
【０１９７】
次に図２６に注目する。図２６はライナ４３９の拡大横断面図である。図２６を参照すると、端部４３９ａに隣接して複数の流れ開口部４５１が貫通する端部リング４５０が設けられる。端部材４３２の成形中、樹脂はそれらの開口部４５１を通って流れることができるので、シール４４１ｒに対する構造的バックアップ支持を確保しつつ、端部材４３２のモールドインプレース成形部分とライナ４３９との間の結合を容易にする。互いに離間して配置された突起４５２は、成形型スタンドオフとして収納されてもよい。
【０１９８】
図２７はほぼ端部４３９ａに向かって見た場合の端面図である。図２８はほぼ端部４３９ｂに向かって見た場合の端面図である。
【０１９９】
図２９には、ライナ４３９の斜視図が示される。開口部４３９ｑは、図２５の端部材４３３のモールドインプレース部分の成形中に樹脂が流れる部位である。
【０２００】
図３０には、図２６に示されるライナ４３９の部分、特に閉鎖端部４３９ｅの領域にある部分の拡大部分横断面図が示される。閉鎖端部４３９ｅは、図２１の得られたカートリッジ４０３において、カートリッジの内部空間４０３ｉに沿って延出する閉鎖された中央領域４６０を規定することがわかる。再び図３０を参照すると、中央領域４６０は、内面４６０ｉ及びその反対側の外面４６０ｘを有する。内面４６０ｉは、図２１の得られたカートリッジ４０３の内部空間４０３ｉに面する面、すなわち端部材４３２に向いた面である。面４６０ｘは外側面であり、内部空間４０３ｉとは反対の側に向き、ほぼ端部材４３２から離れる方向に向いた面である。
【０２０１】
図３０で見ることができるライナ４３９及び得られたフィルタカートリッジ４０３のいくつかの選択された特徴は次の通りである。内部空間４６０ｉに沿って、端部材４６０は、内部空間４０３ｉ及び得られたカートリッジ４０３の反対側の端部４３２に向かって突出する突起４６２を含む。更に、突起４６２は、得られたカートリッジにおいて内部空間４０３ｉ及び反対側の端部４３２から逆の方向へ突出する受け入れ凹部４６３を取り囲む。受け入れ凹部４６３は、閉鎖された端部４６０の中央部分４６０ｐにより閉鎖される。
【０２０２】
図示される特定のアセンブリの場合、突起４６２は、中心軸Ｘを取り囲む（本実施形態においては中心軸Ｘと同一の中心を有する）連続する中央リングである。リング４６２は、端部リング４６６で接合された互いに離間する外壁４６４及び内壁４６５により規定される。
【０２０３】
外面４６０ｘ、２つの側壁４６４、４６５及び端部分４６６は、中央突起４７１を取り囲む受け入れ溝４７０を規定し、その一端部は中央突起４６０ｐにより規定される。溝４７０は、溝４７０の中へ突出する以下に説明されるアクセスカバーの部分を受け入れるような大きさに形成され且つそのような位置に配置される。更に、突起４７１は、アクセスカバーの溝４７０の中へ突出する部分により取り囲まれたアクセスカバーの中央受け入れ部分の中へ突出するような大きさに形成される。本実施形態において、内側壁４６５は突起４７１の側壁部分であることがわかる。
【０２０４】
３．ハウジング４０２及び本体部分４０２ａの特徴全般、図３１〜図３６
図３１には、ハウジング本体部分４０２ａの特定の特徴の展開斜視図が示される。図３１を参照すると、ハウジング本体部分４０２ａは、入口４１０を有する側壁４８０と、出口４１１を有する端壁又は端部領域４０２ｘとを含むことがわかる。図示されるように、側壁４８０の適切な部位には、使用の必要に応じて、本体部分４０２ａ、実際には図１６のアセンブリ４０１全体を取り付けるための取り付けパッド構造又はフットパッド構造４２０が配置される。領域４２０はモールドインプレース成形されてもよいが、あらかじめ形成された後に所定の部位に固着されてもよい。
【０２０５】
図３１全体を参照すると、付加的な内部構造が示される。特に図示される実施形態の場合、中央支持体４０７は、あらかじめ形成された後にハウジング部分４０２ａに固着又は配置されてもよい。別の特徴はオプションの好適な傾斜部材４８５であり、これも、あらかじめ形成された後に端部分４０２ａの中に固着されてもよい。
【０２０６】
一般に、支持体４０７は、使用中にフィルタカートリッジ４０３、４０４の一方又は双方のような、内部に配置された構造に対して所望の支持を提供してもよい。このことは以下に更に詳細に説明される。入口４１０に流入した空気がサイクロンパターンを描いて誘導されるように、傾斜部材４８５は、あらかじめ形成された後にアセンブリの中に適宜固着されてもよい。
【０２０７】
図３２〜図３６には、支持体４０７が更に詳細に示される。
【０２０８】
図３２を参照すると、支持体４０７が斜視図で示される。支持体４０７は、第１の端部４９０及び第２の端部４９１を備え、両端部の間に側部構造又は側壁構造４９２が延設される。図示される特定の実施形態の場合、側部構造４９２は格子構造であるので、濾過される材料の流れ、例えば空気の流れは、使用中に格子を通り抜ける。この点に関する作用については、以下に更に詳細に説明する。
【０２０９】
端部材４９０は開放端部４９０ｘをほぼ取り囲み、格子４９２により取り囲まれる内部領域と流体流れ連通できる。端部４９１は、一般に、以下に説明するようにセーフティ要素及び／又は主フィルタ要素などの支持構成要素と相互に作用する特徴を備えるように構成される。
【０２１０】
端部４９１は支持端部であり、いくつかの好適な特徴を含む。例えば、端部４９１は、使用中にセーフティフィルタカートリッジ又は二次フィルタカートリッジの一端部にある突起の間に位置し、半径方向外側へ突出する互いに離間して配置された突起部分４９１ｒを含む。端部４９１は、中央突起４９０を含むか、又は受け入れ凹部５０４及び中央突起５０６を更に含む。
【０２１１】
図３３には、中央支持体４０７の横断面図が示される。端部４９０の開口部４９０ｘの周囲には、離間して配置された複数の可撓性部材４９０ｐが設けられる。これらの可撓性部材４９０ｐは、設置中、図３１のハウジング端部４０２ｘにある構造とスナップフィットにより係合する。多くの場合、典型的な用途では、支持体４０７がハウジング４０２の中に位置決めされた後、支持体４０７を容易に取り外すことができないように、フック係合又はラチェット係合が使用される。これは、支持体４０７がまったく取り外し不可能であるように構成されなければならないということを意味するのではなく、典型的には、単に支持体４０７を取り外すことは望まれないだろうという意味である。尚、場合によっては、支持体４０７は、ハウジング４０２のその他の部分と一体に構成されてもよいが、典型的な好適な用途では、別に製造され、組み立て中に所定の部位に押し込まれる部材である。
【０２１２】
図３５には、端部４９１に向かって見た場合の端面図が示される。図３６には、端部４９０に向かって見た場合の端面図が示される。
【０２１３】
図３４には、図３３の指示された部分の拡大部分横断面図が示される。支持体４０７のいくつかの選択された特徴を見ることができる。
【０２１４】
図３４を参照すると、支持体４０７のカートリッジ係合端部であることがわかる端部４９１は、ほぼ図３３の端部４９０から離れる方向に突出し、従って、使用中はアクセスカバー４０２ｂに向く中央突起４９３を含む。突起４９３は凹部又は受け入れ溝４９４により取り囲まれる。図示される実施形態において、突起４９３は、狭いネック部分４９６に位置する先端部４９５まで延出し、先端部４９５は、ネック４９６よりわずかに大きい横断面寸法を有する。カートリッジ構造との係合中の先端部４９５及びネック部分４９６の作用は、以下に更に詳細に説明される。
【０２１５】
４．セーフティフィルタ４０４の実施形態の特徴、図３７〜図４５
図３７〜図４５には、セーフティフィルタ４０４及びその構成要素が示される。図３７を参照すると、セーフティフィルタ又は二次フィルタ４０４が展開図で示され、セーフティフィルタ４０４は、セーフティフィルタカートリッジ部分４０４ａ、シールリング５０１及びクッション部材又はグロメット５０２を備える。
【０２１６】
一般に、セーフティフィルタ領域４０４ａは、両端部４０４ａ、４０４ｂの間に延設された媒体パック４０４ｍを備える。セーフティフィルタ領域４０４ａは、先に図１〜図１５に関して説明したセーフティフィルタとほぼ同様であってもよい。
【０２１７】
図示されるグロメット又はクッション部材５０２は、詳細な点で、先に説明したグロメット又はクッション部材とは異なるが、通常端部４０４ｂに配置された中央突起５０６の開口部５０５の中に配置できる。グロメット又はクッション部材５０２は、形成後、開口部５０５に押し込まれてもよいが、あらかじめ形成された後、端部４０４ｂが成形される際に成形型に挿入されてもよい。典型的には、グロメット又はクッション部材５０２は、あらかじめ形成された後に、あらかじめ形成されていた突起５０６及び開口部５０５に押し込まれるだろう。典型的には、以下に説明されるように、グロメット又はクッション部材５０２の機能の大半はクッション部材として作用することであるので、グロメット又はクッション部材５０２は、本明細書において先に提示したような硬度を有するシリコーンゴムなどの弾性熱可塑性エラストマー又はそれに類似する材料から形成される。更に図３７を参照すると、シールリング５０１は受け入れ溝４０４ｇの中に配置できるＯリングである。あるいは、シール５０１は、モールドインプレース成形されたシール部材であってもよい。
【０２１８】
図３８には、選択された部分が破断された横断面で示されるカートリッジ４０４の側面図が示される。図３８を参照すると、カートリッジ４０４は、端部４０４ａ、４０４ｂの間に延設された媒体を備えることがわかる。グロメット５０２に関して以下に詳細に説明される点を除き、カートリッジ４０４は、先に特徴を示した代替構成及び変形を含めて、先に説明した類似のカートリッジとほぼ同様であってもよい。
【０２１９】
図３９には、端部４０４ｂに向かって見た場合の平面図が示される。クッション部材又はグロメット２０２を見ることができる。
【０２２０】
図４０には、図３８の指示された部分の拡大部分横断面図が示される。中央突起５０６は、溝又は受け入れ部分５０４により取り囲まれ且つ図３７の端部４０４ａから遠い側に先端部５０６ｔを有することがわかる。先端部５０６ｔは、開口部５０５を取り囲み且つ規定する。クッション部材又はグロメット５０２は開口部５０７の中に配置される。
【０２２１】
更に詳細には、クッション部材又はグロメット５０２は、開口部５０５を貫通し、図示される実施形態では、開口部５０５を完全に閉鎖する。クッション部材又はグロメット５０２は、内部受け入れ領域５０８を含み且つ規定する。受け入れ領域５０８は、少なくとも部分的に突起５０６により取り囲まれるように配置される。図示される特定の領域５０８は、ネック５０９及び軸Ｘに沿って図３８の端部４０４ａの反対側に位置するネック５０９の端部分５１０に向かって狭くなっている。クッション部材又はグロメット５０２の内部５０２ｉは、中央支持体４０７の図３４の突起４９３の一部を隙間なく受け入れる（好ましくは締まりばめのように）ように規定される。特に先端部４９５は領域５１０の中に受け入れられ、細いネック４９６は、先に説明したクッション部材と同様に、ネック５０９と係合するだろう。
【０２２２】
しかし、図４０の実施形態では、領域５１０は、突起５０６の外側の先端部５０６ｔを越える位置に配置されたクッション部材５０５の端部材５０２ｘにより閉鎖される。
【０２２３】
更に図４０を参照すると、クッション部材又はグロメット５０２は係合構造５１１を含む。この構造は、先端部５０６ｔに沿って突出し、軸Ｘから半径方向外側へ先端部５０６ｔの突起５０６を越えるまで延出するように配置された外側領域５１１ｏで終端するような大きさに形成される。係合構造５１１は、先端部５０６ｔを越えて半径方向に少なくとも０．５ｍｍ、通常は少なくとも１ｍｍ延出するのが好ましい。典型的な構造では、図３９からわかるように、外側領域５１１ａは円形である。しかし、他の構造も可能である。領域５１１ｏは、以下に説明されるように、フィルタカートリッジと好適に係合するように構成される。
【０２２４】
図４１には、クッション部材又はグロメット５０５が斜視図で示される。
【０２２５】
図４１では、外側領域５１１ｏを支持するガセット５０２ｇを見ることができる。
【０２２６】
図４２には、部材５０５の拡大横断面図が示される。
【０２２７】
図４３には、図４０の内部及び端部５０８に向かって見た場合の部材５０２の端面図が示される。
【０２２８】
図４４には、図３７のシールリング５０１を除くカートリッジ４０４の側面図が示される。図１〜図１５の構造に関して先に説明したのと同様に、媒体４０４ｍに襞が形成可能である。従って、媒体４０４ｍは、中心軸Ｘに対して異なる延出角度で形成された外側襞先端部及び内側襞先端部を有してもよい。
【０２２９】
図４５には、図４４の線４５−４５に従ったカートリッジ４０４の部分横断面図が示される。一部のみ、破断された横断面で示される。図４５Ａには、その部分の拡大部分図が示され、媒体襞４７５の先端部４７４に沿って延出する外側支持リブ４７３ｒを見ることができる。
【０２３０】
５．構成要素の相互作用中の選択された特徴、図４６及び図４７
図４６及び図４７には、図１６〜図２０のエアクリーナ４０１の構成要素の間の相互作用の選択された特徴が示される。
【０２３１】
図４６には、アクセスカバー４０２ｂに隣接した部位の拡大部分概略横断面図が示される。図４６を参照すると、アクセスカバー４０２ｂは、中央ハウジング突起又はアクセスカバー突起５２１を有する端面又は内面５２０を有することがわかり、突起５２１は、端面５２０から、内側に受け入れられたカートリッジ４０３、４０４、支持体４０７及びハウジングベース部分４０２ａ（図示せず）に向かう方向に突出している。
【０２３２】
中央突起５２１は、中央受け入れ凹部５２２を取り囲み且つ規定する。図示される特定の実施形態の場合、突起５２１の中心は中心軸Ｘと一致し、突起５２１は中心軸Ｘを取り囲む。これが典型的な構造であるが、あらゆる場合に必ず必要とされるわけではない。
【０２３３】
更に図４７を参照すると、アクセスカバー突起５２１は、カートリッジ４０３の端部４３９ｅ（４６０）にある溝４７０の中へ突出し、この溝４７０により受け入れられていること、及び内壁４６５及び外壁４６４の間の部位まで突出していることがわかる。これにより、図示されるように、カートリッジ突起４７１はアクセスカバー凹部５２２の中まで延出する。
【０２３４】
図４６では、主フィルタカートリッジ４０３の端部材４３９ｅ（４６０）の内面にある突出リング４６２がセーフティカートリッジ４０４の溝又は凹部５０４の中へ突出していることがわかり、この溝又は凹部５０４は、中央突起５０６を取り囲み、突起５０６と残る部分の外側壁５０４ｓ又は溝５０４との間に配置される。
【０２３５】
クッション部材又はグロメット５０２に注目する。外側部分５１１ｏは、主カートリッジ４０３の突起４７１の半径方向内側の面部分と係合していることがわかる。これがクッション部材構造部分だろう。
【０２３６】
更に図４６を参照して、支持体４０７の突起４９３に注目する。突起４９３は、先に説明したようにクッション部材又はグロメット５０２の中へ突出する先端部４９５を有することがわかる。
【０２３７】
図４６から、選択された構成要素、すなわち突起４７１の中でグロメット５０２及び主カートリッジ４０３、並びに先端部４９５における支持体４０７とグロメット５０２の間で緩衝相互作用が提供されていることがわかる。これは、確実な係合を提供すると共に、隣接する部分の一方又は他方、あるいは双方に損傷を与えるような部分間の摩擦を引き起こすことのない緩衝係合を提供するのを助けることができる。
【０２３８】
図４７には、アセンブリの領域４６とは反対の側の端部の領域における相互作用を示す拡大部分図が示される。この場合、図示されるように、出口４１１は支持リング５３０により補強される。また、フランジ５２１の内側に沿ってセーフティフィルタ４０４のシール部材５０１と係合し且つ外側では主フィルタカートリッジ４０３のシール部材４４０と係合するシールフランジ５３１を見ることができる。更に、フランジ５３１は、セーフティフィルタ４０４の一端部で、フランジ５３１と支持体４０７との間に溝５３３を規定していることがわかる。セーフティ媒体の末端部５３４は、この溝５３３の中へ突出していることがわかる。
【０２３９】
更に図４７を参照すると、ハウジング本体４０２ａの一端部にある突起５３６は、主フィルタカートリッジ４０３の溝４４４の中へ突出していることがわかる。
【０２４０】
６．図１６〜図４７の構造の寸法例
図１６〜図４７のうち選択された図において、図示される構造のいくつかの寸法例が提示される。それらの寸法の変更は実施可能であるが、以下に示す寸法例のリストは、図示される特定の大きさであるか又は別の大きさであるかに関わらず、本発明の実施適用を容易にする。
【０２４１】
図１６〜図４７において、指示される寸法例は次の通りである。ＴＡ１＝３５０ｍｍ、ＴＡ２＝２７４．８ｍｍ、ＴＡ３＝３３１．９ｍｍ、ＴＡ４＝２２７．８ｍｍ、ＴＡ５＝１２５．８ｍｍ、ＴＡ６＝３５０．５ｍｍ、ＴＡ７＝２１０．４ｍｍ、ＴＡ８＝１２６．８ｍｍ、ＴＡ９＝３３７．５ｍｍ、ＴＡ１０＝６ｍｍ、ＴＡ１１＝８５．３ｍｍ、ＴＡ１２＝２１０．４ｍｍ、ＴＡ１３＝１４８．６ｍｍ、ＴＡ１４＝１４１．８ｍｍ、ＴＡ１５＝３３７．５ｍｍ、ＴＡ１６＝１２ｍｍ、Ａ１７は指示される領域の厚さを２．５ｍｍとして示すものである、ＴＡ１８＝３３ｍｍ、ＴＡ１９＝４．５ｍｍ、ＴＡ２０＝４ｍｍ、ＴＡ２１＝３４．４ｍｍ、ＴＡ２２＝２５．２ｍｍ、ＴＡ２３＝１２７．５ｍｍ、ＴＡ２４＝１４．５ｍｍ、ＴＡ２５＝８．５ｍｍ、ＴＡ２６＝４ｍｍ、ＴＡ２８＝２．９ｍｍ、ＴＡ２９＝２５ｍｍ、ＴＡ３０＝９５．２ｍｍ、ＴＡ３１＝２９５．９ｍｍ、ＴＡ３２＝２８．３ｍｍ、ＴＡ３３＝２３ｍｍ、ＴＡ３４＝５０．５ｍｍ、ＴＡ３５＝１１．１ｍｍ、Ａ３６＝５．６ｍｍ、ＴＡ３７＝４．９ｍｍ、ＴＡ３８＝２５．６ｍｍ、ＴＡ３９＝６．６ｍｍ、ＴＡ４０＝２．１ｍｍ、ＴＡ４１＝４．４ｍｍ、ＴＡ４２＝１２６．１ｍｍ、ＴＡ４３＝２９７．５ｍｍ、ＴＡ４４＝１４．６ｍｍ、ＴＡ４５＝５ｍｍ、ＴＡ４６＝１５ｍｍ、ＴＡ４７＝４．９ｍｍ、ＴＡ４８＝５ｍｍ、ＴＡ４９＝２０．３ｍｍ、ＴＡ５０＝７３．２ｍｍ、ＴＡ５１＝６９．３ｍｍ、ＴＡ５２＝６９．３ｍｍ、ＴＡ５３＝５ｍｍ、ＴＡ５４＝５ｍｍ、ＴＡ５５＝２３．１ｍｍ、ＴＡ５６＝４７．８ｍｍ、ＴＡ５７＝３３．５ｍｍ、ＴＡ５８＝２７．５ｍｍ、ＴＡ５９＝２７．５ｍｍ、ＴＡ６０＝３８．１ｍｍ、ＴＡ６１＝５１．４ｍｍ。
【０２４２】
再び図４６を参照すると、内壁４６５及び外壁４６４が端部材４３９ｅの外面に受け入れ溝を規定している先端部又はリング４６２は、２０ｍｍを超えず、典型的には３０ｍｍを超えず、好ましくは２５ｍｍを超えず、通常は５〜１６ｍｍの範囲内の幅寸法を有するのが好ましい。他の寸法も可能である。典型的には、外壁４６４は、中心軸Ｘに垂直な面に対して少なくとも８５°、典型的には少なくとも８６°、通常は８７〜８９．５°の範囲内のかなり急な角度で延出するＸ軸に向かう内面部分を有する。
【０２４３】
他の寸法も可能であるが、クッション部材５１１ｏと係合する部位における突起４７１の内面は、典型的には円形の横断面を有するのが好ましく、中心軸Ｘの周囲で３６０°の弧を描いて部材４１１ｏの外周と係合するのが好ましい。典型的には、この面部分は、この部位におけるクッション部材の横断面寸法よりわずかに小さく、好ましくは少なくとも０．２ｍｍ小さく、通常は少なくとも０．５ｍｍ小さく、場合によっては１ｍｍ以上小さい。典型的には、クッション部材５１０の係合部分５１１ｏの全体の寸法は、少なくとも１２ｍｍ、典型的には少なくとも１５ｍｍ、通常は２６ｍｍ以下、典型的には２３ｍｍ以下の横断面寸法を有する。典型的には、クッション部材５１１ｏが係合する面部分５６５は、中心軸Ｘに垂直な平面に対して、少なくとも８４°、典型的には少なくとも８５°、多くの場合に８６°〜８９．５°の範囲内の角度で延在する。言い換えれば、典型的には、この面部分は、カートリッジ中心軸Ｘに対して、少なくとも０．５°、典型的には６°以下、通常は０．５〜４°の範囲内の角度で延在するということになる。
【０２４４】
壁４６５の面、すなわち突起４７１の内面がクッション構造５０２、特に周囲部５１１ｏと係合する領域の規定は、この規定から外れる突起４７１の部分がまったく存在しないことを示唆するものではない。これは、カートリッジが設置中にグロメット部材５０２と完全に係合した場合に係合する部分を表すことを意図する。
【０２４５】
典型的には、溝４７０は、外壁４６４に隣接する部位から内側へ少なくとも１０ｍｍ、典型的に少なくとも１２ｍｍ、多くの場合に少なくとも１４ｍｍ、例えば１４〜３０ｍｍの深さを有する。
【０２４６】
Ｂ．第２の付加的な代替構成のエアクリーナアセンブリの実施形態、図４８〜図５２
図４８〜図５２には、図１６〜図４７の構造の特徴の多くを使用する第２の付加的な実施形態が示される。図５３〜図５７に示される第３の実施形態については、次の章で説明する。これらの図から、本発明に係る更なる変形及び実施形態を理解できる。
【０２４７】
先に説明した実施形態において、シール端部から離れた側の端部を有し且つ襞の端部を閉鎖する複数の半径方向に突出する部材を備え、それらの部材は、相互間に凹部又は空間を有するようなセーフティフィルタ又は二次フィルタの構成を説明した。これは、延出角度に関して同一ではない外側襞先端部及び内側襞先端部を有する好適な媒体の規定と相関していた。
【０２４８】
安全二次フィルタ構成が媒体パックに関して従来の構成により近い場合、例えば、セーフティフィルタの媒体パックの襞端部が次第に細くなる形状になっているのではなく、媒体パックが円筒形又はわずかに円錐形の形状である場合であっても、先に説明された特定の特徴を適用することによって利点を得ることができる。これは、図４８〜図５７の実施形態から理解される変形の１つである。
【０２４９】
図４８には、ハウジング６０２を備えるエアクリーナアセンブリ６０１の一実施形態が示される。ハウジング６０２は、ラッチ６１７を介して配置された取り外し可能なアクセスカバー６０２ｂを有するハウジング本体６０２ａを備える。アクセスカバー６０２ｂは、減圧排気弁部材６１８を有する減圧排気管６１９を含む。ハウジング６０２は入口６１０及び出口６１１を更に含む。図示されるように、ハウジング本体６０２に取り付けパッド構造６２０が配置される。取り付けパッド構造６２０は、使用中、アセンブリ６０１が機器部分から吊り下げられるように構成されるが、他の構成も可能である。
【０２５０】
図４９には、エアクリーナアセンブリ６０１の展開斜視図が示される。アセンブリ６０１は、ハウジング６０２、主フィルタカートリッジ６０３、セーフティカートリッジ６０４及びハウジング本体６０２ａに配置された支持体６０７を含む。キャップ６１４も見ることができる。以下に説明されるように支持体６０７及びセーフティフィルタ６０４が変形されている点を除き、それらの部品は、先に説明された部品にほぼ類似していてもよい。
【０２５１】
図５０には、エアクリーナアセンブリ６０１の横断面図が示される。図示される主フィルタカートリッジ６０３は、端部６３１ａ及び６３１ｂの間、並びに端部材６３２及び６３３の間に延設された媒体パック６３１（媒体６３１ｍを備える）を含むことがわかる。図示されるように、媒体パック６３１は内側ライナ６３９を含み、内側ライナ６３９の周囲に媒体６３１ｍが配置される。端部材６３２は端部材４３２とほぼ同様に構成され、ハウジング６０２のシールフランジ６４３の周囲を密封するように配置されたシール部材６４０により内側に向いた半径方向シールを形成する。端部材６３３は、以下に説明する特定の詳細を除き、端部材４３３とほぼ同様に作用する。
【０２５２】
セーフティエレメント６０４は、開放された内部空間６０５ｉの周囲に、端部６０４ａ及び６０４ｂの間に支持された媒体６０５を備える。端部６０４ａは、半径方向（図示される実施形態では外側）に向いたシール部材６０４ｒを含む。この場合、図示されるシール部材６０４ｒはＯリングを含まないが、Ｏリングを使用することも可能だろう。セーフティエレメント６０４に配置された端部材６４３ｘは、一般に、使用中に外側に向いた半径方向シールを形成するのに十分な柔軟性及び圧縮性を有する材料（発泡ポリウレタンなど）から形成されるだろう。
【０２５３】
尚、図示されるセーフティエレメント６０４は、先に説明したセーフティフィルタに類似する媒体構成を有していない。セーフティエレメント６０４はほぼ円筒形の媒体構成を有し、媒体６０５は、その長さに沿って深さ（例えば襞が形成される場合には襞深さ）に関して変化しない。更に、媒体６０５は、セーフティフィルタ４０４の空間突起構造を有する端部材とは異なり、端部６０４ｂで、ほぼ円形の外径を有する端部材により閉鎖されることが理解されるだろう。このことは以下に更に説明される。
【０２５４】
端部６０７ａでハウジングに任意にスナップフィットされる中央支持体６０７が示される。
【０２５５】
図４９から理解できるように、支持体６０７は、特定の構成においては先に説明した支持体４０７とは異なるが、多くの類似する機能を提供するように構成される。特に支持体６０７は、端部６０７ｅに長手方向延出部６０７ｌ及びリブ６０７ｒの構造を備えるが、ほぼ円形であり、図３２に示されるような突起と凹部との交互配列を伴う支持体４０７に類似する形状を有していない。
【０２５６】
図５１には、図５０の一部の拡大部分横断面図が示され、この部分は、アクセスカバー６０２ｂ、主フィルタカートリッジ６０３、セーフティカートリッジ又は二次カートリッジ６０４及び中央（タワー）支持体６０７の間の係合が起こる部位である。主フィルタカートリッジ８０４は、内部空間に沿って、ライナ４３９の端部４３９に幾分類似する閉鎖部材６３９ｅを有することがわかる。図５１の構造の場合、閉鎖部材６３９ｅはライナ６３９の端部でもあり、その周囲にカートリッジ６０３の媒体６３１ｍが配置される。閉鎖部材６３９ｅは、外面６３９ｘ及び内面６３９ｉを含む。内面に沿って、端部又は先端部６６０ｐで終端する中央受け入れ凹部６６３が規定される。受け入れ凹部６６３は、外面６３９ｘの突起６７１により規定される。外面６３９ｘの突起６７１を取り囲むように、端部、リング又は突起６６２で接合する内壁６６５と外壁６６４との間に溝６７０が配置される。
【０２５７】
セーフティフィルタ又は二次フィルタ６０４は、それを横切って延出する端部７０１を含み、この端部７０１は、図５０のシール６０４ｒから離れた側の端部でセーフティフィルタ６０４の端部６０４を閉鎖する。端部７０１は、開放された先端部７０６ｔを有する中央突起７０６を規定し、この先端部７０６ｔに特定の部材グロメット７０２が配置される。グロメット又はクッション部材７０２は、先に説明したグロメット又はクッション部材５０２にほぼ類似していてもよい。突起７０６を取り囲むように、半径方向内側の壁７０８と外側の壁７０９との間に溝７０７が規定され、内壁７０８は突起７０６の一部である。壁７０８及び７０９の間のこの溝７０７の中へ、主カートリッジ６０３の端部材６３９ｅの突起リング６６２が突出している。
【０２５８】
支持体６０７は中央突起７１１を有する端部７１０を含み、中央突起７１１は溝７１３により取り囲まれ、先に説明した構造と同様に先端部７１１ｔ及び狭いネック７１１ｎを有する。
【０２５９】
更に、アクセスカバー６０２ｂは、受け入れ部分７１６を取り囲む中央突起７１５を含む。受け入れ部分７１６は、その中へ突出する突起６６３、突起７０６及び突起７１１を受け入れるような大きさに形成される。アクセスカバーの突起７１５は、主フィルタカートリッジ４０３の壁６６４、６６５の間の受け入れ溝６６４ｇの中へ突出するような大きさに形成される。
【０２６０】
図５１には、図４６に示され且つ先に説明された構成要素の間の同様の相互作用が示される。グロメット又はクッション部材７０２は、主フィルタカートリッジを安定させるために、突起６６３の内面と側壁部分に沿って締まりばめのように係合するような大きさに形成される。更に、グロメット又はクッション部材７０２は、先端部７１１ｔに隣接して、締まりばめのように且つ緩衝作用を実現するように突起７１１と係合するような大きさに形成される。これは、設置後の主フィルタカートリッジ及びセーフティフィルタカートリッジの動きを制御するのを助ける。
【０２６１】
また、図示される溝と突起の間の種々の相互作用は、適正なカートリッジのみが設置されたことを確認するのを助ける。
【０２６２】
尚、更に図５１を参照すると、支持体６０７の端部分７１０にある開口部７１６を見ることができる。最初の組み立て中に、支持体６０７をハウジング６０２に位置決めするために、機械的アセンブリの１つ以上の突起を受け入れるために、１つ以上のそのような開口部７１６が使用されてもよい。
【０２６３】
図４８において、寸法例は、ＴＡ６２＝３０２．８ｍｍ、ＴＡ６３＝５３０ｍｍ、ＴＡ６４＝６０７ｍｍとして示される。図５１において、寸法例は次のように示される。ＴＡ６５＝２２．８ｍｍ、ＴＡ６６＝６１．１ｍｍ、ＴＡ６７＝５３ｍｍ、ＴＡ６８＝４６．９ｍｍ、ＴＡ６９＝３８．９ｍｍ、ＴＡ７０＝５２．９ｍｍ及びＴＡ７１＝６１ｍｍ。
【０２６４】
図５２には、出口６１１に隣接する部位のアセンブリの拡大部分横断面図が示される。出口６１１は、補強リング６１１ｒを有することがわかる。図５２では、主フィルタカートリッジ６０３の内側に向いた半径方向シール６４０がシールフランジ６４３と係合していることがわかる。また、セーフティカートリッジ６０４は、所望の係合を提供するためにＯリングを使用しないが、適切な圧縮性材料から成形された端部材６４３ａを使用し、外側に向いた半径方向密封部材を有するフランジ６４３と係合していることがわかる。別の構成では、Ｏリング係合が使用可能である。
【０２６５】
長い軸方向延出部分６０７ｌ及び半径方向リブ６０７ｒを含む支持体６０７が示される。入口６１０を見ることができる。先に説明した他の入口構造と同様に、入口６１０は、必要に応じて補強リング６１１ｒに類似する補強リング及び出口６１１を備えることができる。
【０２６６】
図４８〜図５２の実施形態は、先の実施形態で説明した種々の特徴又はセーフティエレメントを使用しない柔軟な要素を有する構造であることを除き、先に説明した構造に類似するグロメット構造を使用して、主フィルタカートリッジと支持体との間、及び／又はセーフティフィルタカートリッジと支持体との間の緩衝係合を実現できることを示す。
【０２６７】
図５１を参照すると、構造のいくつかの好適な特徴及び寸法が示される。例えば、典型的には、壁６６４、６６５の間に延設される溝６６４ｇの先端部は、３０ｍｍを超えず、通常は２８ｍｍを超えず、典型的には２５ｍｍを超えない幅を有するのが好ましい。また、溝６６４ｇの外側壁である側壁６６４は、中心軸Ｘに垂直な平面に対して、少なくとも４０°、典型的には少なくとも５０°、多くの場合に少なくとも６０°、通常は６０°以上、８０°以下の範囲内の鋭角を成して外側へ延出又はテーパしているのが好ましい。
【０２６８】
典型的には、クッション構造７０２により取り囲まれ且つクッション構造７０２と係合する突起６６３の内面部分は、中心軸Ｘに対して、少なくとも０．５°、典型的には少なくとも１°、多くの場合に１〜７°の範囲内の角度（テーパ角度）で延出するのが好ましい。典型的には、この内面部分は、クッション構造７０２と３６０°にわたり連続して相互作用しつつ、締まりばめのように係合する。典型的には、この部位における突起６６３を横切る寸法は、係合が起こったときのクッション部材７０２を横切る延出部より少なくとも０．２ｍｍ小さく、好ましくは少なくとも０．５ｍｍ小さく、場合によっては１ｍｍ以上小さい。
【０２６９】
典型的には、係合が起こったときの突起６６３の横断面寸法は、少なくとも１２ｍｍ、典型的には少なくとも１５ｍｍであり、好ましくは２６ｍｍを超えず、通常は２３ｍｍを超えない。
【０２７０】
Ｃ．第３の付加的な実施形態、図５３〜図５７
図５３〜図５７には、図４８〜図５２のアセンブリにほぼ類似するアセンブリが示される。図５３〜図５７のアセンブリは、寸法の変更に対応するために含まれる寸法の特徴及び構造上の特徴を除き、構造及び作用の点で類似していることを意図する。このことは以下の説明から理解されるだろう。
【０２７１】
図５３には、ハウジング８０２を備えるエアクリーナアセンブリ８０１の一実施形態が示される。ハウジング８０２は、ラッチ８１７を介して取り外し可能なアクセスカバー８０２ｂが配置されたハウジング本体８０２ａを備える。アクセスカバー８０２ｂは、減圧排気弁部材８１８を有する減圧排気管８１９を含む。ハウジング８０２は、入口８１０及び出口８１１を更に含む。図示されるように、ハウジング本体８０２に取り付けパッド構図８２０が配置される。
【０２７２】
図５４には、エアクリーナアセンブリ８０１の展開斜視図が示される。アセンブリ８０１は、ハウジング８０２、主フィルタカートリッジ８０３、セーフティカートリッジ８０４及びハウジング本体８０２ａに配置された支持体８０７を含む。キャップ８１４も見ることができる。これらの部品は、図４８〜図５２の実施形態で先に説明された部品にほぼ類似していてもよい。主カートリッジ３０３は、カートリッジ６０３と同様に、カートリッジ４０３に類似していてもよい。
【０２７３】
図５５には、エアクリーナアセンブリ８０１の横断面図が示される。図示される主フィルタカートリッジ８０３は、端部８３１ａと端部８３１ｂとの間に延設された媒体８３１ｍを備える媒体パック８３１と、端部材８３２及び８３３とを備えることがわかる。媒体パック８３１は、図示されるように、ライナ８３９を含み、ライナ８３９の周囲に媒体８３１ｍが配置される。端部材８３２は、端部材４３２とほぼ同様に構成され、ハウジング８０２のシールフランジ８４３の周囲を密封するように配置されたシール部材８４０によって内側に向いた半径方向シールを形成する。端部材８３３は、以下に説明される特定の詳細を除き、端部材４３３とほぼ同様に作用する。
【０２７４】
セーフティフィルタカートリッジ又は二次フィルタカートリッジ８０４は、カートリッジ６０４に類似しており、開放された内部空間８０５ｉの周囲に、端部８０４ａ及び８０４ｂの間に支持された媒体８０５を備える。端部８０４ａは、半径方向（本実施形態では外側）に向いたシール部材８０４ｒを含む。カートリッジ６０４と同様に、シール部材８０４ｒはＯリングを含まないが、Ｏリングが使用できるだろう。セーフティカートリッジ８０４に配置された端部材８４３ｘは、典型的には、使用中に外側に向いた半径方向シールを形成するのに十分な柔軟性及び圧縮性を有する材料から形成されるだろう。
【０２７５】
カートリッジ６０４と同様に、セーフティカートリッジ４０４は、ほぼ円筒形の構成を有し、媒体８０５は、その長さを通して深さ（例えば襞が形成されている場合には襞深さ）に関して変化しない。更に、セーフティカートリッジ８０４は、端部８０４ｂで、セーフティカートリッジ４０４のような空間突起構造を有するのではなく、ほぼ円形の外径を有する端部材８０４ｅにより閉鎖されることが理解されるだろう。
【０２７６】
図示されるように、支持体８０７は端部８０７ａにスナップフィットされる。
【０２７７】
図５５から理解できるように、支持体８０７は、特定の構成に関して、先に説明した支持体６０７に類似している。支持体８０７は、長手方向延出部分８０７ｌ及びリブ８０７ｒを備え、端部８０４ｅにおいてほぼ円形であり、図３２に示されるような突起と凹部との交互配列を有する支持体４０７に類似する形状を有していない。
【０２７８】
図５６には、図５５の一部の拡大部分横断面図が示される。この部分は、アクセスカバー８０２ｂ、主フィルタカートリッジ８０３、セーフティカートリッジ８０４及びタワー支持体８０７の間で同様の係合（図５１に関して説明した）が起こる部位である。
【０２７９】
図５６には、寸法例が次の通り示される。ＴＡ７２＝２２．８ｍｍ、ＴＡ７３＝４８．１ｍｍ、ＴＡ７４＝４２３ｍｍ、ＴＡ７５＝３６．３ｍｍ、ＴＡ７６＝４７ｍｍ及びＴＡ７７＝５２．９ｍｍ。
【０２８０】
図５７には、出口８１１に隣接する部位のアセンブリの拡大部分横断面図が示される。出口８１１は補強リング８１１ｒを有することがわかる。
【０２８１】
図５７には、主フィルタカートリッジ８０３、セーフティフィルタカートリッジ８０４、支持体８０７及びハウジングベース８０２ｂの間の相互作用が示され、この相互作用は、先に図５２に示され且つそれに関して説明した相互作用にほぼ類似している。
【０２８２】
図５６の特徴及び指示される寸法を図５１と比較し、検討することにより、説明される技術が適用される更なる例を理解できる。尚、徴構造及び外観が類似している場合、機能も類似している。
【０２８３】
ＶＩ．全般的考察、変形及び選択的に説明される好都合な特徴
Ａ．セーフティフィルタ又はカートリッジの種類が変更された場合の適用可能性に関連する特徴
以上の説明から、本明細書において説明される技術は、カートリッジの種類が変更されても適用可能であることを理解できる。図１〜図４７には、主フィルタカートリッジの下方に配置される二次セーフティフィルタの媒体がカートリッジのシール端部から離れた側の端部材で終端する襞を有し、その端部材は中央突起と、外側へ延出する互いに離間した複数の突起及びそれらの突起の間の凹部とを備えるような特定の好適な媒体構成を有する種類のフィルタアセンブリ及びフィルタカートリッジが説明される。突起は襞の端部を閉鎖する。この構造は、第２の端部が取り付けシール又はハウジングシール構造から離れた側にある場合、第１の端部から第２の長さ端部に至るまで長さに沿って襞の深さが変化するような、典型的には第２の端部に向かって深さが増すような媒体構成と共に使用するのに特に適するように構成されている。中央突起を有する閉鎖端部材から離れた側の端部に襞がまったく形成されないか、又はごく少量の襞しか形成されない場合に、この技術を適用できる。シールがＯリングである場合にこの技術を適用できるが、他の構造も可能である。シールの部位に隣接する媒体の端部が自由端部である場合にこの技術を適用できるが、他の構造も可能である。
【０２８４】
図１〜図４７に関連して図示し且つ説明したように、セーフティカートリッジが設置されるときに、セーフティカートリッジの内部空間に沿って、所望のように媒体と係合し且つ媒体を支持するように構成された支持体をハウジングの中に配置できる。更に、典型的にはモールドインプレース成形される外側部分又は支持体を含むセーフティカートリッジの特徴が図示され且つ説明される。これに対し、図４８〜図５７の実施形態では、セーフティカートリッジ又は二次カートリッジが類似する媒体構成から構成されず、襞又は深さに関して長さに沿ってほぼ変化しない媒体の規定を備えるような変形例が示される。そのようなセーフティフィルタカートリッジは、ほぼ円形であるシールの部位から遠い側の端部を有し、システムの他の種々の構造と係合するように同様に構成された中央突起を含んでもよい。シール構造はＯリングであるが、閉鎖端部から遠い側の端部でモールドインプレース成形される実施形態が示される。このようなアセンブリの場合、ハウジング内部のカートリッジ支持体は、そのようなカートリッジと係合するように適切に構成されてもよい。
【０２８５】
所定のシステムで使用されるセーフティカートリッジの特定の形状に関わらず、中央ハウジング支持体、セーフティフィルタカートリッジ及び主フィルタカートリッジの好適な相互作用を緩衝するために適用できるクッション部材又はグロメット部材を提供するために、本明細書において説明される選択された原理を適用できる。例えば図１６〜図５７に関連して、そのようなクッション部材の実施形態が説明された。先に説明した実施形態において、様々に適用可能であり、一般に、タワーとセーフティカートリッジとの相互作用を調整するために適用可能であるが、主カートリッジとの相互作用を必ずしも調整しないクッション部材が示される。
【０２８６】
Ｂ．主フィルタカートリッジを緩衝しつつ支持する支持体に関連する特徴
尚、本明細書において適用される特徴は、セーフティカートリッジが存在していない場合でも、あるいはセーフティカートリッジはあるが、内部に配置されたグロメット部材に沿って主フィルタカートリッジと特に係合しない場合でも、主フィルタカートリッジを緩衝しつつ支持するために使用可能である。これらの変形例は、ハウジングに配置されたタワー支持体に、セーフティカートリッジ（設けられている場合）とは別に適切なクッション／グロメット部材を取り付けることにより実現できる。そのような場合、本明細書において説明される主フィルタカートリッジに類似するカートリッジを緩衝係合が起こるようにグロメットに沿って押し込むことができるだろう。この場合、必ずしもセーフティカートリッジではない支持体にグロメットを取り付けることを除き、図１６〜図５７で説明した構造に関して説明した外周部に類似する外周部を有するグロメットを適用できるだろう。そのような場合、端部にグロメットが取り付けられていない支持体に媒体部材をかぶせるように、セーフティカートリッジを使用できるだろう。
【０２８７】
Ｃ．長さに望まれる融通性に関連する変形例
場合によっては、ハウジング全体において主フィルタカートリッジの長さを変化させることが望まれる。図１６の構造を参照すると、これは、例えば、同一の支持体４０７及びセーフティカートリッジ４０４を使用する一方で、軸方向に長い主フィルタカートリッジ４０３及び長いハウジング４０２を使用することにより実現可能だろう。これは、セーフティカートリッジ及びタワーとそれぞれ係合するアクセスカバー及び主フィルタカートリッジの部分をハウジングの出口端部に向かって更に突出させることにより実現可能である。これをどのようにして実現できるかを示す一例は、例えば図１１の横断面図と図８０の横断面図とを比較することにより理解できる。
【０２８８】
このことから、主フィルタカートリッジ及びハウジング全体の軸方向長さに関して変更されたシステムで、同一のハウジング本体、タワー及びセーフティカートリッジが使用可能であることを理解できる。
【０２８９】
Ｄ．直径の変更を伴う原理の適用
本明細書において説明される原理及び技術は、多様な別の寸法を有するカートリッジ及び他の構成要素を含むシステムで適用可能である。主フィルタカートリッジと、ハウジング内部のセーフティカートリッジ及び中央支持体などの構造との相互作用に関連する特徴が先に説明した特徴と同様の寸法で維持されるのであれば、そのような寸法の変更を「モジュール」方式で調整することが可能である。
【０２９０】
Ｅ．主フィルタカートリッジが使用中のシステムに適するカートリッジであることの確認に関連する特徴
主フィルタカートリッジと、種々の実施形態に関連して本明細書において説明したアセンブリのその他の構成要素との相互作用に関連する特徴の多くは、主フィルタカートリッジが設置されているシステムに対して適正なカートリッジであると確認するのを助けることに関する。これは、相互に作用する部分の寸法を軸方向又は半径方向に制御することにより対処できる。これを実現することに関して、本明細書において説明される特徴に関する好適な寸法及び特徴を好都合に利用できる。
【０２９１】
Ｆ．いくつかの選択された好適な方法
本明細書には、主フィルタカートリッジをアセンブリに設置する方法の特徴も示される。典型的には、主フィルタカートリッジは特徴を示した通りであり、カートリッジの開放端部に隣接するハウジングシールが押し込まれるハウジングの部分と、そのハウジングシールとが解放可能に密封係合するまで、主カートリッジは挿入される。同時に、カートリッジを安定させる解放可能な緩衝係合が起こるまで、カートリッジの反対側の端部にある突起部材の内部がクッション部材の上に押し込まれるのが好ましい。このことは種々の図に示されている。
【０２９２】
ＶＩＩ．要約解説及び所見
１．フィルタカートリッジであって、
（ａ）開放された内部空間を取り囲み、第１の端部及び第２の端部を有する延設媒体を備え、（ｉ）前記媒体は、前記第１の端部に、深さ３ｍｍを超える襞を有しておらず、（ｉｉ）前記媒体は、前記第２の端部に、少なくとも１０ｍｍの襞深さを有する複数の襞を備えることを特徴とするフィルタカートリッジ。
【０２９３】
２．（ａ）前記延設媒体は中心軸を取り囲み、（ｉ）前記第２の端部に隣接して前記媒体に襞が形成され、且つ、前記媒体は、前記第１の端部に向かう延出方向に、中心軸に垂直な平面に対して８９°を超えない鋭角を成して延出する複数の内側襞先端部を規定し、（ｉｉ）前記媒体の前記第１の端部には襞が形成されないことを特徴とする特徴１記載のフィルタカートリッジ。
【０２９４】
３．（ａ）前記延設媒体の前記第１の端部から５０ｍｍ以内の部位に配置された半径方向に向いたハウジングシール部材を含み、（ｉ）前記フィルタカートリッジは、前記媒体と前記ハウジング半径方向シール部材とが半径方向に重なり合う部位で、前記延設媒体の前記第２の端部に隣接する前記延設媒体の最大襞深さより少なくとも１０ｍｍ小さい、最大無歪み半径方向幅寸法を有することを特徴とする特徴１及び２のいずれか１つに記載のフィルタカートリッジ。
【０２９５】
４．（ａ）媒体支持体を含み、（ｉ）前記媒体は、前記媒体の前記第１の端部に隣接して、前記第２の端部から離間する軸方向に、前記媒体支持体の最も近い隣接部分を越えて少なくとも０．５ｍｍの軸方向距離だけ延出する襞無自由先端部分を含むことを特徴とする特徴１から３のいずれか１つに記載のフィルタカートリッジ。
【０２９６】
５．フィルタカートリッジであって、
（ａ）中心軸を取り囲み且つ開放された内部空間を取り囲む延設媒体を備え、（ｉ）前記媒体は、第１の端部及び第２の端部を有し、（ｉｉ）前記第２の端部に隣接して、前記媒体に襞が形成され且つ前記媒体は、前記第１の端部に向かう延出方向に、中心軸に垂直な平面に対して８９°を超えない鋭角を成して延出する複数の内側襞先端部を規定し、（ｉｉｉ）前記媒体の前記第１の端部には襞は形成されないことを特徴とするフィルタカートリッジ。
【０２９７】
６．（ａ）前記第１の端部から４０ｍｍ以内の部位に配置されたハウジング半径方向シール部材を含むことを特徴とする特徴１から５のいずれか１つに記載のフィルタカートリッジ。
【０２９８】
７．フィルタカートリッジであって、
（ａ）開放された内部空間を取り囲み且つ第１の端部及び第２の端部を有する延設媒体を備え、（ｉ）前記媒体は、前記第２の端部から前記第１の端部に向かう方向に減少するような襞深さを各々が有する複数の襞を備え、（ｂ）前記第１の端部から５０ｍｍ以内の部位に配置されたハウジング半径方向シール部材を備えることを特徴とするフィルタカートリッジ。
【０２９９】
８．（ａ）前記媒体は、カートリッジ中心軸を取り囲み且つ規定し、（ｂ）前記媒体は、前記第１の端部に向かう延出方向に、中心軸に垂直な平面に対して８８°を超えない鋭角を成して延出する内側襞先端部を有する複数の内側襞を含むことを特徴とする特徴１から７のいずれか１つに記載のフィルタカートリッジ。
【０３００】
９．（ａ）前記媒体は、カートリッジ中心軸を取り囲み且つ規定し、（ｂ）前記媒体は、前記第１の端部に向かう延出方向に、前記中心軸に垂直な平面に対して７０°以上、８８°以下の範囲内の鋭角を成して延出する内側襞先端部を有する複数の内側襞を含むことを特徴とする特徴１から８のいずれか１つに記載のフィルタカートリッジ。
【０３０１】
１０．（ａ）前記媒体は、カートリッジ中心軸を取り囲み且つ規定し、（ｂ）前記媒体は、複数の外側襞及び複数の内側襞を含み、（ｉ）前記内側襞は、前記第２の端部から前記第１の端部に向かう延出方向に、前記中心軸に垂直な平面に対して第１の角度を成して延出する複数の内側襞先端部を含み、（ｉｉ）前記外側襞は、前記第２の端部から前記第１の端部に向かう延出方向に、前記中心軸に垂直な平面に対して第２の角度を成して延出する複数の外側襞先端部を含み、（ｉｉ）中心軸に垂直な平面に関して、前記第２の角度は前記第１の角度より大きいことを特徴とする特徴１から９のいずれか１つに記載のフィルタカートリッジ。
【０３０２】
１１．（ａ）前記媒体は、カートリッジ中心軸を取り囲み且つ規定し、（ｂ）前記媒体は、前記第２の端部から前記第１の端部に向かう延出方向に、前記中心軸に垂直な平面に対して８８°以上、９０°以下の範囲内の角度を成して延出する外側襞先端部を有する複数の外側襞を含むことを特徴とする特徴１から１０のいずれか１つに記載のフィルタカートリッジ。
【０３０３】
１２．フィルタカートリッジであって、
（ａ）第１の端部及び第２の端部を有する延設媒体を備え、（ｉ）前記媒体は、開放された内部空間を取り囲み且つ規定し、（ｉｉ）前記第２の端部に隣接して前記延設媒体に襞が形成され、（ｂ）前記延設媒体の前記第１の端部から５０ｍｍ以内の部位に配置された半径方向に向いたハウジングシール部材を備え、（ｉ）前記フィルタカートリッジは、前記媒体及び前記ハウジング半径方向シール部材と半径方向に重なり合う部位で、前記延設媒体の前記第２の端部に隣接する前記延設媒体の最大襞深さより少なくとも１０ｍｍ小さい、最大無歪み半径方向幅寸法を有することを特徴とするフィルタカートリッジ。
【０３０４】
１３．フィルタカートリッジであって、
（ａ）開放された内部空間を取り囲み且つ第１の端部及び第２の端部を有する延設媒体を備え、（ｉ）前記第２の端部に隣接して前記媒体に襞が形成され、且つ、前記媒体は、複数の外側に向いた襞及び複数の内側に向いた襞を備え、（ｉｉ）前記複数の外側に向いた襞の各々は、外側周囲先端形状を有する襞先端部を有し、（ｉｉｉ）前記複数の内側に向いた襞の各襞先端部の内側周囲襞形状は、前記複数の外側に向いた襞の各々の前記襞先端形状より狭く、（Ａ）前記外側襞先端部は、前記第２の端部に隣接する部位で、少なくとも４ｍｍの半径の外側周囲襞形状を有することを特徴とするフィルタカートリッジ。
【０３０５】
１４．（ａ）前記媒体の前記第１の端部から４０ｍｍ以内の部位に半径方向に向いたハウジングシール部材を含むことを特徴とする特徴１から１３のいずれか１つに記載のフィルタカートリッジ。
【０３０６】
１５．（ａ）前記媒体の前記第１の端部から３０ｍｍ以内の部位に配置された半径方向に向いたハウジングシール部材を含むことを特徴とする特徴１から１４のいずれか１つに記載のフィルタカートリッジ。
【０３０７】
１６．（ａ）前記媒体の前記第１の端部から２０ｍｍ以内の部位に配置された半径方向に向いたハウジングシール部材を含むことを特徴とする特徴１から１５のいずれか１つに記載のフィルタカートリッジ。
【０３０８】
１７．（ａ）前記媒体の前記第１の端部から１５ｍｍ以内の部位に配置された半径方向に向いたハウジングシール部材を含むことを特徴とする特徴１から１６のいずれか１つに記載のフィルタカートリッジ。
【０３０９】
１８．（ａ）半径方向外側に向いたハウジングシール部材を含むことを特徴とする特徴１から１７のいずれか１つに記載のフィルタカートリッジ。
【０３１０】
１９．フィルタカートリッジであって、
（ａ）開放された内部空間を取り囲み且つ第１の端部及び第２の端部を有する延設媒体を備え、（ｉ）前記第２の端部に隣接して前記延設媒体に襞が形成され、（ｂ）媒体支持体を備え、（ｉ）前記媒体は、前記媒体の前記第１の端部に隣接して、前記第２の端部から離間する軸方向に、前記媒体支持体の最も近接する部分を越えて少なくとも０．５ｍｍの軸方向距離だけ延出する襞無自由先端部分を含むことを特徴とするフィルタカートリッジ。
【０３１１】
２０．フィルタカートリッジであって、
（ａ）第１の端部及び第２の端部を有する延設襞付き媒体を備え、（ｉ）前記延設媒体は、開放されたフィルタ内部空間を取り囲み、（ｂ）前記媒体の前記第１の端部と前記媒体の前記第２の端部との間に配置された第１の中間外側襞スペーサを含む媒体支持体を備え、（ｉ）前記第１の中間外側襞スペーサは、少なくとも４ｍｍの外側襞半径を有する外側襞係合形状を規定し、（ｉｉ）前記第１の中間外側襞スペーサは、少なくとも３０°の外側襞角度を有する内側襞係合先端部を規定する半径方向突起を有することを特徴とするフィルタカートリッジ。
【０３１２】
２１．フィルタカートリッジであって、
（ａ）第１の端部及び第２の端部を有する延設媒体を備え、（ｉ）前記延設媒体は、前記第２の端部に隣接して複数の襞を備え、（ｉｉ）前記媒体は、中心軸を取り囲み且つ開放された内部空間を規定し、（ｂ）前記媒体の前記第１の端部と前記第２の端部との間に配置された複数の中間外側襞スペーサを備え、（ｉ）前記複数の中間外側襞スペーサのうち軸方向に離間された隣接する中間外側襞スペーサは、前記中心軸に向かって異なる量の半径方向突出長さを有することを特徴とするフィルタカートリッジ。
【０３１３】
２２．フィルタカートリッジであって、
（ａ）第１の端部及び第２の端部を有する延設媒体を備え、（ｉ）前記延設媒体は、前記第２の端部に隣接して複数の襞を備え、（ｉｉ）前記媒体は、開放された内部空間を取り囲み且つ規定し、（ｂ）前記媒体の前記第２の端部から前記媒体の前記第１の端部に向かう延出方向に、前記媒体の外側襞先端部の延出長さの少なくとも５０％に沿って延出し且つ前記媒体の前記外側襞先端部に固着された長手方向リブを含む媒体支持体を備えることを特徴とするフィルタカートリッジ。
【０３１４】
２３．フィルタカートリッジであって、
（ａ）第１の端部と第２の端部との間に延設され且つ中心軸及び開放された中央の内部空間を取り囲み且つ規定する媒体と、（ｂ）前記媒体の前記第２の端部に隣接する端部材とを備え、（ｉ）前記端部材は、半径方向外側突起及び半径方向内側凹部が交互に配列された外側周囲部を規定し、（ｉｉ）前記外側突起のうち隣接する外側突起は、少なくとも３０°の半径方向空隙により離間されていることを特徴とするフィルタカートリッジ。
【０３１５】
２４．フィルタカートリッジであって、
（ａ）第１の端部と第２の端部との間に延設され且つ中心軸及び開放された中央の内部空間を取り囲み且つ規定する媒体を備え、（ｉ）前記第２の端部に隣接して前記媒体に襞が形成され、（ｂ）前記媒体の前記第２の端部に隣接して端部材を備え、（ｉ）前記端部材は、半径方向外側突起及び半径方向内側凹部が交互に配列された外周部を規定し、（ｉｉ）前記端部材の前記半径方向内側凹部は、外側襞の間の空間と軸方向に重なり合って、内側襞先端部から離れた部位で最大幅で少なくとも１５ｍｍの空隙により開いていることを特徴とするフィルタカートリッジ。
【０３１６】
２５．フィルタカートリッジであって、
（ａ）第１の媒体端部と第２の媒体端部との間に延設され且つ中心軸及び開放された中央の内部空間を取り囲み且つ規定する媒体と、（ｂ）前記第２の媒体端部に隣接し且つ前記第２の媒体端部に沿って延設された端部材とを備え、前記端部材は、前記第１の媒体端部から離間する方向に向いた外面と、前記第１の媒体端部に向かう方向に向いた内面とを含み、（ｉ）前記端部材の前記内面は、前記第１の媒体端部から離間する方向に延設された中央凹部を有し、（ｃ）前記中央凹部の少なくとも一部に配置されたクッション部材を備えることを特徴とするフィルタカートリッジ。
【０３１７】
２６．フィルタカートリッジであって、
（ａ）第１の端部及び第２の端部を有し且つ中心軸及び中央の内部空間を取り囲む延設媒体と、（ｂ）前記第２の媒体端部に隣接して端部材を含む媒体支持体とを備え、（ｉ）前記端部材は、開口部が貫通している中央突起を有し、（ｃ）前記媒体の前記第１の端部から５０ｍｍ以内の部位で前記媒体支持体に配置され且つ前記媒体支持体を取り囲む半径方向外側に向いたハウジング半径方向シール部材を備えることを特徴とするフィルタカートリッジ。
【０３１８】
２７．フィルタカートリッジであって、
（ａ）第１の端部と第２の端部との間に延設され且つ中心軸及び開放された中央の内部空間を取り囲み且つ規定する媒体と、（ｂ）前記媒体の前記第２の端部に隣接する端部材とを備え、（ｉ）前記端部材は、中央凹部を備えた内面を有し、（ｉｉ）前記中央凹部は、前記媒体の前記第１の端部から離間するように延設された突起により規定され且つ前記媒体により取り囲まれ且つ前記媒体から離間して配置された壁を有し、（ｉｉｉ）前記突起は、前記媒体の前記第１の端部から離れた部位に、開口部が貫通している先端部を有することを特徴とするフィルタカートリッジ。
【０３１９】
２８．（ａ）前記中央突起の前記開口部を貫通するようにクッション部材が配置されることを特徴とする特徴２６及び２７のいずれか１つに記載のフィルタカートリッジ。
【０３２０】
２９．（ａ）前記クッション部材は閉鎖されることを特徴とする特徴２８記載のフィルタカートリッジ。
【０３２１】
３０．（ａ）前記クッション部材は、前記中央突起の外側の部位に、前記中央突起の先端部より最大横断面を有するハウジング係合クッション部分を含むことを特徴とする特徴２８及び２９のいずれか１つに記載のフィルタカートリッジ。
【０３２２】
３１．（ａ）前記第２の端部に隣接して、前記媒体に襞が形成されることを特徴とする特徴２３から３０のいずれか１つに記載のフィルタカートリッジ。
【０３２３】
３２．（ａ）前記媒体は、前記第２の端部に隣接して、前記第２の端部から前記第１の端部に向かう延出方向に、前記中心軸に垂直な平面に対して８８°以下の角度を成して延出する複数の内側襞先端部を含むことを特徴とする特徴３１記載のフィルタカートリッジ。
【０３２４】
３３．（ａ）前記媒体の前記第１の端部に襞は形成されないことを特徴とする特徴１から３２のいずれか１つに記載のフィルタカートリッジ。
【０３２５】
３４．（ａ）前記第２の端部で、前記媒体に少なくとも１０ｍｍの襞深さの襞が形成されることを特徴とする特徴１から３３のいずれか１つに記載のフィルタカートリッジ。
【０３２６】
３５．（ａ）前記第２の端部で、前記媒体に少なくとも１５ｍｍの襞深さの襞が形成されることを特徴とする特徴１から３４のいずれか１つに記載のフィルタカートリッジ。
【０３２７】
３６．（ａ）前記第２の端部で、前記媒体に１０ｍｍ以上、４０ｍｍ以下の範囲内の襞深さの襞が形成されることを特徴とする特徴１から３５のいずれか１つに記載のフィルタカートリッジ。
【０３２８】
３７．（ａ）前記媒体は、前記第２の端部に隣接して複数の外側襞を含み、前記複数の外側襞の各々は、前記第２の端部に向かう方向に、前記中心軸に垂直な平面に対して少なくとも８６°の鋭角を成して延出する外側襞先端部を有することを特徴とする特徴１から３６のいずれか１つに記載のフィルタカートリッジ。
【０３２９】
３８．（ａ）前記媒体は、前記第２の端部に隣接して複数の外側襞を含み、前記複数の外側襞の各々は、前記第２の端部に向かう延出方向に、前記中心軸に垂直な平面に対して少なくとも８７°の鋭角を成して延出する外側襞先端部を有することを特徴とする特徴１から３７のいずれか１つに記載のフィルタカートリッジ。
【０３３０】
３９．（ａ）前記媒体は、前記第２の端部に隣接して複数の外側襞を含み、前記複数の外側襞の各々は、前記第２の端部に向かう延出方向に、前記中心軸に垂直な平面に対して８７°以上、９０°以下の範囲内の鋭角を成して延出する外側襞先端部を有することを特徴とする特徴１から３８のいずれか１つに記載のフィルタカートリッジ。
【０３３１】
４０．（ａ）前記媒体は、前記第２の端部に隣接して複数の内側襞を備え、前記複数の内側襞の各々は、前記第１の端部に向かう延出方向に、前記中心軸に垂直な平面に対して８７°以下の角度を成して延出する内側襞先端部を有することを特徴とする特徴１から３９のいずれか１つに記載のフィルタカートリッジ。
【０３３２】
４１．（ａ）前記媒体は、外側襞先端部を有する複数の外側襞と、内側襞先端部を有する複数の内側襞とを備え、（ｉ）前記内側襞先端部は、前記第２の端部から前記第１の端部に向かう延出方向に、前記中心軸に垂直な平面に対して第１の角度を成して延出し、（ｉｉ）前記外側襞先端部は、前記第２の端部から前記第１の端部に向かう延出方向に、前記中心軸に垂直な平面に対して第２の角度を成して延出し、（ｉｉｉ）前記第１の角度は、前記第２の角度より少なくとも２°小さいことを特徴とする特徴１から４０のいずれか１つに記載のフィルタカートリッジ。
【０３３３】
４２．（ａ）前記第１の角度は、前記第２の角度より少なくとも３°小さいことを特徴とする特徴４１記載のフィルタカートリッジ。
【０３３４】
４３．（ａ）前記第１の角度は、前記第２の角度より少なくとも４°小さいことを特徴とする特徴４１及び４２のいずれか１つに記載のフィルタカートリッジ。
【０３３５】
４４．（ａ）前記フィルタカートリッジは、前記媒体の前記第１の端部に隣接する端部で開放していることを特徴とする特徴１から４３のいずれか１つに記載のフィルタカートリッジ。
【０３３６】
４５．（ａ）半径方向に向いたハウジングシール構造を含むことを特徴とする特徴１から４４のいずれか１つに記載のフィルタカートリッジ。
【０３３７】
４６．（ａ）前記半径方向に向いたハウジングシール構造は、半径方向外側に向いたハウジングシール構造であることを特徴とする特徴４５記載のフィルタカートリッジ。
【０３３８】
４７．（ａ）Ｏリングを備える半径方向に向いたハウジングシール構造を含むことを特徴とする特徴１から４６のいずれか１つに記載のフィルタカートリッジ。
【０３３９】
４８．（ａ）前記媒体の前記第２の端部から前記第１の端部に向かって延設された媒体支持体を含むことを特徴とする特徴１から４７のいずれか１つに記載のフィルタカートリッジ。
【０３４０】
４９．（ａ）前記媒体は、外面及び内面を有し、（ｂ）前記媒体支持体は、第１の端部及び第２の端部を有し、（ｃ）前記媒体支持体は、前記媒体支持体の前記第１の端部と前記第２の端部との間の距離の少なくとも５０％で前記媒体に対する半径方向支持がない状態で、すなわち前記媒体の前記内面の隣接部分から半径方向内側へ突出するように、前記媒体の前記外面に沿って延設されることを特徴とする特徴４８記載のフィルタカートリッジ。
【０３４１】
５０．（ａ）前記媒体支持体は、前記媒体の第１の端部から２０ｍｍ以内に開放端部を含み、且つ前記媒体の第２の端部に隣接して端部材を含むことを特徴とする特徴４８及び４９のいずれか１つに記載のフィルタカートリッジ。
【０３４２】
５１．（ａ）前記媒体支持体の前記端部材は、弾性クッション部材で裏張りされた中央開口部を含むことを特徴とする特徴５０記載のフィルタカートリッジ。
【０３４３】
５２．（ａ）前記媒体支持体の前記端部材は、半径方向突起及び半径方向凹部が交互に配列された外周部を有する端部材であり、前記半径方向凹部は、前記半径方向突起の最も外側の部分から少なくとも１０ｍｍ半径方向内側へ延びていることを特徴とする特徴５０及び５１のいずれか１つに記載のフィルタカートリッジ。
【０３４４】
５３．（ａ）前記媒体支持体の前記端部材は、半径方向突起及び半径方向凹部が交互に配列された外周部を有する端部材であり、前記半径方向凹部は、前記半径方向突起の最も外側の部分から少なくとも１５ｍｍ半径方向内側へ延びていることを特徴とする特徴５０から５２のいずれか１つに記載のフィルタカートリッジ。
【０３４５】
５４．（ａ）前記媒体支持体の前記端部材は、複数の半径方向凹部を備えた外周部を有する端部材であり、前記複数の半径方向凹部の各々は、前記媒体支持体の前記閉鎖端部の最も外側の部分と中心軸との間の半径方向距離の少なくとも３０％だけ前記中心軸に向かって延びていることを特徴とする特徴５０から５３のいずれか１つに記載のフィルタカートリッジ。
【０３４６】
５５．（ａ）前記媒体支持体の前記端部材は、複数の半径方向凹部を備えた外周部を有する端部材であり、前記複数の半径方向凹部の各々は、前記媒体支持体の前記閉鎖端部の最も外側の部分と中心軸との間の半径方向距離の少なくとも３５％だけ前記中心軸に向かって延びていることを特徴とする特徴５０から５４のいずれか１つに記載のフィルタカートリッジ。
【０３４７】
５６．（ａ）前記媒体支持体の前記端部材は、複数の半径方向凹部を備えた外周部を有する端部材であり、前記複数の半径方向凹部の各々は、前記媒体支持体の前記閉鎖端部の最も外側の部分と中心軸との間の半径方向距離の少なくとも４０％だけ前記中心軸に向かって延びていることを特徴とする特徴５０から５５のいずれか１つに記載のフィルタカートリッジ。
【０３４８】
５７．（ａ）前記媒体支持体の前記端部材は、軸方向に突出する受け入れ凹部を備えた内面を含み、（ｉ）前記軸方向に突出する受け入れ凹部は、前記媒体の第１の端部から離間する軸方向に突出することを特徴とする特徴５０から５６のいずれか１つに記載のフィルタカートリッジ。
【０３４９】
５８．（ａ）前記媒体支持体の前記端部材は、外側中央突起を取り囲む中央受け入れ溝を備えた外面を含み、（ｉ）前記外側中央突起は、前記媒体の前記第１の端部から軸方向に離間する方向に突出することを特徴とする特徴５０から５７のいずれか１つに記載のフィルタカートリッジ。
【０３５０】
５９．（ａ）前記外側中央突起は、弾性クッション部材で裏張りされた貫通する開口部を含むことを特徴とする特徴５８記載のフィルタカートリッジ。
【０３５１】
６０．（ａ）前記中央受け入れ溝は、前記媒体支持体の前記閉鎖端部の直接取り囲む部分から前記媒体の前記第１の端部に向かって軸方向に少なくとも５ｍｍの深さであることを特徴とする特徴５８及び５９のいずれか１つに記載のフィルタカートリッジ。
【０３５２】
６１．（ａ）前記外側中央突起は、前記媒体の前記第１の端部から前記媒体の前記第２の端部を軸方向に越える部位に配置された先端部まで突出することを特徴とする特徴５８から６０のいずれか１つに記載のフィルタカートリッジ。
【０３５３】
６２．（ａ）前記外側中央突起は、前記閉鎖端部の直接取り囲む部分から前記開放端部から軸方向に離間する方向に少なくとも５ｍｍの先端部まで突出することを特徴とする特徴５８から６１のいずれか１つに記載のフィルタカートリッジ。
【０３５４】
６３．（ａ）前記外側中央突起は、前記端部材の直接取り囲む部分から前記開放端部から軸方向に離間する方向に少なくとも１０ｍｍの部位に配置された先端部まで突出することを特徴とする特徴５８から６２のいずれか１つに記載のフィルタカートリッジ。
【０３５５】
６４．（ａ）前記媒体支持体は、前記媒体の前記第２の端部から前記媒体の前記第１の端部に向かう方向に延設された複数の長手方向リブを含むことを特徴とする特徴５８から６３のいずれか１つに記載のフィルタカートリッジ。
【０３５６】
６５．（ａ）前記複数の長手方向リブの各々は、前記媒体の外側襞先端部に沿って延設され且つ前記外側襞先端部と係合することを特徴とする特徴６４記載のフィルタカートリッジ。
【０３５７】
６６．（ａ）前記媒体支持体は、前記媒体の外面を取り囲む少なくとも１つの中間襞スペーサを含み、前記中間襞スペーサは、隣接する媒体襞の間に延設された半径方向突起を有することを特徴とする特徴５８から６５のいずれか１つに記載のフィルタカートリッジ。
【０３５８】
６７．（ａ）前記媒体支持体は、前記媒体の外面を取り囲む複数の中間襞スペーサを含み、前記中間襞スペーサは、隣接する媒体襞の間に延設された半径方向突起を有することを特徴とする特徴５８から６３のいずれか１つに記載のフィルタカートリッジ。
【０３５９】
６８．（ａ）前記媒体の第１の端部から５０ｍｍ以内で前記媒体を取り囲むシール支持リングを含み、（ｉ）前記シール支持リングはＯリング受け入れ溝を含み、（ｉｉ）前記シール支持リングは、前記Ｏリング受け入れ溝に隣接する部位から前記媒体の前記第１の端部に向かう延設方向に沿って半径方向内側へ徐々に細くなる複数の離間して配置された半径方向膨張ガセットを含むことを特徴とする特徴１から６７のいずれか１つに記載のフィルタカートリッジ。
【０３６０】
６９．（ａ）前記媒体の第２の端部に隣接して端部材を含み、前記端部材は、前記媒体の第１の端部とは逆向きに向いた外面と、前記媒体の第１の端部に向いた内面とを含み、（ｉ）前記端部材の前記内面は、前記媒体の端部から離間する方向に延設された中央凹部を有し、（ｉｉ）前記中央凹部は、貫通する開口部を備えた先端部を有する中央突起により規定され、（ｂ）前記中央凹部及び突起に配置され且つ前記中央突起の前記先端部の前記開口部を閉鎖する弾性クッション部材構造を含み、（ｉ）前記クッション部材構造は、前記中央凹部の中にクッション受け入れ領域を規定し、（ｉｉ）前記クッション部材構造は、前記開口部の前記中央凹部とは反対の側に配置された外側半径方向突起部材を含むことを特徴とする特徴１から６８のいずれか１つに記載のフィルタカートリッジ。
【０３６１】
７０．フィルタカートリッジであって、
（ａ）開放された内部空間を取り囲み且つ第１の端部及び第２の端部を有する延設媒体と、（ｂ）前記媒体の前記第２の端部に隣接する端部材とを備え、前記端部材は、前記媒体の前記第１の端部とは逆向きに向いた外面と、前記媒体の前記第１の端部に向いた内面とを含み、（ｉ）前記端部材の前記内面は、前記媒体の端部から離間する方向に延設された中央凹部を有し、（ｉｉ）前記中央凹部は、貫通する開口部を備えた先端部を有する中央突起により規定され、（ｃ）前記中央凹部及びそれを貫通する中央突起に配置され且つ前記中央突起の前記先端部の前記開口部を閉鎖するクッション部材構造を備え、（ｉ）前記クッション部材構造は、前記中央凹部の中にクッション受け入れ領域を規定し、（ｉｉ）前記クッション部材構造は、前記中央凹部に対して前記開口部の前記中央凹部とは反対の側に配置された外側半径方向突起部材を含むことを特徴とするフィルタカートリッジ。
【０３６２】
７１．（ａ）前記クッション部材構造の前記半径方向突起部材は、少なくとも１５ｍｍの最大半径方向断面寸法を有することを特徴とする特徴６９及び７０のいずれか１つに記載のフィルタカートリッジ。
【０３６３】
７２．（ａ）前記クッション部材構造の前記半径方向突起部材は、少なくとも１８ｍｍの最大半径方向断面寸法を有することを特徴とする特徴６９から７１のいずれか１つに記載のフィルタカートリッジ。
【０３６４】
７３．（ａ）前記クッション部材構造の前記半径方向突起部材は、１５〜３０ｍｍの範囲内の最大半径方向断面寸法を有することを特徴とする特徴６９から７２のいずれか１つに記載のフィルタカートリッジ。
【０３６５】
７４．（ａ）前記クッション部材構造の前記半径方向突起部材は、２５ｍｍ以下の最大半径方向断面寸法を有することを特徴とする特徴６９から７３のいずれか１つに記載のフィルタカートリッジ。
【０３６６】
７５．（ａ）前記クッション部材構造の前記半径方向突起部材は、前記中央突起の前記先端部より少なくとも０．５ｍｍ大きい最大半径方向断面寸法を有することを特徴とする特徴６９から７４のいずれか１つに記載のフィルタカートリッジ。
【０３６７】
７６．（ａ）前記クッション部材構造の前記半径方向突起部材は、前記中央突起の前記先端部より少なくとも１ｍｍ大きい最大半径方向断面寸法を有することを特徴とする特徴６９から７５のいずれか１つに記載のフィルタカートリッジ。
【０３６８】
７７．（ａ）前記クッション部材構造の前記半径方向突起部材は、円形の外周部を有することを特徴とする特徴６４から７６にいずれか１つに記載のフィルタカートリッジ。
【０３６９】
７８．（ａ）前記クッション部材構造は、１つの一体成形グロメット部材を備えることを特徴とする特徴６９から７４のいずれか１つに記載のフィルタカートリッジ。
【０３７０】
７９．（ａ）前記クッション部材構造は、８０ショアＡを超えない硬度を有する１つのグロメットを備えることを特徴とする特徴６９から７８のいずれか１つに記載のフィルタカートリッジ。
【０３７１】
８０．（ａ）前記クッション部材構造は、５０〜８０ショアＡの範囲内の硬度を有する１つのグロメットを備えることを特徴とする特徴６９〜７９のいずれか１つに記載のフィルタカートリッジ。
【０３７２】
８１．（ａ）前記媒体の前記第２の端部に隣接する前記端部材は、円形の外周部を有することを特徴とする特徴７０記載のフィルタカートリッジ。
【０３７３】
８２．（ａ）前記媒体に、前記第１の端部から前記第２の端部まで広がりが変化しない襞深さで襞が形成されることを特徴とする特徴８１記載のフィルタカートリッジ。
【０３７４】
８３．（ａ）前記媒体の前記第２の端部の前記端部材で、前記中央突起は、前記中央突起の周囲に配置された受け入れ溝により取り囲まれ、受け入れ溝は、前記中央突起の最も内側の端部に隣接する部位に、前記溝の内側端部で少なくとも４ｍｍであり且つ２５ｍｍ以下の断面寸法を規定するように前記中央突起から離間して配置された外壁を有することを特徴とする特徴７０から８２のいずれか１つに記載のフィルタカートリッジ。
【０３７５】
８４．（ａ）前記媒体に、前記第１の端部から前記第２の端部まで広がりが変化しない襞深さで襞が形成されることを特徴とする特徴７０から８３のいずれか１つに記載のフィルタカートリッジ。
【０３７６】
８５．ガスフィルタアセンブリであって、
（ａ）内部空間、ガス流れ入口及びガス流れ出口を規定するハウジングを備え、（ｉ）前記ハウジングは、ハウジングベース部分及び取り外し可能なアクセスカバーを含み、（ｂ）前記ハウジングの内部空間の中に動作可能且つ取り外し可能に配置された特徴１から８４の少なくとも１つに記載のセーフティフィルタカートリッジと、（ｃ）開放されたフィルタ内部空間を取り囲む媒体を備えた主フィルタカートリッジとを更に備え、（ｉ）前記主フィルタカートリッジは、前記セーフティカートリッジの媒体が前記主フィルタカートリッジの前記開放された内部空間の中へ突出するように前記ハウジングの前記内部空間の中に動作可能且つ取り外し可能に配置されることを特徴とするガスフィルタアセンブリ。
【０３７７】
８６．（ａ）前記ハウジングは、前記ハウジングベース部分に、前記アクセスカバーに向いた中央カートリッジ支持体を含み、（ｂ）前記セーフティフィルタカートリッジは、前記中央カートリッジ支持体が前記セーフティフィルタカートリッジの開放されたフィルタ内部空間の中へ突出するように配置されることを特徴とする特徴８５記載のガスフィルタアセンブリ。
【０３７８】
８７．（ａ）前記中央カートリッジ支持体は、前記アクセスカバーに向いた中央カートリッジ支持体端部を含み、（ｉ）前記中央カートリッジ支持体端部は中央突起を含み、（ｂ）前記セーフティフィルタカートリッジは、前記中央カートリッジ支持体の前記中央突起が延出する受け入れ凹部を有する内面を含み、（ｉ）弾性クッション部材の一部は、前記セーフティフィルタカートリッジの前記受け入れ凹部の中に設けられ且つ前記弾性クッション部材は、前記中央カートリッジ支持体の前記中央突起の周囲に配置されることを特徴とする特徴８６記載のガスフィルタアセンブリ。
【０３７９】
８８．（ａ）前記中央カートリッジ支持体は、前記アクセスカバーに向いた中央カートリッジ支持体端部を含み、（ｉ）前記中央カートリッジ支持体端部は中央突起を含み、（ｂ）前記セーフティフィルタカートリッジは、前記アクセスカバーに向き且つ貫通する開口部を備えた先端部を有する突起を含む端部を含み、（ｉ）前記中央カートリッジ支持体の前記中央突起は、前記セーフティフィルタカートリッジの前記突起の前記先端部の前記開口部を完全に貫通して突出することを特徴とする特徴８６及び８７のいずれか１つに記載のガスフィルタアセンブリ。
【０３８０】
８９．（ａ）前記セーフティフィルタカートリッジの前記突起の前記先端部の前記開口部は、前記開口部を通って突出する弾性クッション部材により閉鎖されることを特徴とする特徴８８記載のガスフィルタアセンブリ。
【０３８１】
９０．（ａ）前記セーフティフィルタカートリッジに設けられ、前記中央カートリッジ支持体の前記中央突起の周囲に解放可能に密封係合する弾性クッション部材を含むことを特徴とする特徴８７から８９のいずれか１つに記載のガスフィルタアセンブリ。
【０３８２】
９１．（ａ）前記中央カートリッジ支持体の前記中央突起は、先端部及びネック部分を含み、（ｉ）前記ネック部分は、前記中央カートリッジ支持体の前記先端部に隣接する部位の前記中央突起の寸法より狭い横断面寸法を有することを特徴とする特徴８８から９０のいずれか１つに記載のガスフィルタアセンブリ。
【０３８３】
９２．（ａ）前記中央カートリッジ支持体の前記中央突起の前記先端部と前記セーフティフィルタカートリッジとの間に、前記先端部及び前記ネック部分により締まりばめが規定されることを特徴とする特徴９１記載のガスフィルタアセンブリ。
【０３８４】
９３．（ａ）前記セーフティフィルタカートリッジの弾性クッション部材は、前記カートリッジ支持体の前記中央突起の先端部にある開口部を通って突出するグロメットを備え、（ｉ）前記グロメットは前記先端部の前記開口部を閉鎖し、（ｂ）前記グロメットは、前記開口部の前記中央凹部とは反対の側に配置された外側半径方向突起部材を含み、（ｃ）前記主フィルタカートリッジは、前記グロメットの前記外側半径方向突起部材を取り囲み且つ前記外側半径方向突起部材と締まりばめ係合する受け入れ部分を備えた端部を含むことを特徴とする特徴８７から９０のいずれか１つに記載のガスフィルタアセンブリ。
【０３８５】
９４．（ａ）前記グロメットの前記外側半径方向突起部材は、中心軸の周囲で３６０°連続的に接触する状態で前記主フィルタカートリッジの前記受け入れ部分と接触することを特徴とする特徴９３記載のガスフィルタアセンブリ。
【０３８６】
９５．（ａ）前記ハウジングは、セーフティフィルタカートリッジ端部受け入れ凹部を取り囲むシールフランジを含み、（ｂ）前記セーフティフィルタカートリッジは、前記媒体の前記第１の端部が前記セーフティフィルタカートリッジ端部受け入れ凹部の中へ突出するような状態で配置されることを特徴とする特徴８５から９４のいずれか１つに記載のガスフィルタアセンブリ。
【０３８７】
９６．（ａ）前記セーフティフィルタカートリッジ端部受け入れ凹部は、１５ｍｍ以下の最大半径方向幅を有し、（ｂ）前記セーフティフィルタカートリッジは、第２の端部に隣接して、１５ｍｍを超える襞深さを有することを特徴とする特徴９５記載のガスフィルタアセンブリ。
【０３８８】
９７．（ａ）前記媒体の前記第１の端部では、前記セーフティフィルタカートリッジに襞が形成されないことを特徴とする特徴９５及び９６のいずれか１つに記載のガスフィルタアセンブリ。
【０３８９】
９８．（ａ）前記セーフティフィルタカートリッジの前記媒体の前記第１の端部は、キャップが設けられない少なくとも０．５ｍｍの延出長さの先端部を有する自由端部であり、且つ前記セーフティフィルタカートリッジの媒体支持構造は半径方向に配置されないことを特徴とする特徴９５から９７のいずれか１つに記載のガスフィルタアセンブリ。
【０３９０】
９９．（ａ）前記セーフティフィルタカートリッジ端部受け入れ凹部は、前記シールフランジと中央カートリッジ支持体のベース端部との間に配置され、（ｉ）前記中央カートリッジ支持体は、前記セーフティフィルタカートリッジから離間し且つハウジングの前記アクセスカバーに向かって突出する部位に配置されることを特徴とする特徴９５から９８のいずれか１つに記載のガスフィルタアセンブリ。
【０３９１】
１００．（ａ）前記主フィルタカートリッジの前記媒体は、第１の端部及び第２の端部を有し、（ｉ）前記主フィルタカートリッジの前記媒体は、前記第１の端部から前記第２の端部へ延出する間に横断面の寸法が縮小する内側周囲部を有することを特徴とする特徴８５から９９のいずれか１つに記載のガスフィルタアセンブリ。
【０３９２】
１０１．（ａ）前記主フィルタカートリッジは、前記第１の端部に隣接する第１の端部材及び前記第２の端部に向くように配置された第２の端部材を含み、（ｉ）前記第１の端部材は開口しており、（ｉｉ）前記第２の端部材は閉鎖され、前記媒体の前記第２の端部から前記媒体の前記第１の端部に向かって、前記媒体の前記第２の端部から前記媒体の前記第１の端部までの距離の少なくとも１５％の長さで突出する中央突起を含むことを特徴とする特徴１００記載のガスフィルタアセンブリ。
【０３９３】
１０２．（ａ）前記主フィルタカートリッジは、前記第１の端部に隣接する第１の端部材及び前記第２の端部に向かって離間して配置された第２の端部材を含み、（ｉ）前記第１の端部材は開放されており、（ｉｉ）前記第２の端部材は閉鎖され、前記媒体の前記第２の端部から前記媒体の前記第１の端部に向かって、前記媒体の前記第２の端部から前記媒体の前記第１の端部までの距離の少なくとも２０％の長さで突出する中央突起を含むことを特徴とする特徴８５から１０１のいずれか１つに記載のガスフィルタアセンブリ。
【０３９４】
１０３．（ａ）前記セーフティフィルタカートリッジは、前記主フィルタカートリッジの前記開放されたフィルタ内部空間の中へ、前記主フィルタカートリッジの前記第１の端部から前記主フィルタカートリッジの前記第２の端部までの距離の９０％以下の部位まで突出することを特徴とする特徴１００から１０２のいずれか１つに記載のガスフィルタアセンブリ。
【０３９５】
１０４．（ａ）前記セーフティフィルタカートリッジは、前記主フィルタカートリッジの前記開放されたフィルタ内部空間の中へ、前記主フィルタカートリッジの前記第１の端部から前記主フィルタカートリッジの前記第２の端部までの距離の８５％以下の部位まで突出することを特徴とする特徴１００から１０３のいずれか１つに記載のガスフィルタアセンブリ。
【０３９６】
１０５．（ａ）前記セーフティカートリッジの前記媒体の前記第２の端部の周囲の部位に、前記主フィルタカートリッジと前記セーフティカートリッジとの間の８ｍｍを超えない間隔が存在することを特徴とする特徴１００から１０４のいずれか１つに記載のガスフィルタアセンブリ。
【０３９７】
１０６．（ａ）前記ハウジングは、前記ハウジングベース部分に、前記アクセスカバーに向いた中央カートリッジ支持体を含み、（ｂ）前記セーフティフィルタカートリッジは、前記中央カートリッジ支持体が前記セーフティフィルタカートリッジの開放されたフィルタ内部空間の中へ突出するような状態で配置され（ｃ）前記セーフティフィルタカートリッジは、アクセスカバーに向いた端部を含み、前記端部は、前記カートリッジ支持体の前記中央突起が突出する凹部を有し、（ｉ）前記セーフティフィルタカートリッジの前記受け入れ凹部は、前記アクセスカバーに向いた突起により規定され、（ｄ）前記セーフティフィルタカートリッジの前記受け入れ凹部に、前記中央カートリッジ支持体の前記中央突起の周囲に沿って弾性クッション部材が設けられ、（ｅ）前記主フィルタカートリッジは、受け入れ凹部を備えた内面を有する閉鎖端部材を含み、（ｉ）前記カートリッジ支持体の前記中央突起及び前記セーフティフィルタカートリッジの前記受け入れ凹部を規定する前記セーフティフィルタカートリッジの前記突起は、前記主フィルタカートリッジの前記閉鎖端部材の前記内面にある前記受け入れ凹部の中へ突出することを特徴とする特徴８５から１０５のいずれか１つに記載のガスフィルタアセンブリ。
【０３９８】
１０７．（ａ）前記ハウジングは、前記ハウジングベース部分に、前記アクセスカバーに向いた中央カートリッジ支持体を含み、（ｂ）前記セーフティフィルタカートリッジは、前記中央カートリッジ支持体が前記セーフティフィルタカートリッジの開放されたフィルタ内部空間の中へ突出するような状態で配置され、（ｃ）前記セーフティフィルタカートリッジの前記受け入れ凹部に、前記中央カートリッジ支持体の前記中央突起の周囲に沿って弾性クッション部材が設けられ、（ｄ）前記セーフティフィルタカートリッジは、前記アクセスカバーに向いた端部を含み、前記端部は、中央突起を取り囲む受け入れ溝を備えた外面を有し、（ｅ）前記主フィルタカートリッジは、前記セーフティカートリッジの前記端部の前記外面にある前記受け入れ溝の中へ延出する突起を備えた内面を有する閉鎖端部材を含むことを特徴とする特徴８６から１０６のいずれか１つに記載のガスフィルタアセンブリ。
【０３９９】
１０８．ガスフィルタアセンブリであって、
（ａ）内部空間、ガス流れ入口及びガス流れ出口を規定するハウジングを備え、（ｉ）前記ハウジングは、ハウジングベース部分及び取り外し可能なアクセスカバーを含み、（ｉｉ）前記ハウジングは、前記ハウジングベース部分に、前記アクセスカバーに向いた中央カートリッジ支持体を含み、（ｂ）前記中央カートリッジ支持体を覆うように配置されたセーフティフィルタカートリッジを備え、前記セーフティフィルタは、第１の端部及び第２の端部を有し、中心軸を取り囲み且つ開放された内部空間を規定する媒体を備え、（ｉ）前記第１の端部に、前記媒体は、深さが３ｍｍ以下の襞を含まず、（ｉｉ）前記第２の端部に、前記媒体は、各々が少なくとも１０ｍｍの襞深さを有する複数の襞を備え、（ｃ）開放された内部空間を規定する中心軸端部を取り囲む媒体を備えた主フィルタカートリッジを備え、（ｉ）前記第１の端部と前記第２の端部との間に延出して前記媒体に襞が形成され、（ｉｉ）前記媒体は、前記第１の端部から前記第２の端部に向かって内側へ延出して細くなるように形成され、（ｉｉｉ）前記主フィルタカートリッジは、前記媒体の前記第１の端部に第１の開放端部材を含み、（Ａ）前記第１の端部材に半径方向内側に向いたハウジングシールが配置され、（ｉｖ）前記主フィルタカートリッジは、前記媒体の前記第２の端部に閉鎖端部材を含み、（Ａ）前記閉鎖端部材は、前記媒体の前記第１の端部に向かって、前記媒体の前記第２の端部と前記媒体の前記第１の端部との間の距離の少なくとも１５％の部位まで延出する中央突起を含むことを特徴とするガスフィルタアセンブリ。
【０４００】
１０９．（ａ）前記閉鎖端部材は、前記媒体の前記第１の端部に向かって、前記媒体の前記第２の端部と前記媒体の前記第１の端部との間の距離の少なくとも２０％の部位まで延出する中央突起を含むことを特徴とする特徴１０８記載のガスフィルタアセンブリ。
【０４０１】
１１０．（ａ）前記閉鎖端部材は、前記媒体の前記第１の端部に向かって、前記媒体の前記第２の端部と前記媒体の前記第１の端部との間の距離の少なくとも２５％の部位まで延出する中央突起を含むことを特徴とする特徴１０８及び１０９のいずれか１つに記載のガスフィルタアセンブリ。
【０４０２】
１１１．（ａ）前記セーフティフィルタカートリッジは、特徴１から８４のいずれか１つに記載のセーフティフィルタカートリッジであることを特徴とする特徴１０８から１１０のいずれか１つに記載のガスフィルタアセンブリ。
【０４０３】
１１２．（ａ）前記アセンブリも特徴８５から１０７のいずれか１つに記載のアセンブリであることを特徴とする特徴１０８から１１１のいずれか１つに記載のガスフィルタアセンブリ。
【０４０４】
１１３．ガスフィルタアセンブリであって、
（ａ）内部空間、ガス流れ入口、ガス流れ出口及びシールフランジを規定するハウジングを備え、（ｉ）前記ハウジングは、ハウジングベース部分及び取り外し可能なアクセスカバーを含み、（ｂ）前記ハウジングの前記内部空間に配置された主フィルタカートリッジ支持体を備え、（ｉ）主カートリッジ支持体は、前記ガス流れ出口から離れた部位に端部を含み、（ｃ）前記主カートリッジ支持体の前記ガス流れ出口から離れた部位にある前記端部に配置された弾性クッション部材を備え、（ｉ）前記弾性クッション部材は、外側半径方向突起部材を含み、（ｄ）開放されたフィルタ内部空間を取り囲む媒体を備えた主フィルタカートリッジを備え、（ｉ）前記媒体は、第１の端部と第２の端部との間に延設され、（ｉｉ）前記主フィルタカートリッジは、前記媒体の前記第１の端部に隣接して、ハウジングシール部材を有する開放端部を含み、（Ａ）前記ハウジングシール部材は、半径方向に向いたシール部材を備え、（ｉｉｉ）前記主フィルタカートリッジは、前記開放端部から離れた部位に閉鎖端部を含み、（Ａ）前記フィルタカートリッジの前記閉鎖端部は、前記出口半径方向突起部材により取り囲まれ且つ前記出口半径方向突起部材と解放可能に締まりばめ係合するように配置された受け入れ部分を含むことを特徴とするガスフィルタアセンブリ。
【０４０５】
１１４．（ａ）前記主フィルタカートリッジ支持体は、前記ガスフィルタアセンブリの中に取り外し可能に配置されたセーフティフィルタカートリッジを備えることを特徴とする特徴１１３記載のガスフィルタアセンブリ。
【０４０６】
１１５．（ａ）前記セーフティフィルタカートリッジは、特徴１から８４のいずれか１つに記載のセーフティフィルタカートリッジであることを特徴とする特徴１１４記載のガスフィルタアセンブリ。
【０４０７】
１１６．（ａ）前記ハウジングは中央カートリッジ支持体を含み、（ｂ）前記セーフティフィルタは、前記中央カートリッジ支持体を覆うように取り外し可能に配置されることを特徴とする特徴１１４及び１１５のいずれか１つに記載のガスフィルタアセンブリ。
【０４０８】
１１７．（ａ）前記アセンブリも、特徴８５から１１２のいずれか１つに記載のアセンブリであることを特徴とする特徴１１４から１１６のいずれか１つに記載のガスフィルタアセンブリ。
【０４０９】
１１８．（ａ）前記主フィルタカートリッジは、特徴１２５記載の主フィルタカートリッジであることを特徴とする特徴１１３から１１７のいずれか１つに記載のガスフィルタアセンブリ。
【０４１０】
１１９．（ａ）前記主フィルタカートリッジは、特徴１２６から１３６のいずれか１つに記載の主フィルタカートリッジであることを特徴とする特徴１１８記載のガスフィルタアセンブリ。
【０４１１】
１２０．（ａ）前記主フィルタカートリッジは、特徴１３６から１３８のいずれか１つに記載の主フィルタカートリッジであることを特徴とする特徴１１８及び１１９のいずれか１つに記載のガスフィルタアセンブリ。
【０４１２】
１２１．（ａ）前記主フィルタカートリッジは、特徴１３９から１４１のいずれか１つに記載の主フィルタカートリッジであることを特徴とする特徴１１８から１２０のいずれか１つに記載のガスフィルタアセンブリ。
【０４１３】
１２２．（ａ）前記主フィルタカートリッジは、特徴１４２の方法に従って設置されることを特徴とする特徴１１５から１２１のいずれか１つに記載のガスフィルタアセンブリ。
【０４１４】
１２３．ガスフィルタアセンブリのハウジングであって、前記ハウジングは、（ａ）内部空間及びガス流れ出口を規定し、（ｉ）前記ハウジングは、ハウジングベース部分及び取り外し可能なアクセスカバーを含み、（ｂ）前記ハウジングは、前記ハウジングベース部分に、前記アクセスカバーに向いた中央カートリッジ支持体を含み、（ｃ）前記中央カートリッジ支持体は、前記アクセスカバーに向いたカートリッジ支持端部を含み、前記カートリッジ指示端部は、先端部及びネック部分を備えた中央突起を有し、（ｉ）前記ネック部分は、前記先端部に隣接する部位の前記中央カートリッジ支持体の前記中央突起の寸法より狭い横断面寸法を有することを特徴とするハウジング。
【０４１５】
１２４．（ａ）セーフティフィルタカートリッジを規定する前記中央カートリッジ支持体の端部を取り囲むシールフランジと、２５ｍｍを超えない最大半径方向幅を有する受け入れ凹部とを含むことを特徴とする特徴１２３記載のハウジング。
【０４１６】
１２５．エアクリーナハウジングの中に配置されたクッション部材を覆い且つ前記クッション部材と解放可能に支持係合するようにエアクリーナハウジングに取り外し可能に設置される主エアフィルタカートリッジであって、（ａ）開放された内部空間及び中心軸を取り囲み且つ規定する媒体を備え、（ｉ）前記媒体は、第１の端部と第２の端部との間に延設され、（ｂ）前記媒体の前記第１の端部にある第１の端部材を備え、（ｉ）前記第１の端部材は、前記第１の端部材を貫通し且つ前記開放されたフィルタ内部空間と連通する中央空気流れ開口部を有し、（ｃ）前記第１の端部材に設けられ且つ前記中央空気流れ開口部を取り囲む半径方向に向いたハウジングシール構造を備え、（ｄ）前記媒体の前記第１の端部から前記媒体の前記第２の端部に向かって離間された部位で前記フィルタカートリッジに沿って延設され且つ前記フィルタカートリッジを閉鎖する中央閉鎖部材を備え、（ｉ）前記中央閉鎖部材は、内面及び外面を有し、（ｉｉ）前記中央閉鎖部材の前記内面は、前記外面の周囲中央突起の内面により規定される中央凹部を規定し、（Ａ）前記中央凹部は、設置中に、ハウジング内部に配置される弾性クッション部材と解放可能に支持係合するための選択された部位で、１２〜２６ｍｍの範囲内の最大横断面寸法を有する弾性クッション部材係合側壁部分を含み、（ｉｉｉ）前記中央閉鎖部材の前記外面は、前記中央突起を取り囲む受け入れ溝を有し、（Ａ）前記受け入れ溝は、リング先端部で接合された内側壁と外側壁との間に規定され、（１）前記内側壁は、前記中央突起の一部を備え、（２）前記リング先端部は、３０ｍｍを超えない外側幅を有し、（３）前記溝は、前記外側壁に関して少なくとも１０ｍｍの深さであることを特徴とする主エアフィルタカートリッジ。
【０４１７】
１２６．（ａ）前記弾性クッション部材係合側壁部分は、前記中心軸に垂直な方向に切断した場合に円形の横断面を有する内面部分を規定することを特徴とする特徴１２５記載の主フィルタカートリッジ。
【０４１８】
１２７．（ａ）前記弾性クッション部材係合側壁部分は、設置中、弾性クッション部材と係合する部位で、中心軸に対して、０．５°以上、７°以下の範囲内のテーパ角度を有する内面部分を規定することを特徴とする特徴１２５及び１２６のいずれか１つに記載の主フィルタカートリッジ。
【０４１９】
１２８．（ａ）前記弾性クッション部材係合側壁部分は、設置中、弾性クッション部材と係合する部位で、少なくとも１°の範囲内のテーパ角度を有する内面部分を規定することを特徴とする特徴１２７のいずれか１つに記載の主フィルタカートリッジ。
【０４２０】
１２９．（ａ）前記受け入れ溝は、最も内側の部分で３０ｍｍを超えない幅を有することを特徴とする特徴１２７及び１２８のいずれか１つに記載の主フィルタカートリッジ。
【０４２１】
１３０．（ａ）前記受け入れ溝は、最も内側の部分で２５ｍｍを超えない幅を有することを特徴とする特徴１２８及び１２９のいずれか１つに記載の主フィルタカートリッジ。
【０４２２】
１３１．（ａ）前記受け入れ溝は、１２ｍｍを超えない幅を有することを特徴とする特徴１２９及び１３０のいずれか１つに記載の主フィルタカートリッジ。
【０４２３】
１３２．（ａ）前記受け入れ溝の前記外側壁は、前記中心軸に垂直な平面に対して少なくとも４０°の角度で外側にテーパしていることを特徴とする特徴１２５から１３１のいずれか１つに記載の主エアフィルタカートリッジ。
【０４２４】
１３３．（ａ）前記受け入れ溝の前記外側壁は、前記中心軸に垂直な平面に対して少なくとも５０°の角度で外側にテーパしていることを特徴とする特徴１３２記載の主エアフィルタカートリッジ。
【０４２５】
１３４．（ａ）前記受け入れ溝の前記外側壁は、前記中心軸に垂直な平面に対して少なくとも６０°の角度で外側にテーパしていることを特徴とする特徴１３２記載の主エアフィルタカートリッジ。
【０４２６】
１３５．（ａ）前記ハウジングシール構造は、半径方向内側に向いたハウジングシール部材を備えることを特徴とする特徴１２５から１３４のいずれか１つに記載の主フィルタカートリッジ。
【０４２７】
１３６．（ａ）前記ハウジングシール部材は、前記媒体により取り囲まれる部位に配置されることを特徴とする特徴１３１記載の主フィルタカートリッジ。
【０４２８】
１３７．（ａ）前記媒体は、前記第１の端部から前記第２の端部への延設において下方へテーパされていることを特徴とする特徴１２５から１３６のいずれか１つに記載の主エアフィルタカートリッジ。
【０４２９】
１３８．（ａ）前記媒体に襞が形成されることを特徴とする特徴１２５から１３７のいずれか１つに記載の主エアフィルタカートリッジ。
【０４３０】
１３９．（ａ）前記リング先端部は、前記媒体の前記第２の端部から前記媒体の前記第１の端部に向かって少なくとも５％の部位まで突出することを特徴とする特徴１２５から１３８のいずれか１つに記載の主フィルタカートリッジ。
【０４３１】
１４０．（ａ）前記リング先端部は、前記媒体の前記第２の端部から前記媒体の前記第１の端部に向かって少なくとも１０％の部位まで突出することを特徴とする特徴１２５から１３８のいずれか１つに記載の主フィルタカートリッジ。
【０４３２】
１４１．（ａ）前記リング先端部は、前記媒体の前記第２の端部から前記媒体の前記第１の端部に向かって少なくとも２０％の部位まで突出することを特徴とする特徴１２５から１４０のいずれか１つに記載の主フィルタカートリッジ。
【０４３３】
１４２．特徴１２５から１４１のいずれか１つに記載の主エアフィルタカートリッジをエアクリーナアセンブリのハウジングに設置する方法であって、（ａ）（ｉ）ハウジングシール構造が前記エアクリーナアセンブリと解放可能に密封係合し、（ｉｉ）弾性クッション部材が中央閉鎖部材の中央突起により規定される中央凹部の内面と解放可能に支持係合するまで、前記弾性クッション部材を有する支持体に前記主エアフィルタカートリッジを押し込む過程を備えることを特徴とする方法。
【０４３４】
１４３．（ａ）前記弾性クッション部材は、特徴１から８４のいずれか１つに記載のセーフティカートリッジに配置されることを特徴とする特徴１４２記載の方法。
【０４３５】
１４４．（ａ）前記エアクリーナアセンブリは、特徴８５から１２２のいずれか１つに記載のフィルタアセンブリであることを特徴とする特徴１４２及び１４３のいずれか１つに記載の方法。
【０４３６】
本明細書において説明される原理、技術及び特徴は、多様なシステムに適用可能であり、本発明に係る何らかの利益を得るために、アセンブリ、システム又は構成要素に、確認された好都合な特徴のすべてを取り入れることは要求されていない。更に、システムの一例を特徴付ける寸法は、使用可能な構成を示すことを意図しており、それらの寸法の変更は可能である。
【図１】
2016505365.tif 000002
【図１Ａ】
2016505365.tif 000003
【図１Ｂ】
2016505365.tif 000004
【図１Ｃ】
2016505365.tif 000005
【図１Ｄ】
2016505365.tif 000006
【図１Ｅ】
2016505365.tif 000007
【図２】
2016505365.tif 000008
【図２Ａ】
2016505365.tif 000009
【図３】
2016505365.tif 000010
【図４】
2016505365.tif 000011
【図５】
2016505365.tif 000012
【図６】
2016505365.tif 000013
【図７】
2016505365.tif 000014
【図８】
2016505365.tif 000015
【図９】
2016505365.tif 000016
【図９Ａ】
2016505365.tif 000017
【図１０】
2016505365.tif 000018
【図１１】
2016505365.tif 000019
【図１１Ａ】
2016505365.tif 000020
【図１１Ｂ】
2016505365.tif 000021
【図１２】
2016505365.tif 000022
【図１２Ａ】
2016505365.tif 000023
【図１２Ｂ】
2016505365.tif 000024
【図１２Ｃ】
2016505365.tif 000025
【図１３】
2016505365.tif 000026
【図１３Ａ】
2016505365.tif 000027
【図１３Ｂ】
2016505365.tif 000028
【図１４】
2016505365.tif 000029
【図１５】
2016505365.tif 000030
【図１６】
2016505365.tif 000031
【図１７】
2016505365.tif 000032
【図１８】
2016505365.tif 000033
【図１９】
2016505365.tif 000034
【図２０】
2016505365.tif 000035
【図２１】
2016505365.tif 000036
【図２２】
2016505365.tif 000037
【図２３】
2016505365.tif 000038
【図２４】
2016505365.tif 000039
【図２５】
2016505365.tif 000040
【図２６】
2016505365.tif 000041
【図２７】
2016505365.tif 000042
【図２８】
2016505365.tif 000043
【図２９】
2016505365.tif 000044
【図３０】
2016505365.tif 000045
【図３１】
2016505365.tif 000046
【図３２】
2016505365.tif 000047
【図３３】
2016505365.tif 000048
【図３４】
2016505365.tif 000049
【図３５】
2016505365.tif 000050
【図３６】
2016505365.tif 000051
【図３７】
2016505365.tif 000052
【図３８】
2016505365.tif 000053
【図３９】
2016505365.tif 000054
【図４０】
2016505365.tif 000055
【図４１】
2016505365.tif 000056
【図４２】
2016505365.tif 000057
【図４３】
2016505365.tif 000058
【図４４】
2016505365.tif 000059
【図４５】
2016505365.tif 000060
【図４５Ａ】
2016505365.tif 000061
【図４６】
2016505365.tif 000062
【図４７】
2016505365.tif 000063
【図４８】
2016505365.tif 000064
【図４９】
2016505365.tif 000065
【図５０】
2016505365.tif 000066
【図５１】
2016505365.tif 000067
【図５２】
2016505365.tif 000068
【図５３】
2016505365.tif 000069
【図５４】
2016505365.tif 000070
【図５５】
2016505365.tif 000071
【図５６】
2016505365.tif 000072
【図５７】
2016505365.tif 000073
【国際調査報告】
2016505365.tif 000074
2016505365.tif 000075
2016505365.tif 000076
2016505365.tif 000077
2016505365.tif 000078
2016505365.tif 000079
2016505365.tif 000080
2016505365.tif 000081